(57)【特許請求の範囲】
【請求項１】
無線通信システムにおけるユーザ装置（ＵＥ）が上向きリンク送信を実行する方法であって、
基地局から、前記ユーザ装置に対するＳＲＳ資源に関連するサウンディング参照信号（ＳＲＳ）設定情報を受信するステップと、
前記ＳＲＳ資源の中から、それぞれが複数のＳＲＳ資源を含む複数のＳＲＳ資源セットを決定するステップと、
前記複数のＳＲＳ資源セットの中の各ＳＲＳ資源セットに対し、前記ＳＲＳ資源セット内の前記複数のＳＲＳ資源の全てに対し適用されるＳＲＳの電力制御についての情報を決定するステップと、
前記基地局に送信するＳＲＳを決定するステップであって、前記ＳＲＳは前記複数のＳＲＳ資源セットの中の第１のＳＲＳ資源セット内に含まれる、ステップと、
前記ＳＲＳを含む前記第１のＳＲＳ資源セットに関連する前記ＳＲＳの電力制御についての前記情報に基づいて、前記ＳＲＳに対する第１の送信電力を決定するステップと、
前記第１の送信電力を用いて、前記ＳＲＳを前記基地局に送信するステップと、を含み、
前記第１の送信電力は、経路−損失推定に関連する少なくとも１つのインデックスに基づいて決定され、
前記少なくとも１つのインデックスは、前記第１のＳＲＳ資源セット及び同期信号ブロック（ＳＳＢ）に関連する、上向きリンク送信実行方法。
【請求項２】
前記ＳＲＳ資源セット内の前記複数のＳＲＳ資源の全てに対し適用される前記ＳＲＳの電力制御についての前記情報は、各ＳＲＳ資源セットのＳＲＳの電力制御に対するパラメータセットを含む、請求項１に記載の上向きリンク送信実行方法。
【請求項３】
前記ＳＲＳ資源セット内の前記複数のＳＲＳ資源の全てに対し適用される前記ＳＲＳの電力制御についての前記情報は、下向きリンクチャネルに対する下向きリンク経路−損失推定に関連する、請求項１に記載の上向きリンク送信実行方法。
【請求項４】
前記下向きリンクチャネルに対する前記下向きリンク経路−損失推定は、前記少なくとも１つのインデックスに基づいて、前記ユーザ装置により決定される、請求項３に記載の上向きリンク送信実行方法。
【請求項５】
下向きリンク参照信号は、前記基地局により送信される媒体接続制御制御要素（ＭＡＣ−ＣＥ）により決定される、請求項４に記載の上向きリンク送信実行方法。
【請求項６】
前記ＳＲＳ資源セット内の前記複数のＳＲＳ資源の全てに対し適用される前記ＳＲＳの電力制御についての前記情報は、ＳＲＳの電力制御プロセスについての情報を含み、前記ＳＲＳの電力制御がそれに従い実行される、請求項１に記載の上向きリンク送信実行方法。
【請求項７】
無線通信システムにおける上向きリンク送信を実行するよう構成されたユーザ装置（ＵＥ）において、
送受信機と、
少なくとも１つのプロセッサと、
前記少なくとも１つのプロセッサと動作可能に接続可能な少なくとも１つのコンピュータメモリと、を備え、
前記少なくとも１つのコンピュータメモリは、実行されるとき、前記少なくとも１つのプロセッサに、
基地局から、前記ユーザ装置に対するＳＲＳ資源に関連するサウンディング参照信号（ＳＲＳ）設定情報を受信し、
前記ＳＲＳ資源の中から、それぞれが複数のＳＲＳ資源を含む複数のＳＲＳ資源セットを決定し、
前記複数のＳＲＳ資源セットの中の各ＳＲＳ資源セットに対し、前記ＳＲＳ資源セット内の前記複数のＳＲＳ資源の全てに対し適用されるＳＲＳの電力制御についての情報を決定し、
前記基地局に送信するＳＲＳを決定し、前記ＳＲＳは前記複数のＳＲＳ資源セットの中の第１のＳＲＳ資源セット内に含まれ、
前記ＳＲＳを含む前記第１のＳＲＳ資源セットに関連する前記ＳＲＳの電力制御についての前記情報に基づいて、前記ＳＲＳに対する第１の送信電力を決定し、
前記第１の送信電力を用いて、前記ＳＲＳを前記送受信機を通じて前記基地局に送信することを含む動作を実行させる命令を格納し、
前記第１の送信電力は、経路−損失推定に関連する少なくとも１つのインデックスに基づいて決定され、
前記少なくとも１つのインデックスは、前記第１のＳＲＳ資源セット及び同期信号ブロック（ＳＳＢ）に関連する、ユーザ装置。
【請求項８】
前記ＳＲＳ資源セット内の前記複数のＳＲＳ資源の全てに対し適用される前記ＳＲＳの電力制御についての前記情報は、各ＳＲＳ資源セットのＳＲＳの電力制御に対するパラメータセットを含む、請求項７に記載のユーザ装置。
【請求項９】
前記ＳＲＳ資源セット内の前記複数のＳＲＳ資源の全てに対し適用される前記ＳＲＳの電力制御についての前記情報は、下向きリンクチャネルに対する下向きリンク経路−損失推定に関連する、請求項７に記載のユーザ装置。
【請求項１０】
前記下向きリンクチャネルに対する前記下向きリンク経路−損失推定は、前記少なくとも１つのインデックスに基づいて、前記ユーザ装置により決定される、請求項９に記載のユーザ装置。
【請求項１１】
下向きリンク参照信号は、前記基地局により送信される媒体接続制御制御要素（ＭＡＣ−ＣＥ）により決定される、請求項１０に記載のユーザ装置。
【請求項１２】
前記ＳＲＳ資源セット内の前記複数のＳＲＳ資源の全てに対し適用される前記ＳＲＳの電力制御についての前記情報は、ＳＲＳの電力制御プロセスについての情報を含み、前記ＳＲＳの電力制御がそれに従い実行される、請求項７に記載のユーザ装置。
【発明の詳細な説明】
【技術分野】
【０００１】
本発明は、無線通信システムに関し、より詳細には、端末のサウンディング方法及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当りの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率を支援できなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、様々な技術が研究されている。
【発明の概要】
【発明が解決しようとする課題】
【０００４】
本発明の目的は、上向きリンク信号（例えば、ＳＲＳ）／チャネル（例えば、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）送受信方法、特に上向きリンク信号／チャネルの送信電力制御（ｐｏｗｅｒ  ｃｏｎｔｒｏｌ）方法を提案する。
【０００５】
また、本発明の目的は、多重のサウンディング参照信号（ＳＲＳ：ｓｏｕｎｄｉｎｇ  ｒｅｆｅｒｅｎｃｅ  ｓｉｇｎａｌ）のための上向きリンク電力制御方法を提案する。
【０００６】
本発明においてなそうとする技術的課題は、以上で言及した技術的課題に制限されず、言及していないさらに他の技術的課題は、下記の記載から本発明の属する技術分野における通常の知識を有する者に明確に理解され得るであろう。
【課題を解決するための手段】
【０００７】
本発明の一態様は、無線通信システムにおけるユーザ装置（ＵＥ：Ｕｓｅｒ  Ｅｑｕｉｐｍｅｎｔ）が上向きリンク送信する方法であって、基地局からサウンディング参照信号（ＳＲＳ：Ｓｏｕｎｄｉｎｇ  Ｒｅｆｅｒｅｎｃｅ  Ｓｉｇｎａｌ）設定情報を受信するステップにおいて、前記ＳＲＳ設定情報は、ＳＲＳ資源セット別にＳＲＳの電力制御のためのパラメータセットを含み、前記ＳＲＳ資源セットは、一つ以上のＳＲＳ資源を含むステップと、前記ＳＲＳの電力制御のためのパラメータセットに基づいて、前記ＳＲＳの送信電力（ｔｒａｎｓｍｉｓｓｉｏｎ  ｐｏｗｅｒ）を決定するステップと、前記ＳＲＳを前記基地局に送信するステップとを含むことができる。
【０００８】
本発明の他の一態様は、無線通信システムにおける上向きリンク送信を行うユーザ装置（ＵＥ：Ｕｓｅｒ  Ｅｑｕｉｐｍｅｎｔ）において、無線信号を送受信するための送受信機（ｔｒａｎｓｃｅｉｖｅｒ）と、前記送受信機を制御するプロセッサとを含み、前記プロセッサは、基地局からサウンディング参照信号（ＳＲＳ：Ｓｏｕｎｄｉｎｇ  Ｒｅｆｅｒｅｎｃｅ  Ｓｉｇｎａｌ）設定情報を受信するものの、前記ＳＲＳ設定情報は、ＳＲＳ資源セット別にＳＲＳの電力制御のためのパラメータセットを含み、前記ＳＲＳ資源セットは、一つ以上のＳＲＳ資源を含み、前記ＳＲＳの電力制御のためのパラメータセットに基づいて、前記ＳＲＳの送信電力（ｔｒａｎｓｍｉｓｓｉｏｎ  ｐｏｗｅｒ）を決定し、前記ＳＲＳを前記基地局に送信するように構成されることができる。
【０００９】
好ましくは、前記ＳＲＳの電力制御のためのパラメータセットにより指示された下向きリンク参照信号を利用して、前記ＵＥにより計算された下向きリンク経路−損失（ｐａｔｈ−ｌｏｓｓ）推定値に基づいて、前記ＳＲＳの送信電力（ｔｒａｎｓｍｉｓｓｉｏｎ  ｐｏｗｅｒ）が決定されることができる。
【００１０】
好ましくは、前記下向きリンク参照信号は、同期信号ブロック（ＳＳＢ：Ｓｙｎｃｈｒｏｎｉｚａｔｉｏｎ  Ｓｉｇｎａｌ  Ｂｌｏｃｋ）及びチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を含むことができる。
【００１１】
好ましくは、前記下向きリンク参照信号は、前記基地局により送信される媒体接続制御（ＭＡＣ：Ｍｅｄｉｕｍ  Ａｃｃｅｓｓ  Ｃｏｎｔｒｏｌ）制御要素（ＣＥ：Ｃｏｎｔｒｏｌ  Ｅｌｅｍｅｎｔ）により変更されることができる。
【００１２】
好ましくは、前記ＳＲＳ資源セットに共通的に送信電力制御（ＴＰＣ：Ｔｒａｎｓｍｉｔ Ｐｏｗｅｒ  Ｃｏｎｔｒｏｌ）累積（ａｃｃｕｍｕｌａｔｉｏｎ）を適用することによって、前記ＳＲＳの送信電力（ｔｒａｎｓｍｉｓｓｉｏｎ  ｐｏｗｅｒ）が決定されることができる。
【００１３】
好ましくは、前記ＳＲＳの送信電力（ｔｒａｎｓｍｉｓｓｉｏｎ  ｐｏｗｅｒ）の調整のための電力制御調整（ｐｏｗｅｒ  ｃｏｎｔｒｏｌ  ａｄｊｕｓｔｍｅｎｔ）は、特定ＳＲＳ送信区間別に独立的に適用されることができる。
【００１４】
好ましくは、前記電力制御調整がトリガーされると、前記ＳＲＳの送信電力（ｔｒａｎｓｍｉｓｓｉｏｎ  ｐｏｗｅｒ）が決定されたことと無関係に、前記すべてのＳＲＳ資源上において前記ＳＲＳの送信電力値（ｐｏｗｅｒ  ｖａｌｕｅ）は、全部同一に調整されることができる。
【００１５】
好ましくは、前記調整された送信電力値が一定値を超過する時に、前記調整された送信電力値が一括的に縮小（ｓｃａｌｉｎｇ  ｄｏｗｎ）されることができる。
【００１６】
好ましくは、前記基地局からＰＵＳＣＨ（Ｐｈｙｓｉｃａｌ  Ｕｐｌｉｎｋ  Ｓｈａｒｅｄ  Ｃｈａｎｎｅｌ）スケジューリング情報を含む下向きリンク制御情報（ＤＣＩ：Ｄｏｗｎｌｉｎｋ  Ｃｏｎｔｒｏｌ  Ｉｎｆｏｒｍａｔｉｏｎ）を受信するステップにおいて、前記ＤＣＩは、ＳＲＳ資源指示子（ＳＲＩ：ＳＲＳ  ｒｅｓｏｕｒｃｅ  ｉｎｄｉｃａｔｏｒ）を含むステップと、前記ＳＲＩから決定された前記ＰＵＳＣＨの電力制御のためのパラメータセットに基づいて、前記ＰＵＳＣＨ送信電力（ｔｒａｎｓｍｉｓｓｉｏｎ  ｐｏｗｅｒ）を決定するステップと、前記ＰＵＳＣＨを前記基地局に送信するステップとをさらに含むことができる。
【００１７】
好ましくは、前記ＳＲＩにより複数のＳＲＳ資源が指示され、前記複数のＳＲＳ資源の各々に対して互いに異なるレイヤーグループが設定される時、前記レイヤーグループ別に前記ＰＵＳＣＨの電力制御のためのパラメータセットが個別的に決定されることができる。
【００１８】
好ましくは、前記ＰＵＳＣＨの電力制御のためのパラメータセットにより指示された下向きリンク参照信号を利用して、前記ＵＥにより計算された下向きリンク経路−損失（ｐａｔｈ−ｌｏｓｓ）推定値に基づいて、前記ＰＵＳＣＨの送信電力（ｔｒａｎｓｍｉｓｓｉｏｎ  ｐｏｗｅｒ）が決定されることができる。
【００１９】
好ましくは、前記下向きリンク参照信号は、前記基地局により送信される媒体接続制御（ＭＡＣ：Ｍｅｄｉｕｍ  Ａｃｃｅｓｓ  Ｃｏｎｔｒｏｌ）制御要素（ＣＥ：Ｃｏｎｔｒｏｌ  Ｅｌｅｍｅｎｔ）により変更されることができる。
【００２０】
好ましくは、下向きリンク参照信号を利用して前記ＵＥにより計算された下向きリンク経路−損失（ｐａｔｈ−ｌｏｓｓ）推定値に基づいて、ＰＵＳＣＨ（Ｐｈｙｓｉｃａｌ  Ｕｐｌｉｎｋ  Ｓｈａｒｅｄ  Ｃｈａｎｎｅｌ）の送信電力（ｔｒａｎｓｍｉｓｓｉｏｎ  ｐｏｗｅｒ）を決定するステップと、前記ＰＵＳＣＨを前記基地局に送信するステップとをさらに含み、前記基地局から前記下向きリンク参照信号に対する情報が提供されない時、前記経路−損失（ｐａｔｈ−ｌｏｓｓ）推定値は、相対的に最も大きな電力レベルを有する下向きリンク参照信号を利用して計算されることができる。
【発明の効果】
【００２１】
本発明の実施形態によれば、上向きリンク信号／チャネル送信時に效率的に送信電力を制御できる。
【００２２】
また、本発明の実施形態によれば、複数のＳＲＳ資源が設定される状況で上向きリンク信号／チャネル送信時に效率的に送信電力を制御できる。
【００２３】
本発明において得ることができる効果は、以上で言及した効果に制限されず、言及していないさらに他の効果は、下記の記載から本発明の属する技術分野における通常の知識を有する者に明確に理解され得るであろう。
【図面の簡単な説明】
【００２４】
本発明に関する理解を助けるために詳細な説明の一部として含まれる添付図面は、本発明に対する実施形態を提供し、詳細な説明と共に本発明の技術的特徴を説明する。
【図１】本発明が適用できる無線通信システムにおける無線フレームの構造を示す。
【図２】本発明が適用できる無線通信システムにおける１つのダウンリンクスロットに対する資源グリッド（ｒｅｓｏｕｒｃｅ  ｇｒｉｄ）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】一般的な多重入出力アンテナ（ＭＩＭＯ）通信システムの構成図である。
【図６】複数の送信アンテナから１つの受信アンテナへのチャネルを示す図である。
【図７】本発明が適用できる無線通信システムにおけるダウンリンク資源ブロック対にマッピングされた参照信号パターンを例示する。
【図８】本発明が適用できる無線通信システムにおける参照信号がマッピングされる資源を例示する図である。
【図９】本発明が適用され得る無線通信システムにおけるサウンディング参照信号シンボルを含む上向きリンクサブフレームを例示する。
【図１０】本発明が適用され得る無線通信システムにおける自己完結（Ｓｅｌｆ−ｃｏｎｔａｉｎｅｄ）サブフレーム構造を例示する図である。
【図１１】本発明が適用され得る無線通信システムにおけるトランシーバユニットモデルを例示する。
【図１２】本発明が適用され得る無線通信システムにおいて、トランシーバユニット別サービス領域を例示する図である。
【図１３】本発明の一実施形態に係る上向きリンク送受信方法を例示する図である。
【図１４】本発明の一実施形態に係る無線通信装置のブロック構成図を例示する。
【発明を実施するための形態】
【００２５】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２６】
いくつかの場合、本発明の概念が曖昧になることを避けるために、公知の構造及び装置は省略されるか、または各構造及び装置の核心機能を重心にしたブロック図形式で示されることができる。
【００２７】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。すなわち、基地局を含む複数のネットワークノード（ｎｅｔｗｏｒｋ  ｎｏｄｅｓ）からなるネットワークにおいて端末との通信のために行われる様々な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００２８】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００２９】
以下の説明において用いられる特定用語は、本発明の理解に役立つために提供されたものであり、このような特定用語の使用は、本発明の技術的思想から外れない範囲内で他の形態に変更されることができる。
【００３０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような様々な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により実現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３１】
本発明の実施形態等は、無線接続システムであるＩＥＥＥ  ８０２、３ＧＰＰ及び３ＧＰＰ２のうち、少なくとも１つに開示された標準文書により裏付けられることができる。すなわち、本発明の実施形態等のうち、本発明の技術的思想を明確に表すために、説明していないステップまたは部分は、前記文書により裏付けられることができる。また、本文書で開示している全ての用語は、前記標準文書により説明されることができる。
【００３２】
説明を明確にするために、３ＧＰＰ  ＬＴＥ／ＬＴＥ−Ａまたは新しいＲＡＴ（ｎｅｗ  ＲＡＴ）（５Ｇ（５  ｇｅｎｅｒａｔｉｏｎ）システムのＲＡＴ）を中心に記述するが、本発明の技術的特徴がこれに制限されるものではない。
【００３３】
本発明が適用されることができる無線通信システム一般
【００３４】
図１は、本発明が適用されることができる無線通信システムにおける無線フレームの構造を示す。
【００３５】
３ＧＰＰ  ＬＴＥ／ＬＴＥ−Ａでは、ＦＤＤ（Ｆｒｅｑｕｅｎｃｙ  ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  ｄｉｖｉｓｉｏｎ  Ｄｕｐｌｅｘ）に適用可能なタイプ２の無線フレーム構造を支援する。
【００３６】
図１において、無線フレームの時間領域でのサイズは、Ｔ＿ｓ＝１／（１５０００＊２０４８）の時間単位の倍数で表される。ダウンリンク及びアップリンク送信は、Ｔ＿ｆ＝３０７２００＊Ｔ＿ｓ＝１０ｍｓの区間を有する無線フレームから構成される。
【００３７】
図１の（ａ）は、タイプ１無線フレームの構造を示す。タイプ１無線フレームは、全二重（ｆｕｌｌ  ｄｕｐｌｅｘ）及び半二重（ｈａｌｆ  ｄｕｐｌｅｘ）ＦＤＤに全部適用されることができる。
【００３８】
無線フレーム（ｒａｄｉｏ  ｆｒａｍｅ）は、１０個のサブフレーム（ｓｕｂｆｒａｍｅ）から構成される。１つの無線フレームは、Ｔ＿ｓｌｏｔ＝１５３６０＊Ｔ＿ｓ＝０．５ｍｓ長さの２０個のスロットから構成され、各スロットは、０から１９までのインデックスが付与される。１つのサブフレームは、時間領域（ｔｉｍｅ  ｄｏｍａｉｎ）で連続的な２個のスロット（ｓｌｏｔ）から構成され、サブフレームｉは、スロット２ｉ及びスロット２ｉ＋１から構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームは、長さは１ｍｓで、１つのスロットの長さは、０．５ｍｓでありうる。
【００３９】
ＦＤＤにおいてアップリンク送信及びダウンリンク送信は、周波数ドメインにおいて区分される。全二重ＦＤＤに制限がないことに対し、半二重ＦＤＤ動作における端末は、同時に送信及び受信ができない。
【００４０】
１つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において複数の資源ブロック（ＲＢ：Ｒｅｓｏｕｒｃｅ  Ｂｌｏｃｋ）を含む。３ＧＰＰ  ＬＴＥは、ダウンリンクにおいてＯＦＤＭＡを使用するから、ＯＦＤＭシンボルは、１つのシンボル区間（ｓｙｍｂｏｌ  ｐｅｒｉｏｄ）を表現するためのものである。ＯＦＤＭシンボルは、１つのＳＣ−ＦＤＭＡシンボルまたはシンボル区間ということができる。資源ブロック（ｒｅｓｏｕｒｃｅ  ｂｌｏｃｋ）は、資源割り当て単位で、１つのスロットにおいて複数の連続的な副搬送波（ｓｕｂｃａｒｒｉｅｒ）を含む。
【００４１】
図１の（ｂ）は、タイプ２フレーム構造（ｆｒａｍｅ  ｓｔｒｕｃｔｕｒｅ  ｔｙｐｅ  ２）を示す。
【００４２】
タイプ２無線フレームは、各１５３６００＊Ｔ＿ｓ＝５ｍｓの長さの２個のハーフフレーム（ｈａｌｆ  ｆｒａｍｅ）から構成される。各ハーフフレームは、３０７２０＊Ｔ＿ｓ＝１ｍｓ長さの５個のサブフレームから構成される。
【００４３】
ＴＤＤシステムのタイプ２フレーム構造においてアップリンク−ダウンリンク構成（ｕｐｌｉｎｋ−ｄｏｗｎｌｉｎｋ  ｃｏｎｆｉｇｕｒａｔｉｏｎ）は、すべてのサブフレームに対してアップリンクとダウンリンクが割り当て（または予約）されるかどうかを表す規則である。
【００４４】
表１は、アップリンク−ダウンリンク構成を示す。
【００４５】
【表１】
0006968914.tif 000002
【００４６】
表１を参照すると、無線フレームの各サブフレーム別に、「Ｄ」は、ダウンリンク送信のためのサブフレームを表し、「Ｕ」は、アップリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）３通りのフィールドから構成されるスペシャルサブフレーム（ｓｐｅｃｉａｌ  ｓｕｂｆｒａｍｅ）を表す。
【００４７】
ＤｗＰＴＳは、端末での初期セルサーチ、同期化またはチャネル推定に使用される。ＵｐＰＴＳは、基地局でのチャネル推定と端末のアップリンク送信同期とを合せるのに使用される。ＧＰは、アップリンクとダウンリンクとの間にダウンリンク信号の多重経路の遅延によりアップリンクにおいて生じる干渉を除去するための区間である。
【００４８】
各サブフレームｉは、各Ｔ＿ｓｌｏｔ＝１５３６０＊Ｔ＿ｓ＝０．５ｍｓ長さのスロット２ｉ及びスロット２ｉ＋１から構成される。
【００４９】
アップリンク−ダウンリンク構成は、７通りに区分されることができ、各構成別にダウンリンクサブフレーム、スペシャルサブフレーム、アップリンクサブフレームの位置及び／または数が異なる。
【００５０】
ダウンリンクからアップリンクに変更される時点またはアップリンクからダウンリンクに切り替えられる時点を切り替え時点（ｓｗｉｔｃｈｉｎｇ  ｐｏｉｎｔ）という。切り替え時点の周期性（Ｓｗｉｔｃｈ−ｐｏｉｎｔ  ｐｅｒｉｏｄｉｃｉｔｙ）は、アップリンクサブフレームとダウンリンクサブフレームが切り替えられる様相が同様に繰り返される周期を意味し、５ｍｓまたは１０ｍｓが全て支援される。５ｍｓダウンリンク−アップリンク切り替え時点の周期を有する場合には、スペシャルサブフレーム（Ｓ）は、ハーフ−フレーム毎に存在し、５ｍｓダウンリンク−アップリンク切り替え時点の周期を有する場合には、１番目のハーフ−フレームだけに存在する。
【００５１】
すべての構成において、０番、５番サブフレーム及びＤｗＰＴＳは、ダウンリンク送信だけのための区間である。ＵｐＰＴＳ及びサブフレームサブフレームに直ちにつながるサブフレームは、常にアップリンク送信のための区間である。
【００５２】
このような、アップリンク−ダウンリンク構成はシステム情報であって、基地局と端末ともが知っていることができる。基地局は、アップリンク−ダウンリンク構成情報が変わる毎に構成情報のインデックスだけを送信することにより、無線フレームのアップリンク−ダウンリンク割り当て状態の変更を端末に知らせることができる。また、構成情報は、一種のダウンリンク制御情報として他のスケジューリング情報と同様にＰＤＣＣＨ（Ｐｈｙｓｉｃａｌ  Ｄｏｗｎｌｉｎｋ  ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内のすべての端末に共通に送信されることもできる。
【００５３】
表２は、スペシャルサブフレームの構成（ＤｗＰＴＳ／ＧＰ／ＵｐＰＴＳの長さ）を示す。
【００５４】
【表２】
0006968914.tif 000003
【００５５】
図１の例示による無線フレームの構造は、１つの例示に過ぎず、無線フレームに含まれる副搬送波の数またはサブフレームに含まれるスロットの数、スロットに含まれるＯＦＤＭシンボルの数は、様々に変更されることができる。
【００５６】
図２は、本発明が適用されることができる無線通信システムにおける１つのダウンリンクスロットに対する資源グリッド（ｒｅｓｏｕｒｃｅ  ｇｒｉｄ）を示した図である。
【００５７】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００５８】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数Ｎ^DLは、ダウンリンク送信帯域幅（ｂａｎｄｗｉｄｔｈ）に従属する。
【００５９】
アップリンクスロットの構造は、ダウンリンクスロットの構造と同一でありうる。
【００６０】
図３は、本発明が適用されることができる無線通信システムにおけるダウンリンクサブフレームの構造を示す。
【００６１】
図３に示すように、サブフレーム内の第１番目のスロットにおいて前の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００６２】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域のサイズ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００６３】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位階層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００６４】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００６５】
図４は、本発明が適用されることができる無線通信システムにおけるアップリンクサブフレームの構造を示す。
【００６６】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００６７】
１つの端末に対するＰＵＣＣＨには、サブフレーム内に資源ブロック（ＲＢ：Ｒｅｓｏｕｒｃｅ  Ｂｌｏｃｋ）対が割り当てられる。ＲＢ対に属するＲＢは、２個のスロットの各々で互いに異なる副搬送波を占める。これをＰＵＣＣＨに割り当てられたＲＢ対は、スロット境界（ｓｌｏｔ  ｂｏｕｎｄａｒｙ）から周波数跳躍（ｆｒｅｑｕｅｎｃｙ  ｈｏｐｐｉｎｇ）されるという。
【００６８】
ＭＩＭＯ（Ｍｕｌｔｉ−Ｉｎｐｕｔ  Ｍｕｌｔｉ−Ｏｕｔｐｕｔ）
【００６９】
ＭＩＭＯ技術は、いままで一般に１個の送信アンテナと１個の受信アンテナを使用したことから脱皮して、多重送信（Ｔｘ）アンテナと多重受信（Ｒｘ）アンテナを使用する。言い換えれば、ＭＩＭＯ技術は、無線通信システムの送信端または受信端で多重入出力アンテナを使用して用量増大または性能改善を図る技術である。以下、「ＭＩＭＯ」を「多重入出力アンテナ」と称する。
【００７０】
さらに具体的に、多重入出力アンテナ技術は、１つの完全なメッセージ（ｔｏｔａｌ  ｍｅｓｓａｇｅ）を受信するために、１個のアンテナ経路に依存せず、いくつかのアンテナを介して受信した複数のデータ片を収集して完全なデータを完成させる。結果的に、多重入出力アンテナ技術は、特定システム範囲内でデータ送信率を増加させることができ、また特定データ送信率を介してシステム範囲を増加させることができる。
【００７１】
次世代移動通信は、従来の移動通信に比べて、はるかに高いデータ送信率を要求するので、効率的な多重入出力アンテナ技術が必ず必要であると予想される。このような状況でＭＩＭＯ通信技術は、移動通信端末と中継器などに幅広く使用できる次世代移動通信技術であり、データ通信拡大などにより限界状況に応じて他の移動通信の送信量限界を克服できる技術として関心を集めている。
【００７２】
一方、現在研究されている様々な送信効率向上技術のうち、多重入出力アンテナ（ＭＩＭＯ）技術は、追加的な周波数割り当てまたは電力増加がなくても、通信用量及び送受信性能を画期的に向上させることができる方法として、現在最も大きな注目を受けている。
【００７３】
図５は、一般的な多重入出力アンテナ（ＭＩＭＯ）通信システムの構成図である。
【００７４】
図５を参照すると、送信アンテナの数をＮ＿Ｔ個に、受信アンテナの数をＮ＿Ｒ個に同時に増やすようになると、送信機または受信機においてのみ複数のアンテナを使用するようになる場合とは異なり、アンテナ数に比例して理論的なチャネル送信用量が増加するので、送信レート（ｔｒａｎｓｆｅｒ  ｒａｔｅ）を向上させ、周波数効率を画期的に向上させることができる。この場合、チャネル送信用量の増加に応じる送信レートは、１つのアンテナを用いる場合の最大送信レート（Ｒ＿ｏ）に次のようなレート増加率（Ｒ＿ｉ）がかけ算された分だけ理論的に増加できる。
【００７５】
【数１】
0006968914.tif 000004
【００７６】
すなわち、例えば、４個の送信アンテナと４個の受信アンテナを用いるＭＩＭＯ通信システムでは、単一アンテナシステムに比べて理論上４倍の送信レートを取得できる。
【００７７】
このような多重入出力アンテナの技術は、様々なチャネル経路を通過したシンボルを用いて送信信頼度を高める空間ダイバーシチ（ｓｐａｔｉａｌ  ｄｉｖｅｒｓｉｔｙ）方式と、複数の送信アンテナを用いて複数のデータシンボルを同時に送信して送信率を向上させる空間マルチプレクス（ｓｐａｔｉａｌ  ｍｕｌｔｉｐｌｅｘｉｎｇ）方式とに分けられる。また、このような２種類の方式を適切に結合して、各々の長所を適切に得ようとする方式に対する研究も最近多く研究されている分野である。
【００７８】
各々の方式について、さらに詳細に述べると、以下のとおりである。
【００７９】
第１に、空間ダイバーシチ方式の場合には、時空間ブロック符号系列と、ダイバーシチ利得と符号化利得を同時に用いる時空間トレリス（Ｔｒｅｌｉｓ）符号系列方式がある。一般に、ビットエラー率改善性能と符号生成自由度は、トレリス符号方式が優秀であるが、演算複雑度は、時空間ブロック符号が簡単である。このような空間ダイバーシチ利得は、送信アンテナ数（Ｎ＿Ｔ）と受信アンテナ数（Ｎ＿Ｒ）とのかけ算（Ｎ＿Ｔ×Ｎ＿Ｒ）に該当する量を得ることができる。
【００８０】
第２に、空間マルチプレクス技法は、各送信アンテナで互いに異なるデータ列を送信する方法であって、ことのとき、受信機では、送信機から同時に送信されたデータ間に相互干渉が発生するようになる。受信機では、この干渉を適切な信号処理技法を用いて除去した後に受信する。ここに用いられる雑音除去方式は、ＭＬＤ（ｍａｘｉｍｕｍ  ｌｉｋｅｌｉｈｏｏｄ  ｄｅｔｅｃｔｉｏｎ）受信機、ＺＦ（ｚｅｒｏ−ｆｏｒｃｉｎｇ）受信機、ＭＭＳＥ（ｍｉｎｉｍｕｍ  ｍｅａｎ  ｓｑｕａｒｅ  ｅｒｒｏｒ）受信機、Ｄ−ＢＬＡＳＴ（Ｄｉａｇｏｎａｌ−Ｂｅｌｌ  Ｌａｂｏｒａｔｏｒｉｅｓ  Ｌａｙｅｒｅｄ  Ｓｐａｃｅ−Ｔｉｍｅ）、Ｖ−ＢＬＡＳＴ（Ｖｅｒｔｉｃａｌ−Ｂｅｌｌ  Ｌａｂｏｒａｔｏｒｉｅｓ  Ｌａｙｅｒｅｄ  Ｓｐａｃｅ−Ｔｉｍｅ）などがあり、特に送信端でチャネル情報が分かる場合には、ＳＶＤ（ｓｉｎｇｕｌａｒ  ｖａｌｕｅ  ｄｅｃｏｍｐｏｓｉｔｉｏｎ）方式などを使用することができる。
【００８１】
第３に、空間ダイバーシチと空間マルチプレクスの結合された技法を例に挙げることができる。空間ダイバーシチ利得だけを得る場合、ダイバーシチ次数の増加に応じる性能改善利得が順次飽和され、空間マルチプレクス利得だけを取ると、無線チャネルにおいて送信信頼度が低下する。これを解決しながら２通りの利得を全部得る方式が研究されてきたし、このうち、時空間ブロック符号（Ｄｏｕｂｌｅ−ＳＴＴＤ）、時空間ＢＩＣＭ（ＳＴＢＩＣＭ）などの方式がある。
【００８２】
上述のような多重入出力アンテナシステムにおける通信方法をさらに具体的な方法で説明するために、これを数学的にモデリングする場合、以下のように表すことができる。
【００８３】
まず、図５に示すように、Ｎ＿Ｔ個の送信アンテナとＮ＿Ｒ個の受信アンテナが存在すると仮定する。
【００８４】
まず、送信信号について述べると、このようにＮ＿Ｔ個の送信アンテナがある場合、最大送信可能な情報は、Ｎ＿Ｔ個であるから、これを以下のようなベクトルで表すことができる。
【００８５】
【数２】
0006968914.tif 000005
【００８６】
一方、各々の送信情報ｓ＿１，ｓ＿２，．．．，ｓ＿Ｎ＿Ｔにおいて送信電力を異なるようにすることができ、このとき、各々の送信電力をＰ＿１，Ｐ＿２，．．．，Ｐ＿Ｎ＿Ｔとすると、送信電力が調整された送信情報は、次のようなベクトルで表すことができる。
【００８７】
【数３】
0006968914.tif 000006
【００８８】
また、式３の送信電力が調整された送信情報を以下のように送信電力の対角行列Ｐで表すことができる。
【００８９】
【数４】
0006968914.tif 000007
【００９０】
一方、式４の送信電力の調整された情報ベクトルは、その後に加重値行列Ｗがかけ算されて、実際送信されるＮ＿Ｔ個の送信信号ｘ＿１，ｘ＿２，．．．，ｘ＿Ｎ＿Ｔを構成する。ここで、加重値行列は、送信チャネル状況などによって送信情報を各アンテナに適切に分配する機能を行う。このような送信信号ｘ＿１，ｘ＿２，．．．，ｘ＿Ｎ＿Ｔをベクトルｘを用いて、以下のように表すことができる。
【００９１】
【数５】
0006968914.tif 000008
【００９２】
ここで、ｗ＿ｉｊは、ｉ番目の送信アンテナとｊ番目の送信情報間の加重値を表し、Ｗは、これを行列で表したものである。このような行列Ｗを加重値行列（Ｗｅｉｇｈｔ  Ｍａｔｒｉｘ）またはプリコーディング行列（Ｐｒｅｃｏｄｉｎｇ  Ｍａｔｒｉｘ）と呼ぶ。
【００９３】
一方、上述のような送信信号（ｘ）は、空間ダイバーシチを使用する場合と空間マルチプレクッスを使用する場合とに分けて考えることができる。
【００９４】
空間マルチプレクッスを使用する場合は、互いに異なる信号を多重化して送信するようになるので、情報ベクトルｓの元素が全部異なる値を有するようになることに対し、空間ダイバーシチを使用するようになると、同じ信号を複数のチャネル経路を介して送信するようになるので、情報ベクトルｓの元素が全部同じ値を有するようになる。
【００９５】
もちろん、空間マルチプレックスと空間ダイバーシチを混合する方法も考慮可能である。すなわち、例えば、３個の送信アンテナを介して同じ信号を空間ダイバーシチを用いて送信し、残りは、各々異なる信号を空間マルチプレックスして送信する場合も考慮することができる。
【００９６】
次に、受信信号は、Ｎ＿Ｒ個の受信アンテナがある場合、各アンテナの受信信号ｙ＿１，ｙ＿２，．．．，ｙ＿Ｎ＿Ｒをベクトルｙで次のように表す。
【００９７】
【数６】
0006968914.tif 000009
【００９８】
一方、多重入出力アンテナ通信システムにおけるチャネルをモデリングする場合、各々のチャネルは、送受信アンテナインデックスに応じて区分でき、送信アンテナｊから受信アンテナｉを経るチャネルをｈ＿ｉｊで表示することにする。ここで、ｈ＿ｉｊのインデックスの順序が受信アンテナインデックスが先、送信アンテナのインデックスが後であることに留意する。
【００９９】
このようなチャネルは、いくつかを１つにグループ化してベクトル及び行列形態でも表示可能である。ベクトル表示の例を挙げて説明すると、以下のとおりである。
【０１００】
図６は、複数の送信アンテナから１つの受信アンテナへのチャネルを示した図である。
【０１０１】
図６に示すように、合計Ｎ＿Ｔ個の送信アンテナから受信アンテナｉへ到着するチャネルは、次のように表現可能である。
【０１０２】
【数７】
0006968914.tif 000010
【０１０３】
また、前記式７のような行列表現により、Ｎ＿Ｔ個の送信アンテナからＮ＿Ｒ個の受信アンテナを経るチャネルを全部表す場合、以下のように表すことができる。
【０１０４】
【数８】
0006968914.tif 000011
【０１０５】
一方、実際チャネルは、上記のようなチャネル行列Ｈを経た後に白色雑音（ＡＷＧＮ：Ａｄｄｉｔｉｖｅ  Ｗｈｉｔｅ  Ｇａｕｓｓｉａｎ  Ｎｏｉｓｅ）が加算されるので、Ｎ＿Ｒ個の受信アンテナの各々に加算される白色雑音ｎ＿１，ｎ＿２，．．．，ｎ＿Ｎ＿Ｒをベクトルで表現すると、以下のとおりである。
【０１０６】
【数９】
0006968914.tif 000012
【０１０７】
上述のような送信信号、受信信号、チャネル、及び白色雑音のモデリングを介して多重入出力アンテナ通信システムでの各々は、次のような関係を介して表すことができる。
【０１０８】
【数１０】
0006968914.tif 000013
【０１０９】
一方、チャネルの状態を表すチャネル行列Ｈの行と列の数は、送受信アンテナ数によって決定される。チャネル行列Ｈは、上述のように行の数は、受信アンテナの数Ｎ＿Ｒのようなくなり、列の数は、送信アンテナの数Ｎ＿Ｔのようなくなる。すなわち、チャネル行列Ｈは、Ｎ＿Ｒ×Ｎ＿Ｔ行列になる。
【０１１０】
一般に、行列のランク（ｒａｎｋ）は、互いに独立である（ｉｎｄｅｐｅｎｄｅｎｔ）行または列の数の中で最小数で定義される。したがって、行列のランクは、行または列の数より大きくなってはならない。数式的に例を挙げると、チャネル行列Ｈのランク（ｒａｎｋ（Ｈ））は、次のように制限される。
【０１１１】
【数１１】
0006968914.tif 000014
【０１１２】
また、行列を固有値分解（Ｅｉｇｅｎ  ｖａｌｕｅ  ｄｅｃｏｍｐｏｓｉｔｉｏｎ）をしたとき、ランクは、固有値（ｅｉｇｅｎ  ｖａｌｕｅ）のうち、０でない固有値の数で定義することができる。類似した方法で、ランクをＳＶＤ（ｓｉｎｇｕｌａｒ  ｖａｌｕｅ  ｄｅｃｏｍｐｏｓｉｔｉｏｎ）したとき、０でない特異値（ｓｉｎｇｕｌａｒ  ｖａｌｕｅ）の数で定義することができる。したがって、チャネル行列においてランクの物理的な意味は、与えられたチャネルで互いに異なる情報を送ることができる最大数ということができる。
【０１１３】
本明細書において、ＭＩＭＯ送信に対する「ランク（Ｒａｎｋ）」は、特定時点及び特定周波数資源において独立的に信号を送信できる経路の数を表し、「レイヤー（ｌａｙｅｒ）の数」は、各経路を介して送信される信号ストリームの数を表す。一般に、送信端は、信号送信に用いられるランク数に対応する数のレイヤーを送信するから、別の言及がない限り、ランクは、レイヤー数のような意味を有する。
【０１１４】
参照信号（ＲＳ：Ｒｅｆｅｒｅｎｃｅ  Ｓｉｇｎａｌ）
【０１１５】
無線通信システムにおけるデータは無線チャネルを介して送信されるので、信号は送信中に歪曲されることがある。受信端で歪曲された信号を正確に受信するために、受信された信号の歪曲はチャネル情報を用いて補正されなければならない。チャネル情報を検出するために送信側と受信側の両方とも知っている信号送信方法と信号がチャネルを介して送信されるとき、歪曲された程度を用いてチャネル情報を検出する方法を主に用いる。前述した信号をパイロット信号または参照信号（ＲＳ：ｒｅｆｅｒｅｎｃｅ  ｓｉｇｎａｌ）という。
【０１１６】
また、最近、大部分の移動通信システムでパケットを送信するとき、今まで１つの送信アンテナと１つの受信アンテナを使用したことから脱皮して、多重送信アンテナと多重受信アンテナを採択して送受信データ効率を向上させることができる方法を使用する。多重入出力アンテナを用いてデータを送受信するとき、信号を正確に受信するために送信アンテナと受信アンテナとの間のチャネル状態が検出されなければならない。したがって、各送信アンテナは個別的な参照信号を有しなければならない。
【０１１７】
移動通信システムにおけるＲＳはその目的によって２つに大別できる。チャネル状態情報取得のための目的のＲＳとデータ復調のために使用されるＲＳがある。前者はＵＥがダウンリンクへのチャネル状態情報を取得することにその目的があるので、広帯域に送信されなければならず、特定サブフレームでダウンリンクデータを受信しないＵＥでもそのＲＳを受信し測定できなければならない。また、これはハンドオーバーなどの無線資源無線資源管理（ＲＲＭ：Ｒａｄｉｏ  Ｒｅｓｏｕｒｃｅ  Ｍａｎａｇｅｍｅｎｔ）測定などのためにも使用される。後者は、基地局がダウンリンクを送る時、該当リソースに共に送るＲＳであって、ＵＥは該当ＲＳを受信することによってチャネル推定を行うことができ、したがって、データを復調できるようになる。このＲＳはデータが送信される領域に送信されなければならない。
【０１１８】
下向き参照信号はセル内の全ての端末が共有するチャネル状態に関する情報取得及びハンドオーバーの測定などのための１つの共通参照信号（ＣＲＳ：ｃｏｍｍｏｎ  ＲＳ）と特定端末のみのためにデータ復調のために使用される専用参照信号（ｄｅｄｉｃａｔｅｄ  ＲＳ）がある。このような参照信号を用いて復調（ｄｅｍｏｄｕｌａｔｉｏｎ）とチャネル測定（ｃｈａｎｎｅｌ  ｍｅａｓｕｒｅｍｅｎｔ）のための情報を提供することができる。すなわち、ＤＲＳはデータ復調用のみに使われ、ＣＲＳはチャネル情報取得及びデータ復調の２つの目的に全て使用される。
【０１１９】
受信側（すなわち、端末）はＣＲＳからチャネル状態を測定し、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）及び／又はＲＩ（Ｒａｎｋ  Ｉｎｄｉｃａｔｏｒ）のようなチャネル品質と関連した指示子を送信側（すなわち、基地局）にフィードバックする。ＣＲＳは、セル特定基準信号（ｃｅｌｌ−ｓｐｅｃｉｆｉｃ  ＲＳ）ともいう。一方、チャネル状態情報（ＣＳＩ：Ｃｈａｎｎｅｌ  Ｓｔａｔｅ  Ｉｎｆｏｒｍａｔｉｏｎ）のフィードバックと関連した参照信号をＣＳＩ−ＲＳと定義することができる。
【０１２０】
ＤＲＳは、ＰＤＳＣＨ上記のデータ復調を必要とする場合、資源要素を通じて送信できる。端末は上位階層を通じてＤＲＳの存否を受信することができ、相応するＰＤＳＣＨがマッピングされたときのみに有効である。ＤＲＳを端末特定参照信号（ＵＥ−ｓｐｅｃｉｆｉｃ  ＲＳ）または復調参照信号（ＤＭＲＳ：Ｄｅｍｏｄｕｌａｔｉｏｎ  ＲＳ）ということができる。
【０１２１】
図７は、本発明が適用できる無線通信システムにおけるダウンリンク資源ブロック対にマッピングされた参照信号パターンを例示する。
【０１２２】
図７を参照すると、参照信号がマッピングされる単位でダウンリンク資源ブロック対は時間領域で１つのサブフレーム×周波数領域で１２個の副搬送波で示すことができる。すなわち、時間軸（ｘ軸）上で１つの資源ブロック対は一般循環前置（ｎｏｒｍａｌ  ＣＰ：ｎｏｒｍａｌ  Ｃｙｃｌｉｃ  Ｐｒｅｆｉｘ）の場合、１４個のＯＦＤＭシンボルの長さを有し（図７（ａ）の場合）、拡張循環前置（ｅｘｔｅｎｄｅｄ  ＣＰ：ｅｘｔｅｎｄｅｄ  Ｃｙｃｌｉｃ  Ｐｒｅｆｉｘ）の場合、１２個のＯＦＤＭシンボルの長さを有する（図７（ｂ）の場合）。資源ブロック格子で‘０’、‘１’、‘２’、及び‘３’と記載された資源要素（ＲＥｓ）は各々アンテナポートインデックス‘０’、‘１’、‘２’、及び‘３’のＣＲＳの位置を意味し、‘Ｄ’と記載された資源要素はＤＲＳの位置を意味する。
【０１２３】
以下、ＣＲＳに対してより詳細に記述すると、ＣＲＳは物理的アンテナのチャネルを推定するために使われ、セル内に位置した全ての端末に共通的に受信できる参照信号として全体周波数帯域に分布する。すなわち、このＣＲＳはｃｅｌｌ−ｓｐｅｃｉｆｉｃなシグナルであって、広帯域に対して毎サブフレーム毎に送信される。また、ＣＲＳはチャネル品質情報（ＣＳＩ）及びデータ復調のために利用できる。
【０１２４】
ＣＲＳは送信側（基地局）でのアンテナ配列によって様々なフォーマットに定義される。３ＧＰＰ  ＬＴＥシステム（例えば、リリーズ−８）では、基地局の送信アンテナ個数によって最大４個のアンテナポートに対するＲＳが送信される。ダウンリンク信号送信側は単一の送信アンテナ、２個の送信アンテナ、及び４個の送信アンテナのように、３種類のアンテナ配列を有する。例えば、基地局の送信アンテナの個数が２個の場合は０番と１番アンテナポートに対するＣＲＳが送信され、４個の場合は０〜３番アンテナポートに対するＣＲＳが各々送信される。基地局の送信アンテナが４個の場合、１つのＲＢでのＣＲＳパターンは図７の通りである。
【０１２５】
基地局が単一の送信アンテナを使用する場合、単一アンテナポートのための参照信号が配列される。
【０１２６】
基地局が２個の送信アンテナを使用する場合、２個の送信アンテナポートのための参照信号は時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を用いて配列される。すなわち、２個のアンテナポートのための参照信号は各々が区別されるために互いに異なる時間資源及び／又は互いに異なる周波数資源が割り当てられる。
【０１２７】
なお、基地局が４個の送信アンテナを使用する場合、４個の送信アンテナポートのための参照信号はＴＤＭ及び／又はＦＤＭ方式を用いて配列される。ダウンリンク信号の受信側（端末）により測定されたチャネル情報は、単一の送信アンテナ送信、送信ダイバーシチ、閉ループ空間多重化（ｃｌｏｓｅｄ−ｌｏｏｐ  ｓｐａｔｉａｌ  ｍｕｌｔｉｐｌｅｘｉｎｇ）、開ループ空間多重化（ｏｐｅｎ−ｌｏｏｐ  ｓｐａｔｉａｌ  ｍｕｌｔｉｐｌｅｘｉｎｇ）、または多重ユーザ−多重入出力アンテナ（ｍｕｌｔｉ−Ｕｓｅｒ  ＭＩＭＯ((Multi Input Multi Output))のような送信方式を用いて送信されたデータを復調するために使用されることができる。
【０１２８】
多重入出力アンテナが支援される場合、参照信号が特定のアンテナポートから送信されるとき、前記参照信号は参照信号のパターンによって特定された資源要素の位置に送信され、異なるアンテナポートのために特定された資源要素の位置に送信されない。すなわち、互いに異なるアンテナ間の参照信号は互いに重ならない。
【０１２９】
以下、ＤＲＳに対してより詳細に記述すると、ＤＲＳはデータを復調するために使用される。多重入出力アンテナ送信で特定の端末のために使用される先行符号化（ｐｒｅｃｏｄｉｎｇ）加重値は、端末が参照信号を受信した時、各送信アンテナから送信された送信チャネルと結合されて相応するチャネルを推定するために変更無しで使用される。
【０１３０】
３ＧＰＰ  ＬＴＥシステム（例えば、リリーズ−８）は、最大４個の送信アンテナを支援し、ランク１ビームフォーミング（ｂｅａｍｆｏｒｍｉｎｇ）のためのＤＲＳが定義される。ランク１ビームフォーミングのためのＤＲＳは、またアンテナポートインデックス５のための参照信号を示す。
【０１３１】
ＬＴＥシステムの進化発展した形態のＬＴＥ−Ａシステムで基地局のダウンリンクに最大８個の送信アンテナが支援できるようにデザインされなければならない。したがって、最大８個の送信アンテナに対するＲＳも支援されなければならない。ＬＴＥシステムでダウンリンクＲＳは最大４個のアンテナポートに対するＲＳのみ定義されているので、ＬＴＥ−Ａシステムで基地局が４個以上最大８個のダウンリンク送信アンテナを有する場合、これらアンテナポートに対するＲＳが追加的に定義されデザインされなければならない。最大８個の送信アンテナポートに対するＲＳは、前述したチャネル測定のためのＲＳとデータ復調のためのＲＳの２つが全てデザインされなければならない。
【０１３２】
ＬＴＥ−Ａシステムをデザインするに当たって、重要な考慮事項のうちの１つは、下位互換性（ｂａｃｋｗａｒｄ  ｃｏｍｐａｔｉｂｉｌｉｔｙ）、すなわちＬＴＥ端末がＬＴＥ−Ａシステムでも何の無理なく、よく動作しなければならず、システムもこれを支援しなければならないことである。ＲＳ送信の観点からみなすと、ＬＴＥで定義されているＣＲＳが全帯域に毎サブフレーム毎に送信される時間−周波数領域で追加的に最大８個の送信アンテナポートに対するＲＳが追加的に定義されなければならない。ＬＴＥ−Ａシステムで既存ＬＴＥのＣＲＳのような方式により最大８個の送信アンテナに対するＲＳパターンを毎サブフレーム毎に全帯域に追加するようになれば、ＲＳオーバーヘッドが大きすぎるようになる。
【０１３３】
したがって、ＬＴＥ−Ａシステムで新しくデザインされるＲＳは２つに大別されるが、ＭＣＳ、ＰＭＩなどの選択のためのチャネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳなど）と８個の送信アンテナに送信されるデータ復調のためのＲＳ（ＤＭ−ＲＳ：Ｄａｔａ  Ｄｅｍｏｄｕｌａｔｉｏｎ−ＲＳ）である。
【０１３４】
チャネル測定目的のＣＳＩ−ＲＳは既存のＣＲＳがチャネル測定、ハンドオーバーなどの測定などの目的のように、データ復調のために使用されることとは異なり、チャネル測定中心の目的のためにデザインされる特徴がある。勿論これもまたハンドオーバーなどの測定などの目的に使用されることもできる。ＣＳＩ−ＲＳがチャネル状態に関する情報を得る目的のみに送信されるので、ＣＲＳとは異なり、毎サブフレーム毎に送信されなくてもよい。ＣＳＩ−ＲＳのオーバーヘッドを減らすためにＣＳＩ−ＲＳは時間軸上で間歇的に送信される。
【０１３５】
データ復調のために該当時間−周波数領域でスケジューリングされたＵＥに専用的（ｄｅｄｉｃａｔｅｄ）にＤＭ−ＲＳが送信される。すなわち、特定ＵＥのＤＭ−ＲＳは当該ＵＥがスケジューリングされた領域、すなわちデータの受信を受ける時間−周波数領域のみに送信されるものである。
【０１３６】
ＬＴＥ−Ａシステムで基地局のダウンリンクに最大８個の送信アンテナを支援する。ＬＴＥ−Ａシステムで既存ＬＴＥのＣＲＳのような方式により最大８個の送信アンテナに対するＲＳを毎サブフレーム毎に全帯域に送信するようになれば、ＲＳオーバーヘッドが大きすぎるようになる。したがって、ＬＴＥ−Ａシステムでは、ＭＣＳ、ＰＭＩなどの選択のためのＣＳＩ測定目的のＣＳＩ−ＲＳとデータ復調のためのＤＭ−ＲＳに分離されて２つのＲＳが追加された。ＣＳＩ−ＲＳはＲＲＭ測定などの目的に使用されることもできるが、ＣＳＩ取得の主目的のためにデザインされた。ＣＳＩ−ＲＳはデータ復調に使われないので、毎サブフレーム毎に送信される必要はない。したがって、ＣＳＩ−ＲＳのオーバーヘッドを減らすために時間軸上で間歇的に送信するようにする。すなわち、ＣＳＩ−ＲＳは１サブフレームの整数倍の周期で周期的に送信されるか、または特定送信パターンに送信できる。この際、ＣＳＩ−ＲＳが送信される周期やパターンはｅＮＢが設定することができる。
【０１３７】
データ復調のためには該当時間−周波数領域でスケジューリングされたＵＥにｄｅｄｉｃａｔｅｄにＤＭ−ＲＳが送信される。すなわち、特定ＵＥのＤＭ−ＲＳは当該ＵＥがスケジューリングされた領域、すなわちデータの受信を受ける時間−周波数領域のみに送信される。
【０１３８】
ＣＳＩ−ＲＳを測定するためにＵＥは必ず自分が属したセルの各々のＣＳＩ−ＲＳアンテナポートに対するＣＳＩ−ＲＳの送信サブフレームインデックス、送信サブフレーム内でＣＳＩ−ＲＳ資源要素（ＲＥ）時間−周波数の位置、そしてＣＳＩ−ＲＳシーケンスなどに関する情報を知っていなければならない。
【０１３９】
ＬＴＥ−ＡシステムにｅＮＢはＣＳＩ−ＲＳを最大８個のアンテナポートに対して各々送信しなければならない。互いに異なるアンテナポートのＣＳＩ−ＲＳ送信のために使用される資源は互いに直交（ｏｒｔｈｏｇｏｎａｌ）しなければならない。１つのｅＮＢが互いに異なるアンテナポートに対するＣＳＩ−ＲＳを送信するとき、各々のアンテナポートに対するＣＳＩ−ＲＳを互いに異なるＲＥにマッピングすることにより、ＦＤＭ／ＴＤＭ方式によりこれらの資源を直交（ｏｒｔｈｏｇｏｎａｌ）に割り当てることができる。または、互いに異なるアンテナポートに対するＣＳＩ−ＲＳを互いに直交（ｏｒｔｈｏｇｏｎａｌ）なコードにマッピングさせるＤＭ方式により送信することができる。
【０１４０】
ＣＳＩ−ＲＳに関する情報をｅＮＢが自分のセルＵＥに知らせる時、まず各アンテナポートに対するＣＳＩ−ＲＳがマッピングされる時間−周波数に関する情報を知らせなければならない。具体的に、ＣＳＩ−ＲＳが送信されるサブフレーム番号、またはＣＳＩ−ＲＳが送信される周期、ＣＳＩ−ＲＳが送信されるサブフレームオフセットであり、特定アンテナのＣＳＩ−ＲＳ  ＲＥが送信されるＯＦＤＭシンボル番号、周波数間隔（ｓｐａｃｉｎｇ）、周波数軸でのＲＥのオフセット、またはシフト値などがある。
【０１４１】
ＣＳＩ−ＲＳは１個、２個、４個、または８個のアンテナポートを介して送信される。この際、使用されるアンテナポートは、各々ｐ＝１５、ｐ＝１５、１６、ｐ＝１５，．．．，１８、ｐ＝１５，．．．，２２である。ＣＳＩ−ＲＳはサブキャリア間隔Δｆ＝１５ｋＨｚに対してのみ定義されることができる。
【０１４２】
ＣＳＩ−ＲＳ送信のために設定されたサブフレーム内で、ＣＳＩ−ＲＳシーケンスは以下の式１２のように各アンテナポート（ｐ）上記の参照シンボル（ｒｅｆｅｒｅｎｃｅ  ｓｙｍｂｏｌ）として用いられる複素変調シンボル（ｃｏｍｐｌｅｘ−ｖａｌｕｅｄ  ｍｏｄｕｌａｔｉｏｎ  ｓｙｍｂｏｌ）ａ＿ｋ、ｌ^（ｐ）にマッピングされる。
【０１４３】
【数１２】
0006968914.tif 000015
【０１４４】
前記式１２で、（ｋ’、ｌ’）（ここで、ｋ’は資源ブロック内の副搬送波インデックスであり、ｌ’はスロット内のＯＦＤＭシンボルインデックスを示す。）及びｎ＿ｓの条件は以下の表３または表４のようなＣＳＩ−ＲＳ設定（ｃｏｎｆｉｇｕｒａｔｉｏｎ）によって決定される。
【０１４５】
表３は、一般ＣＰでＣＳＩ−ＲＳ構成から（ｋ’、ｌ’）のマッピングを例示する。
【０１４６】
【表３】
0006968914.tif 000016
【０１４７】
表４は、拡張ＣＰでＣＳＩ−ＲＳ構成から（ｋ'、ｌ'）のマッピングを例示する。
【０１４８】
【表４】
0006968914.tif 000017
【０１４９】
表３及び表４を参照すると、ＣＳＩ−ＲＳの送信において、異種ネットワーク（ＨｅｔＮｅｔ：ｈｅｔｅｒｏｇｅｎｅｏｕｓ  ｎｅｔｗｏｒｋ）環境を含んでマルチセル環境でセル間干渉（ＩＣＩ：ｉｎｔｅｒ−ｃｅｌｌ  ｉｎｔｅｒｆｅｒｅｎｃｅ）を減らすために、最大３２個（一般ＣＰの場合）または最大２８個（拡張ＣＰの場合）の互いに異なる構成（ｃｏｎｆｉｇｕｒａｔｉｏｎ）が定義される。
【０１５０】
ＣＳＩ−ＲＳ構成はセル内のアンテナポートの個数及びＣＰによって互いに異なり、隣接したセルは最大限互いに異なる構成を有することができる。また、ＣＳＩ−ＲＳ構成はフレーム構造によってＦＤＤフレームとＴＤＤフレームに全て適用する場合と、ＴＤＤフレームのみに適用する場合とに分けられる。
【０１５１】
表３及び表４に基づいてＣＳＩ−ＲＳ構成によって（ｋ'、ｌ'）及びｎ＿ｓが定まり、各ＣＳＩ−ＲＳアンテナポートによってＣＳＩ−ＲＳ送信に用いる時間−周波数資源が決定される。
【０１５２】
図８は、本発明が適用できる無線通信システムにおける参照信号がマッピングされる資源を例示する図である。
【０１５３】
図８（ａ）は１個または２個のＣＳＩ−ＲＳアンテナポートによるＣＳＩ−ＲＳ送信に使用可能な２０種類のＣＳＩ−ＲＳ構成を示すものであり、図８（ｂ）は４個のＣＳＩ−ＲＳアンテナポートにより使用可能な１０種類のＣＳＩ−ＲＳ構成を示すものであり、図８（ｃ）は８個のＣＳＩ−ＲＳアンテナポートによりＣＳＩ−ＲＳ送信に使用可能な５種類のＣＳＩ−ＲＳ構成を示すものである。
【０１５４】
このように、各ＣＳＩ−ＲＳ構成によってＣＳＩ−ＲＳが送信される無線資源（すなわち、ＲＥ対）が決定される。
【０１５５】
特定セルに対してＣＳＩ−ＲＳ送信のために１個あるいは２個のアンテナポートが設定されれば、図８（ａ）に図示された２０種類のＣＳＩ−ＲＳ構成のうち、設定されたＣＳＩ−ＲＳ構成にしたがう無線資源上でＣＳＩ−ＲＳが送信される。
【０１５６】
同様に、特定セルに対してＣＳＩ−ＲＳ送信のために４個のアンテナポートが設定されれば、図８（ｂ）に図示された１０種類のＣＳＩ−ＲＳ構成のうち、設定されたＣＳＩ−ＲＳ構成にしたがう無線資源上でＣＳＩ−ＲＳが送信される。また、特定セルに対してＣＳＩ−ＲＳ送信のために８個のアンテナポートが設定されれば、図８（ｃ）に図示された５種類のＣＳＩ−ＲＳ構成のうち、設定されたＣＳＩ−ＲＳ構成にしたがう無線資源上でＣＳＩ−ＲＳが送信される。
【０１５７】
２個のアンテナポート別（すなわち、｛１５，１６｝、｛１７，１８｝、｛１９，２０｝、｛２１，２２｝）に各々のアンテナポートに対するＣＳＩ−ＲＳは同一な無線資源にＣＤＭされて送信される。アンテナポート１５及び１６を例に挙げれば、アンテナポート１５及び１６に対する各々のＣＳＩ−ＲＳ複素シンボルは同一であるが、互いに異なる直交コード（例えば、ウォルシュコード（ｗａｌｓｈ  ｃｏｄｅ）がかけられて同一な無線資源にマッピングされる。アンテナポート１５に対するＣＳＩ−ＲＳの複素シンボルには［１，１］がかけられ、アンテナポート１６に対するＣＳＩ−ＲＳの複素シンボルには［１−１］がかけられて同一な無線資源にマッピングされる。これはアンテナポート｛１７，１８｝、｛１９，２０｝、｛２１，２２｝も同様である。
【０１５８】
ＵＥは送信されたシンボルにかけられたコードをかけて特定アンテナポートに対するＣＳＩ−ＲＳを検出することができる。すなわち、アンテナポート１５に対するＣＳＩ−ＲＳを検出するために、かけられたコード［１  １］をかけて、アンテナポート１６に対するＣＳＩ−ＲＳを検出するためにかけられたコード［１  −１］をかける。
【０１５９】
図８（ａ）〜（ｃ）を参照すると、同一なＣＳＩ−ＲＳ構成インデックスに該当すれば、アンテナポート数の多いＣＳＩ−ＲＳ構成にしたがう無線資源はＣＳＩ−ＲＳアンテナポート数の少ないＣＳＩ−ＲＳ構成にしたがう無線資源を含む。例えば、ＣＳＩ−ＲＳ構成０の場合、８個のアンテナポート数に対する無線資源は４個のアンテナポート数に対する無線資源と１または２個のアンテナポート数に対する無線資源を全て含む。
【０１６０】
１つのセルで複数のＣＳＩ−ＲＳ構成が使用されることができる。ノン−ゼロ電力（ＮＺＰ：ｎｏｎ−ｚｅｒｏ  ｐｏｗｅｒ）ＣＳＩ−ＲＳは０個または１個のＣＳＩ−ＲＳ構成のみ用いられ、ゼロ電力（ＺＰ：ｚｅｒｏ  ｐｏｗｅｒ）ＣＳＩ−ＲＳは０個または複数個のＣＳＩ−ＲＳ構成が利用できる。
【０１６１】
上位階層により設定される１６ビットのビットマップであるＺＰ  ＣＳＩ−ＲＳ（ＺｅｒｏＰｏｗｅｒＣＳＩ−ＲＳ）で１に設定された各ビット別に、ＵＥは前記の表３及び表４の４個のＣＳＩ−ＲＳ列（ｃｏｌｕｍｎ）に該当するＲＥで（上位階層により設定されたＮＺＰ  ＣＳＩ−ＲＳを仮定するＲＥと重複する場合を除外）ゼロ送信電力を仮定する。最上位ビット（ＭＳＢ：Ｍｏｓｔ  Ｓｉｇｎｉｆｉｃａｎｔ  Ｂｉｔ）は最も低いＣＳＩ−ＲＳ構成インデックスに該当し、ビットマップ内でその次のビットは順に次のＣＳＩ−ＲＳ構成インデックスに該当する。
【０１６２】
ＣＳＩ−ＲＳは前記の表３及び表４で（ｎ＿ｓ  ｍｏｄ  ２）の条件を満たすダウンリンクスロット及びＣＳＩ−ＲＳサブフレーム構成を満たすサブフレームのみで送信される。
【０１６３】
フレーム構造タイプ２（ＴＤＤ）の場合、スペシャルサブフレーム、同期信号（ＳＳ）、ＰＢＣＨまたはＳＩＢ  １（ＳｙｓｔｅｍＩｎｆｏｒｍａｔｉｏｎＢｌｏｃｋＴｙｐｅ  １）メッセージ送信と衝突するサブフレームまたはページングメッセージ送信のために設定されたサブフレームでＣＳＩ−ＲＳは送信されない。
【０１６４】
また、アンテナポートセットＳ（Ｓ＝｛１５｝、Ｓ＝｛１５，１６｝、Ｓ＝｛１７，１８｝、Ｓ＝｛１９，２０｝、またはＳ＝｛２１，２２｝）内に属する如何なるアンテナポートに対するＣＳＩ−ＲＳが送信されるＲＥは、ＰＤＳＣＨまたは他のアンテナポートのＣＳＩ−ＲＳ送信に使われない。
【０１６５】
ＣＳＩ−ＲＳ送信に使用される時間−周波数資源はデータ送信に使用されることができないので、ＣＳＩ−ＲＳオーバーヘッドが増加するほどデータ処理量（ｔｈｒｏｕｇｈｐｕｔ）が減少するようになる。これを考慮してＣＳＩ−ＲＳは毎サブフレーム毎に送信されるように構成されず、複数のサブフレームに該当する所定の送信周期毎に送信されるように構成される。この場合、毎サブフレーム毎にＣＳＩ−ＲＳが送信される場合に比べてＣＳＩ−ＲＳ送信オーバーヘッドがたくさん低減できる。
【０１６６】
ＣＳＩ−ＲＳ送信のためのサブフレーム周期（以下、‘ＣＳＩ送信周期’と称する）（Ｔ＿ＣＳＩ−ＲＳ）及びサブフレームオフセット（Δ＿ＣＳＩ−ＲＳ）は、以下の表５の通りである。
【０１６７】
表５は、ＣＳＩ−ＲＳサブフレーム構成を例示する。
【０１６８】
【表５】
0006968914.tif 000018
【０１６９】
表５を参照すると、ＣＳＩ−ＲＳサブフレーム構成（Ｉ＿ＣＳＩ−ＲＳ）によってＣＳＩ−ＲＳ送信周期（Ｔ＿ＣＳＩ−ＲＳ）及びサブフレームオフセット（Δ＿ＣＳＩ−ＲＳ）が決定される。
【０１７０】
表５のＣＳＩ−ＲＳサブフレーム構成は、先の‘ＳｕｂｆｒａｍｅＣｏｎｆｉｇ’フィールド及び‘ｚｅｒｏＴｘＰｏｗｅｒＳｕｂｆｒａｍｅＣｏｎｆｉｇ’フィールドのうち、いずれか１つに設定できる。ＣＳＩ−ＲＳサブフレーム構成は、ＮＺＰ  ＣＳＩ−ＲＳ及びＺＰＣ  ＳＩ−ＲＳに対して個別的に（ｓｅｐａｒａｔｅｌｙ）設定できる。
【０１７１】
ＣＳＩ−ＲＳを含むサブフレームは、以下の式１３を満たす。
【０１７２】
【数１３】
0006968914.tif 000019
【０１７３】
式１３で、Ｔ＿ＣＳＩ−ＲＳはＣＳＩ−ＲＳ送信周期、Δ＿ＣＳＩ−ＲＳはサブフレームオフセット値、ｎ＿ｆはシステムフレームナンバー、ｎ＿ｓはスロットナンバーを意味する。
【０１７４】
サービングセルに対して送信モード９（ｔｒａｎｓｍｉｓｓｉｏｎ  ｍｏｄｅ  ９）が設定されたＵＥの場合、ＵＥは１つのＣＳＩ−ＲＳ資源構成が設定できる。サービングセルに対して送信モード１０（ｔｒａｎｓｍｉｓｓｉｏｎ  ｍｏｄｅ  １０）が設定されたＵＥの場合、ＵＥは１つまたはそれ以上のＣＳＩ−ＲＳ資源構成が設定できる。
【０１７５】
現在のＬＴＥ標準でＣＳＩ−ＲＳ構成は、アンテナポート個数（ａｎｔｅｎｎａ  ｐｏｒｔｓＣｏｕｎｔ）、サブフレーム構成（ｓｕｂｆｒａｍｅＣｏｎｆｉｇ）、資源構成（ｒｅｓｏｕｒｃｅＣｏｎｆｉｇ）などで構成されているので、ＣＳＩ−ＲＳがいくつのアンテナポートから送信されるのか、ＣＳＩ−ＲＳが送信されるサブフレームの周期及びオフセットがどうなるのか、そして当該サブフレームでいずれかのＲＥ位置（すなわち、周波数とＯＦＤＭシンボルインデックス）で送信されるのかを知らせてくれる。
【０１７６】
具体的に、各ＣＳＩ−ＲＳ（資源）構成のための以下のようにパラメータが上位階層シグナリングを通じて設定される。
【０１７７】
−  送信モード１０が設定された場合、ＣＳＩ−ＲＳ資源構成識別子
【０１７８】
−  ＣＳＩ−ＲＳポート個数（ａｎｔｅｎｎａ  ｐｏｒｔｓＣｏｕｎｔ）：ＣＳＩ−ＲＳ送信のために使用されるアンテナポートの個数を示すパラメータ（例えば、１ＣＳＩ−ＲＳポート、２ＣＳＩ−ＲＳポート、４ＣＳＩ−ＲＳポート、８ＣＳＩ−ＲＳポート）
【０１７９】
−  ＣＳＩ−ＲＳ構成（ｒｅｓｏｕｒｃｅＣｏｎｆｉｇ）（表３及び表４参照）：ＣＳＩ−ＲＳ割当資源位置に関するパラメータ
【０１８０】
−  ＣＳＩ−ＲＳサブフレーム構成（ｓｕｂｆｒａｍｅＣｏｎｆｉｇ、すなわちＩ＿ＣＳＩ−ＲＳ）（表５参照）：ＣＳＩ−ＲＳが送信されるサブフレーム周期及び／又はオフセットに関するパラメータ
【０１８１】
−  送信モード９が設定された場合、ＣＳＩフィードバックのための送信パワー（Ｐ＿Ｃ）：フィードバックのための参照ＰＤＳＣＨ送信パワーに対するＵＥの仮定と関連して、ＵＥがＣＳＩフィードバックを導出し、１ｄＢ段階サイズに［−８，１５］ｄＢ範囲内で値を取る時、Ｐ＿ＣはＰＤＳＣＨ  ＲＥ当りエネルギー（ＥＰＲＥ：Ｅｎｅｒｇｙ  Ｐｅｒ  Ｒｅｓｏｕｒｃｅ  Ｅｌｅｍｅｎｔ）とＣＳＩ−ＲＳ  ＥＰＲＥの割合で仮定される。
【０１８２】
−  送信モード１０が設定された場合、各ＣＳＩプロセスに対してＣＳＩフィードバックのための送信パワー（Ｐ＿Ｃ）。ＣＳＩプロセスに対してＣＳＩサブフレームセットＣ＿ＣＳＩ、０、及びＣ＿ＣＳＩ、１が上位階層により設定されれば、Ｐ＿ＣはＣＳＩプロセスの各ＣＳＩサブフレームセット別に設定される。
【０１８３】
−  任意ランダム（ｐｓｅｕｄｏ−ｒａｎｄｏｍ）シーケンス発生器パラメータ（ｎ＿ＩＤ）
【０１８４】
−  送信モード１０が設定された場合、ＱＣＬ（Ｑｕａｓｉ  ｃｏ−ｌｏｃａｔｅｄ）タイプＢ  ＵＥ仮定のためのＱＣＬスクランブリング識別子（ｑｃｌ−ＳｃｒａｍｂｌｉｎｇＩｄｅｎｔｉｔｙ−ｒ１１）、ＣＲＳポートカウント（ｃｒｓ−ＰｏｒｔｓＣｏｕｎｔ−ｒ１１）、ＭＢＳＦＮサブフレーム設定リスト（ｍｂｓｆｎ−ＳｕｂｆｒａｍｅＣｏｎｆｉｇＬｉｓｔ−ｒ１１）パラメータを含む上位階層パラメータ（‘ｑｃｌ−ＣＲＳ−Ｉｎｆｏ−ｒ１１’）
【０１８５】
ＵＥが導出したＣＳＩフィードバック値が［−８，１５］ｄＢ範囲内の値を有するとき、Ｐ＿ＣはＣＳＩ−ＲＳ  ＥＰＲＥに対するＰＤＳＣＨ  ＥＰＲＥの割合で仮定される。ここで、ＰＤＳＣＨ  ＥＰＲＥはＣＲＳ  ＥＰＲＥに対するＰＤＳＣＨ  ＥＰＲＥの割合がρ＿Ａであるシンボルに該当する。
【０１８６】
サービングセルの同一なサブフレームでＣＳＩ−ＲＳとＰＭＣＨが共に設定されない。
【０１８７】
フレーム構造タイプ２で４個のＣＲＳアンテナポートが設定された場合、ＵＥは一般ＣＰの場合は［２０−３１］セット（表３参照）、または拡張ＣＰの場合は［１６−２７］セット（表４参照）に属するＣＳＩ−ＲＳ構成インデックスが設定されない。
【０１８８】
ＵＥはＣＳＩ−ＲＳ資源構成のＣＳＩ−ＲＳアンテナポートが遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）に対してＱＣＬ関係を有すると仮定することができる。
【０１８９】
送信モード１０、そしてＱＣＬタイプＢが設定されたＵＥは、ＣＳＩ−ＲＳ資源構成に該当するアンテナポート０−３とＣＳＩ−ＲＳ資源構成に該当するアンテナポート１５−２２がドップラー拡散（Ｄｏｐｐｌｅｒ  ｓｐｒｅａｄ）、ドップラーシフト（Ｄｏｐｐｌｅｒ  ｓｈｉｆｔ）に対してＱＣＬ関係と仮定することができる。
【０１９０】
送信モード１−９が設定されたＵＥの場合、サービングセルに対してＵＥは１つのＺＰ  ＣＳＩ−ＲＳ資源構成が設定できる。送信モード１０が設定されたＵＥの場合、サービングセルに対してＵＥは１つまたはそれ以上のＺＰ  ＣＳＩ−ＲＳ資源構成が設定できる。
【０１９１】
上位階層シグナリングを通じてＺＰ  ＣＳＩ−ＲＳ資源構成のための以下のようなパラメータが設定できる。
【０１９２】
−  ＺＰ  ＣＳＩ−ＲＳ構成リスト（ｚｅｒｏＴｘＰｏｗｅｒＲｅｓｏｕｒｃｅＣｏｎｆｉｇＬｉｓｔ）（表３及び表４参照）：ゼロ−パワーＣＳＩ−ＲＳ構成に関するパラメータ
【０１９３】
−  ＺＰ  ＣＳＩ−ＲＳサブフレーム構成（ｅｒｏＴｘＰｏｗｅｒＳｕｂｆｒａｍｅＣｏｎｆｉｇ、すなわちＩ＿ＣＳＩ−ＲＳ）（表５参照）：ゼロ−パワーＣＳＩ−ＲＳが送信されるサブフレーム周期及び／又はオフセットに関するパラメータ
【０１９４】
サービングセルの同一なサブフレームでＺＰ  ＣＳＩ−ＲＳとＰＭＣＨが同時に設定されない。
【０１９５】
送信モード１０が設定されたＵＥの場合、サービングセルに対して１つまたはそれ以上のＣＳＩ−ＩＭ（Ｃｈａｎｎｅｌ−Ｓｔａｔｅ  Ｉｎｆｏｒｍａｔｉｏｎ−ｉｎｔｅｒｆｅｒｅｎｃｅ  Ｍｅａｓｕｒｅｍｅｎｔ）資源構成が設定できる。
【０１９６】
上位階層シグナリングを通じて各ＣＳＩ−ＩＭ資源構成のための以下のようなパラメータが設定できる。
【０１９７】
−  ＺＰ  ＣＳＩ−ＲＳ構成（表３及び表４参照）
【０１９８】
−  ＺＰ  ＣＳＩ  ＲＳサブフレーム構成（Ｉ＿ＣＳＩ−ＲＳ）（表５参照）
【０１９９】
ＣＳＩ−ＩＭ資源構成は設定されたＺＰ  ＣＳＩ−ＲＳ資源構成のうちのいずれか１つと同一である。
【０２００】
サービングセルの同一なサブフレーム内のＣＳＩ−ＩＭ資源とＰＭＣＨが同時に設定されない。
【０２０１】
サウンディング参照信号（ＳＲＳ：Ｓｏｕｎｄｉｎｇ  Ｒｅｆｅｒｅｎｃｅ  Ｓｉｇｎａｌ）
【０２０２】
ＳＲＳは、主に上向きリンクの周波数−選択的スケジューリングを行うためにチャネル品質測定に使用され、上向きリンクデータ及び／又は制御情報の送信と関連しない。しかし、これに限定されず、ＳＲＳは、電力制御の向上または最近にスケジュールされていない端末等の様々なスタート−アップ（ｓｔａｒｔ−ｕｐ）機能を支援するための様々な他の目的のために使用されることができる。スタート−アップ機能の一例に、初期の変調及び符号化方式（ＭＣＳ：Ｍｏｄｕｌａｔｉｏｎ  ａｎｄ  Ｃｏｄｉｎｇ  Ｓｃｈｅｍｅ）、データ送信のための初期の電力制御、タイミング前進（ｔｉｍｉｎｇ  ａｄｖａｎｃｅ）及び周波数半−選択的（ｓｅｍｉ−ｓｅｌｅｃｔｉｖｅ）スケジューリングが含まれ得る。このとき、周波数半−選択的スケジューリングは、サブフレームの１番目のスロットに選択的に周波数資源を割り当て、２番目のスロットでは、他の周波数で擬似ランダム（ｐｓｅｕｄｏ−ｒａｎｄｏｍｌｙ）に跳躍して周波数資源を割り当てるスケジューリングをいう。
【０２０３】
また、ＳＲＳは、上向きリンクと下向きリンクとの間の無線チャネルが相互的（ｒｅｃｉｐｒｏｃａｌ）な仮定下に、下向きリンクチャネル品質を測定するために使用されることができる。このような仮定は、上向きリンクと下向きリンクとが同じ周波数スペクトルを共有し、時間領域では、分離されたとき分割デュプレックス（ＴＤＤ：Ｔｉｍｅ  Ｄｉｖｉｓｉｏｎ  Ｄｕｐｌｅｘ）システムで特に有効である。
【０２０４】
セル内でいずれかの端末によって送信されるＳＲＳのサブフレームは、セル−特定放送信号によって表すことができる。４ビットセル−特定「ｓｒｓＳｕｂｆｒａｍｅＣｏｎｆｉｇｕｒａｔｉｏｎ」パラメータは、ＳＲＳが各無線フレームを介して送信され得る１５つの可能なサブフレームの配列を表す。このような配列によって、運用シナリオ（ｄｅｐｌｏｙｍｅｎｔ  ｓｃｅｎａｒｉｏ）にしたがってＳＲＳオーバーヘッド（ｏｖｅｒｈｅａｄ）の調整に対する流動性を提供するようになる。
【０２０５】
このうち、１６番目の配列は、セル内で完全にＳＲＳのスイッチをオフ（ＯＦＦ）し、これは、主に高速端末をサービングするサービングセルに適合する。
【０２０６】
図９は、本発明が適用され得る無線通信システムにおけるサウンディング参照信号シンボルを含む上向きリンクサブフレームを例示する。
【０２０７】
図９に示すように、ＳＲＳは、配列されたサブフレーム上で常に最後のＳＣ−ＦＤＭＡシンボルを介して送信される。したがって、ＳＲＳとＤＭＲＳは、他のＳＣ−ＦＤＭＡシンボルに位置するようになる。
【０２０８】
ＰＵＳＣＨデータ送信は、ＳＲＳ送信のための特定のＳＣ−ＦＤＭＡシンボルでは許容されず、結果的に、サウンディング（ｓｏｕｎｄｉｎｇ）オーバーヘッドが最も高い場合、すなわち、全てのサブフレームにＳＲＳシンボルが含まれる場合でも、サウンディングオーバーヘッドは約７％を超過しない。
【０２０９】
各ＳＲＳシンボルは、与えられた時間単位と周波数帯域に関する基本シーケンス（ランダムシーケンスまたはＺａｄｏｆｆ−Ｃｈ（ＺＣ）に基づいたシーケンスセット）によって生成され、同一セル内の全ての端末は、同じ基本シーケンスを使用する。このとき、同じ周波数帯域と同一の時間で同一セル内の複数の端末からのＳＲＳ送信は、基本シーケンスの互いに異なる循環移動（ｃｙｃｌｉｃ  ｓｈｉｆｔ）により直交（ｏｒｔｈｏｇｏｎａｌ）されて互いに区別される。
【０２１０】
それぞれのセル毎に互いに異なる基本シーケンスが割り当てられることによって互いに異なるセルからのＳＲＳシーケンスが区別され得るが、互いに異なる基本シーケンス間に直交性は保障されない。
【０２１１】
さらに多い通信機器が、さらに大きい通信容量を要求することにより、既存の無線アクセス技術（ＲＡＴ：Ｒａｄｉｏ  Ａｃｃｅｓｓ  Ｔｅｃｈｎｏｌｏｇｙ）に比べて向上した移動広帯域（ｍｏｂｉｌｅ  ｂｒｏａｄｂａｎｄ）通信に対する必要性が台頭されている。また、複数の機器及び事物を連結して、いつ、どこでも様々なサービスを提供するマッシブ（ｍａｓｓｉｖｅ）ＭＴＣ（Ｍａｃｈｉｎｅ  Ｔｙｐｅ  Ｃｏｍｍｕｎｉｃａｔｉｏｎｓ）も次世代通信で考慮される主要イッシューのうちの１つである。さらに、信頼性（ｒｅｌｉａｂｉｌｉｔｙ）及びレイテンシ（ｌａｔｅｎｃｙ）に敏感なサービス／ＵＥを考慮した通信システムデザインが議論されている。
【０２１２】
このように進歩した移動広帯域通信（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が議論されており、本発明では、都合上、当該技術を新しいＲＡＴ（ｎｅｗ  ＲＡＴ）と称する。
【０２１３】
自己完結（Ｓｅｌｆ−ｃｏｎｔａｉｎｅｄ）サブフレーム構造
【０２１４】
図１０は、本発明が適用され得る無線通信システムで自己完結（Ｓｅｌｆ−ｃｏｎｔａｉｎｅｄ）サブフレーム構造を例示する図である。
【０２１５】
ＴＤＤシステムでデータ送信レイテンシ（ｌａｔｅｎｃｙ）を最小化するために、第五世代（５Ｇ：５  ｇｅｎｅｒａｔｉｏｎ）  ｎｅｗ  ＲＡＴでは、図１０のような自己完結（ｓｅｌｆ−ｃｏｎｔａｉｎｅｄ）サブフレーム構造を考慮している。
【０２１６】
図１０においてハッチングされた領域（シンボルインデックス０）は、下向きリンク（ＤＬ）制御領域を示し、黒色部分（シンボルインデックス１３）は、上向きリンク（ＵＬ）制御領域を示す。陰影表示がない領域は、ＤＬデータ送信のために使用されることができ、または、ＵＬデータ送信のために使用されることもできる。このような構造の特徴は、１個のサブフレーム内でＤＬ送信とＵＬ送信とが順次進行されて、サブフレーム内でＤＬデータが送信され、ＵＬ  ＡＣＫ／ＮＡＣＫも受信されることができる。結果的に、データ送信エラー発生時にデータ再送信までかかる時間を減らすようになり、これによって最終データ伝達のｌａｔｅｎｃｙを最小化できる。
【０２１７】
このようなｓｅｌｆ−ｃｏｎｔａｉｎｅｄサブフレーム構造において基地局とＵＥが送信モードから受信モードへの切り換え過程または受信モードから送信モードへの切り換え過程のための時間ギャップ（ｔｉｍｅ  ｇａｐ）が必要である。このために、ｓｅｌｆ−ｃｏｎｔａｉｎｅｄサブフレーム構造でＤＬからＵＬに切り換えられる時点の一部ＯＦＤＭシンボルがガード区間（ＧＰ：ｇｕａｒｄ  ｐｅｒｉｏｄ）に設定されるようになる。
【０２１８】
アナログビームフォーミング（Ａｎａｌｏｇ  ｂｅａｍｆｏｒｍｉｎｇ）
【０２１９】
ミリメートル波（Ｍｉｌｌｉｍｅｔｅｒ  Ｗａｖｅ、ｍｍＷ）では、波長が短くなり、同一面積に複数個のアンテナ要素（ａｎｔｅｎｎａ  ｅｌｅｍｅｎｔ）の設置が可能である。すなわち、３０ＧＨｚ帯域で波長は１ｃｍであって、４×４（４ｂｙ４）ｃｍのパネル（ｐａｎｅｌ）に０．５ラムダ（ｌａｍｂｄａ）（すなわち、波長）間隔で２−次元配列形態で合計６４（８×８）のａｎｔｅｎｎａ  ｅｌｅｍｅｎｔ設置が可能である。したがって、ｍｍＷでは、複数個のａｎｔｅｎｎａ  ｅｌｅｍｅｎｔを使用してビームフォーミング（ＢＦ：ｂｅａｍｆｏｒｍｉｎｇ）利得を高めてカバレッジを増加させたり、収率（ｔｈｒｏｕｇｈｐｕｔ）を高めようとする。
【０２２０】
この場合、ａｎｔｅｎｎａ  ｅｌｅｍｅｎｔ別に送信パワー及び位相調節が可能なようにトランシーバユニット（ＴＸＲＵ：Ｔｒａｎｓｃｅｉｖｅｒ  Ｕｎｉｔ）を有すると、周波数資源別に独立的なビームフォーミングが可能である。しかし、１００余個のａｎｔｅｎｎａ  ｅｌｅｍｅｎｔの全てにＴＸＲＵを設置するには、価格の側面で実効性が落ちるという問題を有するようになる。したがって、１つのＴＸＲＵに複数個のａｎｔｅｎｎａ  ｅｌｅｍｅｎｔをマッピングし、アナログ位相シフタ（ａｎａｌｏｇ  ｐｈａｓｅ  ｓｈｉｆｔｅｒ）でビーム（ｂｅａｍ）の方向を調節する方式が考慮されている。このようなａｎａｌｏｇ  ＢＦ方式は、全帯域において１つのｂｅａｍ方向だけを作ることができ、周波数選択的ＢＦができないという短所がある。
【０２２１】
デジタル（Ｄｉｇｉｔａｌ）ＢＦとａｎａｌｏｇ  ＢＦの中間形態として、Ｑ個のａｎｔｅｎｎａ  ｅｌｅｍｅｎｔより少ない個数であるＢ個のＴＸＲＵを有するハイブリッドビームフォーミング（ｈｙｂｒｉｄ  ＢＦ）を考慮できる。この場合、Ｂ個のＴＸＲＵとＱ個のａｎｔｅｎｎａ  ｅｌｅｍｅｎｔの連結方式によって差はあるが、同時に送信できるｂｅａｍの方向は、Ｂ個以下に制限されるようになる。
【０２２２】
以下、図面を参照してＴＸＲＵとａｎｔｅｎｎａ  ｅｌｅｍｅｎｔとの連結方式の代表的な一例を説明する。
【０２２３】
図１１は、本発明が適用され得る無線通信システムにおけるトランシーバユニットモデルを例示する。
【０２２４】
ＴＸＲＵ仮想化（ｖｉｒｔｕａｌｉｚａｔｉｏｎ）モデルは、ＴＸＲＵの出力信号とａｎｔｅｎｎａ  ｅｌｅｍｅｎｔｓの出力信号との関係を表す。ａｎｔｅｎｎａ  ｅｌｅｍｅｎｔとＴＸＲＵとの相関関係によって図１１（ａ）のように、ＴＸＲＵ仮想化（ｖｉｒｔｕａｌｉｚａｔｉｏｎ）モデルオプション−１：サブ−配列分割モデル（ｓｕｂ−ａｒｒａｙ  ｐａｒｔｉｔｉｏｎ  ｍｏｄｅｌ）と、図１１（ｂ）のように、ＴＸＲＵ仮想化モデルオプション−２：全域連結（ｆｕｌｌ−ｃｏｎｎｅｃｔｉｏｎ）モデルとに区分されることができる。
【０２２５】
図１１（ａ）に示すように、サブ−配列分割モデル（ｓｕｂ−ａｒｒａｙ  ｐａｒｔｉｔｉｏｎ  ｍｏｄｅｌ）の場合、ａｎｔｅｎｎａ  ｅｌｅｍｅｎｔは、多重のアンテナ要素グループに分割され、各ＴＸＲＵは、グループのうち、１つと連結される。この場合、ａｎｔｅｎｎａ  ｅｌｅｍｅｎｔは、１つのＴＸＲＵにのみ連結される。
【０２２６】
図１１（ｂ）に示すように、全域連結（ｆｕｌｌ−ｃｏｎｎｅｃｔｉｏｎ）モデルの場合、多重のＴＸＲＵの信号が結合されて、単一のアンテナ要素（または、アンテナ要素の配列）に伝達される。すなわち、ＴＸＲＵが全てのアンテナｅｌｅｍｅｎｔに連結された方式を表す。この場合、アンテナｅｌｅｍｅｎｔは、全てのＴＸＲＵに連結される。
【０２２７】
図１１においてｑは、１つの列（ｃｏｌｕｍｎ）内のＭ個の同じ偏波（ｃｏ−ｐｏｌａｒｉｚｅｄ）を有するアンテナ要素等の送信信号ベクトルである。ｗは、広帯域ＴＸＲＵ仮想化加重値ベクトル（ｗｉｄｅｂａｎｄ  ＴＸＲＵ  ｖｉｒｔｕａｌｉｚａｔｉｏｎ  ｗｅｉｇｈｔ  ｖｅｃｔｏｒ）であり、Ｗは、アナログ位相シフタ（ａｎａｌｏｇ  ｐｈａｓｅ  ｓｈｉｆｔｅｒ）によりかけられる位相ベクトルを表す。すなわち、Ｗによりａｎａｌｏｇ  ｂｅａｍｆｏｒｍｉｎｇの方向が決定される。ｘは、Ｍ＿ＴＸＲＵ個のＴＸＲＵの信号ベクトルである。
【０２２８】
ここで、アンテナポートとＴＸＲＵとのマッピングは、一対一（１−ｔｏ−１）または一対多（１−ｔｏ−ｍａｎｙ）でありうる。
【０２２９】
図１１においてＴＸＲＵとアンテナ要素との間のマッピング（ＴＸＲＵ−ｔｏ−ｅｌｅｍｅｎｔ  ｍａｐｐｉｎｇ）は、１つの例示を表すだけであり、本発明がこれに限定されるものではなく、ハードウェア観点でこの他に、様々な形態で実現されることができるＴＸＲＵとアンテナ要素との間のマッピングにも本発明が同様に適用され得る。
【０２３０】
チャネル状態情報（ＣＳＩ：Ｃｈａｎｎｅｌ  Ｓｔａｔｅ  Ｉｎｆｏｒｍａｔｉｏｎ）フィードバック
【０２３１】
３ＧＰＰ  ＬＴＥ／ＬＴＥ−Ａシステムでは、ユーザ機器（ＵＥ）がチャネル状態情報（ＣＳＩ）を基地局（ＢＳまたはｅＮＢ）に報告するように定義された。
【０２３２】
ＣＳＩは、ＵＥとアンテナポートとの間に形成される無線チャネル（あるいは、リンクともいう）の品質を表すことができる情報を通称する。例えば、ランク指示子（ＲＩ：Ｒａｎｋ  Ｉｎｄｉｃａｔｏｒ）、プリコーディング行列指示子（ＰＭＩ：Ｐｒｅｃｏｄｉｎｇ  Ｍａｔｒｉｘ  Ｉｎｄｉｃａｔｏｒ）、チャネル品質指示子（ＣＱＩ：Ｃｈａｎｎｅｌ  Ｑｕａｌｉｔｙ  Ｉｎｄｉｃａｔｏｒ）などがこれに該当する。
【０２３３】
ここで、ＲＩは、チャネルのランク（ｒａｎｋ）情報を表し、これは、ＵＥが同一時間−周波数資源を介して受信するストリームの個数を意味する。この値は、チャネルの長い周期（ｌｏｎｇ  ｔｅｒｍ）フェーディング（ｆａｄｉｎｇ）により従属されて決定されるので、ＰＭＩ、ＣＱＩより一般的により長い周期にてＵＥからＢＳにフィードバックされる。ＰＭＩは、チャネル空間特性を反映した値であり、信号対干渉雑音比（ＳＩＮＲ：Ｓｉｇｎａｌ−ｔｏ−Ｉｎｔｅｒｆｅｒｅｎｃｅ−ｐｌｕｓ−Ｎｏｉｓｅ  Ｒａｔｉｏ）などのメトリック（ｍｅｔｒｉｃ）を基準にＵＥが選好するプリコーディングインデックスを表す。ＣＱＩは、チャネルの強さを表す値であり、一般的に、ＢＳがＰＭＩを用いたときに得られる受信ＳＩＮＲを意味する。
【０２３４】
３ＧＰＰ  ＬＴＥ／ＬＴＥ−Ａシステムにおいて基地局は、複数個のＣＳＩプロセス（ｐｒｏｃｅｓｓ）をＵＥに設定し、各プロセスに対するＣＳＩを報告されることができる。ここで、ＣＳＩプロセスは、基地局からの信号品質測定のためのＣＳＩ−ＲＳと干渉測定のためのＣＳＩ−干渉測定（ＣＳＩ−ＩＭ：ＣＳＩ−Ｉｎｔｅｒｆｅｒｅｎｃｅ  Ｍｅａｓｕｒｅｍｅｎｔ）資源で構成される。
【０２３５】
参照信号（ＲＳ：Ｒｅｆｅｒｅｎｃｅ  Ｓｉｇｎａｌ）仮想化（ｖｉｒｔｕａｌｉｚａｔｉｏｎ）
【０２３６】
ｍｍＷでａｎａｌｏｇ  ｂｅａｍｆｏｒｍｉｎｇによって１つの時点に１つのａｎａｌｏｇ  ｂｅａｍ方向のみにＰＤＳＣＨ送信されることができる。この場合、当該方向にある一部少数のＵＥにのみ基地局からデータ送信が可能なようになる。したがって、必要に応じてアンテナポート別にａｎａｌｏｇ  ｂｅａｍ方向を異なるように設定することにより、いくつかのａｎａｌｏｇ  ｂｅａｍ方向にある複数のＵＥに同時にデータ送信が行われ得る。
【０２３７】
図１２は、本発明が適用され得る無線通信システムにおいて、トランシーバユニット別サービス領域を例示する図である。
【０２３８】
図１２では、２５６  ａｎｔｅｎｎａ  ｅｌｅｍｅｎｔを４等分して４個のｓｕｂ−ａｒｒａｙを形成し、先の図１１のように、ｓｕｂ−ａｒｒａｙにＴＸＲＵを連結した構造を例に挙げて説明する。
【０２３９】
各ｓｕｂ−ａｒｒａｙが２−次元（ｄｉｍｅｎｓｉｏｎ）配列形態で合計６４（８×８）のａｎｔｅｎｎａ  ｅｌｅｍｅｎｔが構成されれば、特定ａｎａｌｏｇ  ｂｅａｍｆｏｒｍｉｎｇにより１５度の水平角領域と１５度の垂直角領域に該当する地域をカバーできる。すなわち、基地局がサービスすべき地域を複数個の領域に分けて、１回に１つずつサービスするようになる。
【０２４０】
以下の説明においてＣＳＩ−ＲＳアンテナポート（ａｎｔｅｎｎａ  ｐｏｒｔ）とＴＸＲＵは、一対一（１−ｔｏ−１）マッピングされたと仮定する。したがって、ａｎｔｅｎｎａ  ｐｏｒｔとＴＸＲＵとは、以下の説明において同じ意味を有する。
【０２４１】
図１２（ａ）のように、全てのＴＸＲＵ（アンテナポート、ｓｕｂ−ａｒｒａｙ）（すなわち、ＴＸＲＵ０、１、２、３）が同一ａｎａｌｏｇ  ｂｅａｍｆｏｒｍｉｎｇ方向（すなわち、領域１（ｒｅｇｉｏｎ１））を有すれば、より高い分解能（ｒｅｓｏｌｕｔｉｏｎ）を有するｄｉｇｉｔａｌ  ｂｅａｍを形成して、当該地域の収率（ｔｈｒｏｕｇｈｐｕｔ）を増加させることができる。また、当該地域に送信データのランク（ｒａｎｋ）を増加させて当該地域のｔｈｒｏｕｇｈｐｕｔを増加させることができる。
【０２４２】
図１２（ｂ）及び図１２（ｃ）のように、各ＴＸＲＵ（アンテナポート、ｓｕｂ−ａｒｒａｙ）（すなわち、ポート（ｐｏｒｔ）０、１、２、３）が異なるａｎａｌｏｇ  ｂｅａｍｆｏｒｍｉｎｇ方向（すなわち、ｒｅｇｉｏｎ１またはｒｅｇｉｏｎ２）を有すれば、より広い領域に分布されたＵＥに当該サブフレーム（ＳＦ：ｓｕｂｆｒａｍｅ）で同時にデータ送信が可能となる。
【０２４３】
図１２（ｂ）及び図１２（ｃ）の例示のように、４個のアンテナポートのうち、２個は、領域１にあるＵＥ１にＰＤＳＣＨ送信のために使用され、残りの２個は、領域２にあるＵＥ２にＰＤＳＣＨ送信のために使用されることができる。
【０２４４】
特に、図１２（ｂ）では、ＵＥ１に送信されるＰＤＳＣＨ１とＵＥ２に送信されるＰＤＳＣＨ２とが空間分割多重化（ＳＤＭ：Ｓｐａｔｉａｌ  Ｄｉｖｉｓｉｏｎ  Ｍｕｌｔｉｐｌｅｘｉｎｇ）された例示を示す。これと異なり、図１２（ｃ）のように、ＵＥ１に送信されるＰＤＳＣＨ１とＵＥ２に送信されるＰＤＳＣＨ２とが周波数分割多重化（ＦＤＭ：Ｆｒｅｑｕｅｎｃｙ  Ｄｉｖｉｓｉｏｎ  Ｍｕｌｔｉｐｌｅｘｉｎｇ）されて送信されることもできる。
【０２４５】
全てのアンテナポートを使用して１つの領域をサービスする方式とアンテナポートを分けていくつかの領域を同時にサービスする方式のうち、セル収率（ｃｅｌｌ  ｔｈｒｏｕｇｈｐｕｔ）を最大化するために、ＵＥにサービスするランク（ｒａｎｋ）、そして変調及びコーディング技法（ＭＣＳ：Ｍｏｄｕｌａｔｉｏｎ  ａｎｄ  Ｃｏｄｉｎｇ  Ｓｃｈｅｍｅ）によって選好される方式が変わり得る。また、各ＵＥに送信するデータの量によって選好される方式が変わり得る。
【０２４６】
基地局は、全てのアンテナポートを使用して１つの領域をサービスするときに得られるｃｅｌｌ  ｔｈｒｏｕｇｈｐｕｔまたはスケジューリングマットリック（ｓｃｈｅｄｕｌｉｎｇ  ｍｅｔｒｉｃ）を計算し、アンテナポートを分けて２つの領域をサービスするときに得られるｃｅｌｌ  ｔｈｒｏｕｇｈｐｕｔまたはｓｃｈｅｄｕｌｉｎｇ  ｍｅｔｒｉｃを計算する。基地局は、各方式を介して得られるｃｅｌｌ  ｔｈｒｏｕｇｈｐｕｔまたはｓｃｈｅｄｕｌｉｎｇ  ｍｅｔｒｉｃを比較して最終送信方式を選択できる。結果的に、サブフレーム単位（ＳＦ−ｂｙ−ＳＦ）でＰＤＳＣＨ送信に参加するアンテナポートの個数が変動され得る。基地局がアンテナポートの個数によるＰＤＳＣＨの送信ＭＣＳを計算し、スケジューリングアルゴリズムに反映するために、これに適合したＵＥからのＣＳＩフィードバックが要求される。
【０２４７】
ビーム参照信号（ＢＲＳ：Ｂｅａｍ  Ｒｅｆｅｒｅｎｃｅ  Ｓｉｇｎａｌ）
【０２４８】
ビーム参照信号（ＢＲＳ）は、１つまたはそれ以上のアンテナポート（ｐ＝｛０、１、．．．、７｝上で送信されることができる。
【０２４９】
参照信号シーケンス「ｒ＿ｌ（ｍ）」は、下記の数式１４のように定義されることができる。
【０２５０】
【数１４】
0006968914.tif 000020
【０２５１】
ここで、ｌ＝０、１、．．．、１３は、ＯＦＤＭシンボル番号である。Ｎ＿ＲＢ＾ｍａｘ、ＤＬは、最も大きい下向きリンクバンド設定を表し、Ｎ＿ｓｃ＾ＲＢの倍数で表現される。Ｎ＿ｓｃ＾ＲＢは、周波数ドメインで資源ブロックのサイズを表し、サブキャリアの数で表現される。
【０２５２】
数式１４においてｃ（ｉ）は、擬似−乱数（ｐｓｅｕｄｏ−ｒａｎｄｏｍ）シーケンスとして予め定義されることができる。擬似−乱数シーケンス発生器は、下記の数式１５を用いてＯＦＤＭシンボル毎の開始の際に初期化されることができる。
【０２５３】
【数１５】
0006968914.tif 000021
【０２５４】
ここで、Ｎ＿ＩＤ＾ｃｅｌｌは、物理階層セル識別子を表す。ｎ＿ｓ＝ｆｌｏｏｒ（ｌ／７）であり、ｆｌｏｏｒ（ｘ）は、ｘ以下の最大整数を導出する床関数（ｆｌｏｏｒ  ｆｕｎｃｔｉｏｎ）を表す。ｌ’＝ｌｍｏｄ７であり、ｍｏｄは、モジュロ（ｍｏｄｕｌｏ）演算を表す。
【０２５５】
ビーム補正参照信号（ＢＲＲＳ：Ｂｅａｍ  Ｒｅｆｉｎｅｍｅｎｔ  Ｒｅｆｅｒｅｎｃｅ  Ｓｉｇｎａｌ）
【０２５６】
ビーム補正参照信号（ＢＲＲＳ）は、最大８個のアンテナポート（ｐ＝６００、．．．、６０７）上で送信されることができる。ＢＲＲＳの送信及び受信は、ｘＰＤＣＣＨ上記の下向きリンク資源割当内でスケジューリングされることができる。
【０２５７】
参照信号シーケンス「ｒ＿ｌ、ｎｓ（ｍ）」は、下記の数式１６のように定義されることができる。
【０２５８】
【数１６】
0006968914.tif 000022
【０２５９】
ここで、ｎ＿ｓは、無線フレーム内のスロット番号である。ｌは、スロット内のＯＦＤＭシンボル番号である。ｃ（ｉ）は、擬似−乱数（ｐｓｅｕｄｏ−ｒａｎｄｏｍ）シーケンスとして予め定義されることができる。擬似−乱数シーケンス発生器は、下記の数式１７を用いてＯＦＤＭシンボル毎の開始の際に初期化されることができる。
【０２６０】
【数１７】
0006968914.tif 000023
【０２６１】
ここで、Ｎ＿ＩＤ＾ＢＲＲＳは、ＲＲＣシグナリングを介してＵＥに設定される。
【０２６２】
下向きリンク位相雑音補償参照信号（ＤＬ  Ｐｈａｓｅ  Ｎｏｉｓｅ  Ｃｏｍｐｅｎｓａｔｉｏｎ  Ｒｅｆｅｒｅｎｃｅ  Ｓｉｇｎａｌ）
【０２６３】
ｘＰＤＳＣＨと連関した位相雑音補償参照信号は、ＤＣＩ内でシグナリングによってアンテナポート（等）ｐ＝６０及び／又はｐ＝６１上で送信されることができる。また、ｘＰＤＳＣＨと連関した位相雑音補償参照信号は、ｘＰＤＳＣＨ送信が当該アンテナポートと連関するときにのみ位相雑音補償のための有効な参照として存在し得る。また、ｘＰＤＳＣＨと連関した位相雑音補償参照信号は、当該ｘＰＤＳＣＨがマッピングされた物理資源ブロック及びシンボル上でのみ送信されることができる。また、ｘＰＤＳＣＨと連関した位相雑音補償参照信号は、ｘＰＤＳＣＨ割当によって全てのシンボルで同一でありうる。
【０２６４】
いずれかのアンテナポートｐ∈｛６０、６１｝において、参照信号シーケンス「ｒ（ｍ）」は、下記の数式１８のように定義される。
【０２６５】
【数１８】
0006968914.tif 000024
【０２６６】
ここで、ｃ（ｉ）は、擬似−乱数（ｐｓｅｕｄｏ−ｒａｎｄｏｍ）シーケンスとして予め定義されることができる。擬似−乱数シーケンス発生器は、下記の数式１９を用いてサブフレーム毎の開始の際に初期化されることができる。
【０２６７】
【数１９】
0006968914.tif 000025
【０２６８】
ここで、ｎ＿ＳＣＩＤは、異なるように特定されない限り、０である。ｘＰＤＳＣＨ送信において、ｎ＿ＳＣＩＤは、ｘＰＤＳＣＨ送信と連関したＤＣＩフォーマット内で与えられる。
【０２６９】
ｎ＿ＩＤ＾（ｉ）（ここで、ｉ＝０、１）は、次のように与えられる。ｎ＿ＩＤ＾ＰＣＲＳ、ｉの値が上位階層により提供されないと、ｎ＿ＩＤ＾（ｉ）は、Ｎ＿ＩＤ＾ｃｅｌｌと同じである。それとも、ｎ＿ＩＤ＾（ｉ）は、ｎ＿ＩＤ＾ＰＣＲＳ、ｉと同じである。
【０２７０】
３ＧＰＰ  ＲＡＮ１  ＃８６の会議によれば、新しいＲＡＴ（ＮＲ：Ｎｅｗ  Ｒａｔ）において、次のような一つまたはそれ以上の送信／受信ポイント（ＴＲＰ：Ｔｒａｎｓｍｉｓｓｉｏｎ  Ｒｅｃｅｐｔｉｏｎ  Ｐｏｉｎｔ）内でＤＬ第１階層（Ｌ１：Ｌａｙｅｒ  １）／第２階層（Ｌ２：Ｌａｙｅｒ  ２）ビーム管理（ｂｅａｍ  ｍａｎａｇｅｍｅｎｔ）手順が支援される：
【０２７１】
ｉ）Ｐ−１：Ｐ−１は、ＴＲＰ送信（Ｔｘ：Ｔｒａｎｓｍｉｓｓｉｏｎ）ビーム／ＵＥ受信（Ｒｘ：Ｒｅｃｅｐｔｉｏｎ）ビーム（ら）の選択を支援するために、互いに異なるＴＲＰ  Ｔｘビーム上でのＵＥ測定が可能なように使用される。
【０２７２】
−ＴＲＰにおいてビームフォーミング（ｂｅａｍｆｏｒｍｉｎｇ）の場合、他のビームのセットからイントラ（ｉｎｔｒａ）／インター（ｉｎｔｅｒ）−ＴＲＰ  Ｔｘビームスウィップ（ｓｗｅｅｐ）を含む。
【０２７３】
−ＵＥにおいてビームフォーミング（ｂｅａｍｆｏｒｍｉｎｇ）の場合、他のビームのセットからＵＥ  Ｒｘビームスウィップを含む。
【０２７４】
−ＴＲＰ  ＴｘビームとＵＥ  Ｒｘビームは、ジョイントリー（ｊｏｉｎｔｌｙ）または個別的に決定されることができる。
【０２７５】
ｉｉ）Ｐ−２：Ｐ−２は、ｉｎｔｅｒ／ｉｎｔｒａ−ＴＲＰ  Ｔｘビーム（ら）を変更するために、互いに異なるＴＲＰ  Ｔｘビーム上においてＵＥ測定が可能なように使用される。
【０２７６】
−Ｐ−１に比べてビーム補正（ｂｅａｍ  ｒｅｆｉｎｅｍｅｎｔ）のためのビームのより小さなセットが利用されることができる。
【０２７７】
−Ｐ−２は、Ｐ−１の特殊なケースに該当できる。
【０２７８】
ｉｉｉ）Ｐ−３：Ｐ−３は、ＵＥがｂｅａｍｆｏｒｍｉｎｇを利用する場合に、ＵＥ  Ｒｘビームを変更するために同じＴＲＰ  Ｔｘビーム上でのＵＥ測定が可能なように使用される。
【０２７９】
−ｉｎｔｒａ−ＴＲＰ及びｉｎｔｅｒ−ＴＲＰビーム管理のために同じ手順が設計されることができる。
【０２８０】
−ＵＥは、ｉｎｔｒａ−ＴＲＰビームなのかｉｎｔｅｒ−ＴＲＰビームなのかが分からない。
【０２８１】
例えば、ＴＲＰ  Ｔｘ／ＵＥ  Ｒｘビーム変更を同時に達成するために、上述のＰ−２及びＰ−３手順は、ジョイントリー（ｊｏｉｎｔｌｙ）及び／または複数回行われることができる。
【０２８２】
単一のＵＥに対して多重のＴｘ／Ｒｘビームペア（ｐａｉｒ）の管理が支援されることができる。
【０２８３】
ビーム管理手順内でさらに他のキャリアから補助情報がＵＥに伝達されることが論議されることができる。
【０２８４】
以上の手順は、いかなる周波数バンドにおいても適用されることができる。
【０２８５】
以上の手順は、ＴＲＰ当たりの単一／多重ビーム（ら）において利用されることができる。
【０２８６】
また、３ＧＰＰ  ＲＡＮ１  ＃８６ｂｉｓの会議によれば、ＮＲにおいて、次のようなＵＬビーム管理がさらに論議されることができる。
【０２８７】
−ＤＬビーム管理と類似の手順が定義されることができる。
【０２８８】
ｉ）Ｕ−１：Ｕ−１は、ＵＥ  Ｔｘビーム／ＴＲＰ  Ｒｘビーム（ら）の選択を支援するために、互いに異なるＵＥ  Ｔｘビーム上でのＴＲＰ測定を可能なように使用される。
【０２８９】
−これは、すべての場合に必需的に利用されなくても良い。
【０２９０】
ｉｉ）Ｕ−２：Ｕ−２は、ｉｎｔｅｒ／ｉｎｔｒａ−ＴＲＰ  Ｒｘビーム（ら）を変更／選択するために、互いに異なるＴＲＰ  Ｒｘビーム上においてＴＲＰ測定が可能なように使用される。
【０２９１】
ｉｉｉ）Ｕ−３：Ｕ−３は、ＵＥがｂｅａｍｆｏｒｍｉｎｇを利用する場合にＵＥ  Ｔｘビームを変更するために、同じＴＲＰ  Ｒｘビーム上でのＴＲＰ測定が可能なように使用される。
【０２９２】
Ｔｘ／Ｒｘビーム相関（ｃｏｒｒｅｓｐｏｎｄｅｎｃｅ）と関連した情報の指示が支援されることができる。
【０２９３】
ＵＬビーム管理の議論は、次を基盤とする：物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）、サウンディング参照信号（ＳＲＳ：Ｓｏｕｎｄｉｎｇ  Ｒｅｆｅｒｅｎｃｅ  Ｓｉｇｎａｌ）、復調参照信号（ＤＭ−ＲＳ：Ｄｅｍｏｄｕｌａｔｉｏｎ  Ｒｅｆｅｒｅｎｃｅ  Ｓｉｇｎａｌ）（ただし、他のチャネル、参照信号（ＲＳ：Ｒｅｆｅｒｅｎｃｅ  Ｓｉｇｎａｌ）ガ排除されるものではない。）
【０２９４】
次の通り、Ｔｘ／Ｒｘビーム相関（ｃｏｒｒｅｓｐｏｎｄｅｎｃｅ）を考慮してＵＬビーム管理手順が論議される必要がある。
【０２９５】
−ＴＲＰとＵＥともＴｘ／Ｒｘビーム相関（ｃｏｒｒｅｓｐｏｎｄｅｎｃｅ）を有する場合
【０２９６】
−ＴＲＰは、Ｔｘ／Ｒｘビーム相関（ｃｏｒｒｅｓｐｏｎｄｅｎｃｅ）を有さなく、そして／またはＵＥは、Ｔｘ／Ｒｘビーム相関（ｃｏｒｒｅｓｐｏｎｄｅｎｃｅ）を有さない場合
【０２９７】
また、ＮＲにおいて、ＵＬ電力制御（ＰＣ：Ｐｏｗｅｒ  ｃｏｎｔｒｏｌ）設計のために、次のような側面が考慮されなければならない。
【０２９８】
−経路損失推定（ｐａｔｈ  ｌｏｓｓ  ｅｓｔｉｍａｔｅ）のためのＬＴＥのようなセル−特定参照信号がない
【０２９９】
−ビーム−基盤送信／受信
【０３００】
−ｅＮＢ／ＵＥにおいてアナログ（ａｎａｌｏｇ）ビームフォーミング
【０３０１】
−多重−ビーム／多重−ストリーム（ｓｔｒｅａｍ）送信
【０３０２】
−多重ヌメロロジー（ｍｕｌｔｉｐｌｅ  ｎｕｍｅｒｏｌｏｇｉｅｓ）
【０３０３】
−ｉｎｔｅｒ−ＴＲＰ情報交換
【０３０４】
−動的ＴＤＤは、後に論議されることができ、他の側面が排除されるものではない。
【０３０５】
また、開始点として次のようなＵＬ  ＰＣの設計が論議される：
【０３０６】
−フレームワークとしてＬＴＥ内で小さな（ｆｒａｃｔｉｏｎａｌ）電力制御
【０３０７】
−経路損失測定（ｐａｔｈ  ｌｏｓｓ  ｍｅａｓｕｒｅｍｅｎｔ）のためのＤＬ  ＲＳ、例えば、多重のビームシナリオまたは単一−ビームシナリオのためのＤＬビーム管理Ｐ−１、Ｐ−２及びＰ−３においてＲＳ
【０３０８】
−ＵＬ制御及びデータチャネルのための個別的なＰＣセッティング
【０３０９】
ＵＬ  ＰＣのために、ヌメロロジー−特定の（ｎｕｍｅｒｏｌｏｇｙ−ｓｐｅｃｉｆｉｃ）パラメータセッティングと多重−ビーム／多重−ストリームＵＬのための個別的なＰＣセッティングは、後に論議されることができる。
【０３１０】
また、３ＧＰＰ  ＲＡＮ１  ＃８７の会議によれば、ＮＲにおいて、少なくともターゲッティング（ｔａｒｇｅｔｉｎｇ）進歩したモバイルブロードバンド（ｅＭＢＢ：ｅｎｈａｎｃｅｄ  Ｍｏｂｉｌｅ  ＢｒｏａｄＢａｎｄ）におけるＮＲ−ＰＵＳＣＨにおいて、
【０３１１】
−経路損失推定に基づいて開−ループ（ｏｐｅｎ−ｌｏｏｐ）電力制御が支援される。このとき、経路損失は、測定のためのＤＬ  ＲＳを利用して推定される。また、小さな（ｆｒａｃｔｉｏｎａｌ）電力制御が支援される。どんな測定のためにＤＬ  ＲＳ（ら）が利用されるか（このＲＳはビームフォーミングされることができる）は、後に論議されることができる。
【０３１２】
−ネットワーク（ＮＷ：ｎｅｔｗｏｒｋ）シグナリングに基づいて閉−ループ（ｃｌｏｓｅｄ−ｌｏｏｐ）電力制御が支援される。このとき、動的ＵＬ電力調整（ａｄｊｕｓｔｍｅｎｔ）が考慮される。
【０３１３】
追加的に次が論議されることができる：
【０３１４】
−ヌメロロジー（ｎｕｍｅｒｏｌｏｇｙ）特定の電力制御、例えば、ヌメロロジー（ｎｕｍｅｒｏｌｏｇｙ）特定電力制御パラメータ
【０３１５】
−ビーム特定電力制御パラメータ
【０３１６】
−他のＲＳ及び物理チャネルのための電力制御
【０３１７】
−支援される場合、承認に自由な（ｇｒａｎｔ  ｆｒｅｅ）ＰＵＳＣＨのための電力制御
【０３１８】
−レイヤー（グループ）別電力制御
【０３１９】
また、ＮＲにおいて、ＣＳＩ−ＲＳは、ＤＬ  Ｔｘビームスイーピング（ｓｗｅｅｐｉｎｇ）及びＵＥ  Ｒｘビームスイーピング（ｓｗｅｅｐｉｎｇ）を支援する。このとき、ＣＳＩ−ＲＳは、Ｐ−１、Ｐ−２、Ｐ−３において使用されることができる。
【０３２０】
ＮＲ  ＣＳＩ−ＲＳは、次のようなマッピング構造を支援する：
【０３２１】
−Ｎ＿Ｐ  ＣＳＩ−ＲＳポート（ら）が（サブ）時間単位別にマッピングされることができる。
【０３２２】
−（サブ）時間単位にわたって、同じＣＳＩ−ＲＳアンテナポートがマッピングされることができる。
【０３２３】
−Ｎ＿Ｐの値は、後に論議される。
【０３２４】
−ここで、「時間単位」は、設定された／参照ヌメロロジー（ｎｕｍｅｒｏｌｏｇｙ）内でｎ＞＝１ＯＦＤＭシンボルを意味し、ｎ値は、後に論議される。連続的なまたは不連続的なＯＦＤＭシンボルで時間単位が構成されるかが後に論議される。
【０３２５】
−ポート多重化方法（例えば、ＦＤＭ、ＴＤＭ、ＣＤＭ、ある組み合わせ）は、後に論議される。
【０３２６】
−各時間単位は、サブ−時間単位に分割されることができる。
【０３２７】
−分割方法（例えば、ＴＤＭ、ＩＦＤＭＡ（ｉｎｔｅｒｌｅａｖｅｄ  ＦＤＭＡ）、参照ＯＦＤＭシンボル長（サブキャリア間隔）と／より同じ／小さなＯＦＤＭシンボル長（すなわち、より長いサブキャリア間隔（ｓｐａｃｉｎｇ））を有するＯＦＤＭシンボル−レベル分割、他の方法が排除されることではない）は後に論議される。
【０３２８】
−このマッピング構造は、多重パネル（ｐａｎｅｌ）／Ｔｘチェーン（ｃｈａｉｎ）を支援するために使用されることができる。
【０３２９】
−Ｔｘ及びＲｘビームスイーピング（ｓｗｅｅｐｉｎｇ）のためのＣＳＩ−ＲＳのマッピングオプションは、次の通りである。
【０３３０】
ｉ）オプション１：各時間単位内のサブ−時間単位にわたってＴｘビーム（ら）が同一である。互いに異なる時間単位の間にＴｘビーム（ら）は互いに異なる。
【０３３１】
ｉｉ）オプション２：各時間単位内のサブ−時間単位にわたってＴｘビーム（ら）が互いに異なる。時間単位にわたってＴｘビーム（ら）は同一である。
【０３３２】
ｉｉｉ）上記のオプション１とオプション２との組み合わせ：
【０３３３】
一つの時間単位内で、Ｔｘビーム（ら）はサブ−時間単位にわたって同一である。
【０３３４】
さらに他の時間単位内で、Ｔｘビーム（ら）は、サブ−時間単位の間に互いに異なる
【０３３５】
ここで、例えば、個数及び周期側面において互いに異なる時間単位の組み合わせは後に論議される。
【０３３６】
Ｔｘスイーピング（ｓｗｅｅｐｉｎｇ）またはＲｘスイーピング（ｓｗｅｅｐｉｎｇ）のみが可能でありえ、他のオプションも排除されない。
【０３３７】
上述のマッピング構造が一つまたは多重のＣＳＩ−ＲＳ資源構成で設定されるかどうかは後に論議される。
【０３３８】
上向きリンク送受信方法
【０３３９】
本特許において述べている基地局の名称は、遠隔無線ヘッド（ＲＲＨ：ｒｅｍｏｔｅ  ｒａｄｉｏ  ｈｅａｄ）、ｅＮＢ（またはｇＮＢ）、送信ポイント（ＴＰ：ｔｒａｎｓｍｉｓｓｉｏｎ  ｐｏｉｎｔ）、受信ポイント（ＲＰ：ｒｅｃｅｐｔｉｏｎ  ｐｏｉｎｔ）、送信／受信ポイント（ＴＲＰ：ｔｒａｎｓｍｉｓｓｉｏｎ／ｒｅｃｅｐｔｉｏｎ  ｐｏｉｎｔ）、中継器（ｒｅｌａｙ）などを含む包括的な用語として使用される。以下では、説明の便宜のために、３ＧＰＰ  ＬＴＥ及び／または新しいＲＡＴ（ＮＲ：Ｎｅｗ  ＲＡＴ）システムに基づいて提案方式を説明する。しかしながら、提案方式が適用されるシステムの範囲は、この他に他のシステム（例えば、ＵＴＲＡ等）にも拡張可能である。
【０３４０】
以下、ＮＲにおいてＵＬ送信電力制御方法について説明する。
【０３４１】
ＮＲシステム設計において、ＯＦＤＭ基盤ＵＬ送信及び単一シンボルＵＬ制御チャネルのようなＵＬでの新しい特徴を導入することが考慮されている。本発明では、経路損失補償（ｐａｔｈｌｏｓｓ  ｃｏｍｐｅｎｓａｔｉｏｎ）、電力オフセット（ｐｏｗｅｒ  ｏｆｆｓｅｔ）、送信電力制御（ＴＰＣ：Ｔｒａｎｓｍｉｔ Ｐｏｗｅｒ  Ｃｏｎｔｒｏｌ）命令（ＴＰＣ  ｃｏｍｍａｎｄ）、及び追加的な特徴のような基本的な構成要素を含んだＮＲでのＵＬ電力制御手順について考慮しなければならない方法を提案する。
【０３４２】
−ＵＬ電力制御のための基本的なパラメータ
【０３４３】
１−１）経路損失補償（Ｐａｔｈｌｏｓｓ  ｃｏｍｐｅｎｓａｔｉｏｎ）
【０３４４】
現在ＬＴＥシステム内のＵＬ電力制御によれば、２通りのタイプの経路損失補償が考慮される；一つは、全体（ｆｕｌｌ）経路損失補償で、残りの一つは、部分的な（ｆａｃｔｉｏｎａｌ）経路損失補償である。
【０３４５】
ＮＲシステムにおいて、ＵＥは、特定タイプのＤＬ  ＲＳ（例えば、同期信号、ＣＳＩ−ＲＳ等）を利用して、ＵＥが参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）を測定し、ＵＥが測定したＲＳＲＰ（上位階層でフィルタリングされた）を利用して、ＵＥとそれと関連したｅＮＢとの間の経路損失を導き出す。
【０３４６】
ＵＥからＵＬ送信電力は、推定された経路損失を考慮することによって、全体的にまたは部分的に補償されることができる。
【０３４７】
まず、全体的な経路損失補償は、セル−境界（ｃｅｌｌ−ｅｄｇｅ）ＵＥに対する公正性（ｆａｉｒｎｅｓｓ）を最大化できる。換言すれば、ｇＮＢ（すなわち、基地局）でｃｅｌｌ−ｅｄｇｅ  ＵＥから受信された電力は、セル−中心（ｃｅｌｌ−ｃｅｎｔｅｒ）ＵＥからの受信された電力と比較（ｃｏｍｐａｒａｂｌｅ）されることができる。
【０３４８】
これに対し、部分的な（ｆａｃｔｉｏｎａｌ）経路損失補償が使用されると、ｇＮＢでｃｅｌｌ−ｃｅｎｔｅｒ  ＵＥから受信された電力は、ｃｅｌｌ−ｅｄｇｅ  ＵＥから受信された電力よりはるかに大きくありうる。ｃｅｌｌ−ｅｄｇｅ  ＵＥの経路損失は、ｃｅｌｌ−ｅｄｇｅ  ＵＥから受信された電力が適切に制御されうるように、電力パラメータまたはオフセットを調整することによって補償されることができる。ただし、ｃｅｌｌ−ｃｅｎｔｅｒ  ＵＥから受信された電力は、一般的に既に充分の受信電力の量によって余剰（ｒｅｄｕｎｄａｎｔ）できる。
【０３４９】
ＵＬデータチャネル送信の場合、そういう余剰（ｒｅｄｕｎｄａｎｔ）電力は、より高い変調及びコーディング技法（ＭＣＳ：Ｍｏｄｕｌａｔｉｏｎ  ａｎｄ  Ｃｏｄｉｎｇ  Ｓｃｈｅｍｅ）レベルを適用することによって、スペクトル効率性（ｓｐｅｃｔｒａｌ  ｅｆｆｉｃｉｅｎｃｙ）を向上させるために使用されることができる（例えば、ｃｅｌｌ−ｃｅｎｔｅｒ  ＵＥは、同じ送信ブロック（ＴＢ：Ｔｒａｎｓｐｏｒｔ  Ｂｌｏｃｋ）の大きさに対してより少ない数の物理資源ブロック（ＰＲＢ：Ｐｈｙｓｉｃａｌ  Ｒｅｓｏｕｒｃｅ  Ｂｌｏｃｋ）を利用できる）。反面、固定された資源量を利用したＵＬ制御チャネル送信の場合、上向きリンク制御情報（ＵＣＩ：Ｕｐｌｉｎｋ  Ｃｏｎｔｒｏｌ  Ｉｎｆｏｒｍａｔｉｏｎ）（ペイロード）の大きさがＵＥ位置またはチャネル状態に依存しないから、スペクトル効率性（ｓｐｅｃｔｒａｌ  ｅｆｆｉｃｉｅｎｃｙ）を向上させるために、どのようにそういう余剰（ｒｅｄｕｎｄａｎｔ）電力を利用するかが明確でない。したがって、ＵＬ制御チャネルの電力制御のための全体補償を考慮することが好ましい。
【０３５０】
また、ＵＬデータチャネル送信のための部分的な（ｆｒａｃｔｉｏｎａｌ）経路損失補償の場合、ｃｅｌｌ−ｃｅｎｔｅｒ  ＵＥとｃｅｌｌ−ｅｄｇｅ  ＵＥとの間の受信された電力の差は、部分的な（ｆｒａｃｔｉｏｎａｌ）経路損失補償認知の値を利用することによって調整されることができ、この値は、セル半径と目標性能によって相異なることができる。
【０３５１】
したがって、ＵＬ制御チャネル（例えば、ＰＵＣＣＨ等）の電力制御のために、全体（ｆｕｌｌ）経路損失補償を考慮することが好ましい。
【０３５２】
１−２）データ率（ｄａｔａ  ｒａｔｅ）に基づいた電力オフセット（ｐｏｗｅｒ  ｏｆｆｓｅｔ）
【０３５３】
一般に、高いｄａｔａ  ｒａｔｅを支援するために、さらに高い送信電力が要求されることが予想される。しかしながら、ＵＬデータチャネルの電力制御のために、ｄａｔａ  ｒａｔｅに依存して部分的な経路損失補償（ｆｒａｃｔｉｏｎａｌ  ｐａｔｈｌｏｓｓ  ｃｏｍｐｅｎｓａｔｉｏｎ）及び電力オフセット（すなわち、ＬＴＥ標準においてＤｅｌｔａ＿ＴＦと表記）を同時に全部利用することは非効率的でありうる。また、現在ＬＴＥにおいて、このような電力オフセットのタイプは、２より大きなランクに対して支援されない。したがって、ｄａｔａ  ｒａｔｅに依存してセッティングされた電力オフセット無しで、ＮＲでは部分的な経路損失補償（ｆｒａｃｔｉｏｎａｌ  ｐａｔｈｌｏｓｓ  ｃｏｍｐｅｎｓａｔｉｏｎ）を支援することを考慮する必要がある。
【０３５４】
ＵＬデータチャネル（例えば、ＰＵＳＣＨ等）の電力制御のために、ｄａｔａ  ｒａｔｅに依存してセッティングされた電力オフセット無しで、ＮＲでは部分的な経路損失補償（ｆｒａｃｔｉｏｎａｌ  ｐａｔｈｌｏｓｓ  ｃｏｍｐｅｎｓａｔｉｏｎ）のみを支援することを考慮する必要がある。
【０３５５】
１−３）ＴＰＣ命令（ＴＰＣ  ｃｏｍｍａｎｄ）
【０３５６】
ＴＰＣ命令は、速いフェージング（ｆａｓｔ  ｆａｄｉｎｇ）によるチャネル変化（ｃｈａｎｎｅｌ  ｖａｒｉａｔｉｏｎｓ）を補償するために使用されることができる。現在ＬＴＥと関連して、ＰＵＳＣＨ（またはＳＲＳ）電力は、ＵＬグラント（ｇｒａｎｔ）  ＤＣＩ内でシグナリングされたＴＰＣ命令により調整されることができることに対し、ＰＵＣＣＨ電力は、ＤＬ承認（ａｓｓｉｇｎｍｅｎｔ）ＤＣＩ内でシグナリングされたＴＰＣ命令により調整されることができる。その上、半−静的スケジューリング（ＳＰＳ：Ｓｅｍｉ−Ｐｅｒｓｉｓｔｅｎｔ  Ｓｃｈｅｄｕｌｉｎｇ）、周期的なＣＳＩまたはＳＲＳのような関連したＤＣＩのないＵＬ送信において、ＤＣＩフォーマット３／３Ａを利用することによって、ＴＰＣ命令が特定ＵＥグループにシグナリングされることができる。ＵＬ送信電力のアップデートのために、２通りのタイプのＴＰＣ手順が存在する；一つは、累積的な（ａｃｃｕｍｕｌａｔｉｖｅ）ＴＰＣで、残りの一つは、絶対的な（ａｂｓｏｌｕｔｅ）ＴＰＣである。ａｃｃｕｍｕｌａｔｉｖｅ  ＴＰＣは、ＴＰＣ値の相対的に小さな単位大きさを利用することによって、ＵＥ送信電力の精巧な−調整（ｆｉｎｅ−ｔｕｎｉｎｇ）に適している。反面、ａｂｓｏｌｕｔｅ  ＴＰＣは、ＴＰＣ値の相対的に大きな単位大きさを利用して、一度にＵＥ送信電力を高める（ｂｏｏｓｔ）ために有用でありうる。
【０３５７】
経路損失補償の側面から見ると、セル配置（ｃｅｌｌ  ｄｅｐｌｏｙｍｅｎｔ）、ＵＬ物理チャネルタイプ（例えば、制御またはデータ）及び無線チャネル状況を考慮して、ＮＲでＵＬ電力制御手順の設計のために経路損失、電力オフセット、ＴＰＣ命令の側面を検討することが好ましい。
【０３５８】
−ＮＲにおける電力制御のための追加的な特徴
【０３５９】
１−４）ビームフォーミング動作（Ｂｅａｍｆｏｒｍｉｎｇ  ｏｐｅｒａｔｉｏｎ）
【０３６０】
ＮＲ設計において、特に、高い周波数帯域（例えば、６ＧＨｚ超過）において、アナログ（またはハイブリッド（ｈｙｂｒｉｄ））ビームフォーミング基盤動作の導入を考慮する必要がありうる。互いに異なる領域（またはビーム方向）に位置したＵＥをサービスするために、アナログビームフォーミングと共に、ｇＮＢ  ＴＸ／ＲＸビームスイーピング（ｓｗｅｅｐｉｎｇ）（例えば、互いに異なるｇＮＢ  ＴＸ／ＲＸビーム間のＴＤＭ））がＤＬ共通シグナル、同期信号（例えば、ＬＴＥ内でＰＳＳ／ＳＳＳ）またはブロードキャストシステム情報（例えば、ＬＴＥで物理放送チャネル（ＰＢＣＨ：Ｐｈｙｓｉｃａｌ  Ｂｒｏａｄｃａｓｔ  Ｃｈａｎｎｅｌ））のような情報の送信のためにだけでなく、ＤＬ／ＵＬ制御及びデータチャネルの送信のためにも求められることができる。
【０３６１】
ＵＬ性能のために求められる電力がＵＥのビーム別に相異なるから、ＵＥの互いに異なるビーム間の電力制御パラメータの差分（ｄｉｆｆｅｒｅｎｔｉａｔｉｏｎ）を考慮する必要がありうる。
【０３６２】
しかしながら、特にａｃｃｕｍｕｌａｔｉｖｅ  ＴＰＣ手順において、ビーム変更またはスイッチング（ｓｗｉｔｃｈｉｎｇ）と無関係に、ビーム別に電力制御（ＰＣ：Ｐｏｗｅｒ  ｃｏｎｔｒｏｌ）パラメータの区分が共通したＴＰＣ累積プロセスと比較して優先できるかどうかは追加議論が必要である。そういうビーム変更が互いに異なるＴＲＰに発生しない限り、既に安定化した（ｓｔａｂｉｌｉｚｅｄ）送信電力レベルができる限り維持されることが好ましいという点を考慮する時、後者はサービングビームがビーム管理手順により変更されても、ＴＰＣ累積プロセスはリセットされないことを意味する。
【０３６３】
高い信頼度（ｒｅｌｉａｂｉｌｉｔｙ）を要求する目標とするサービス（例えば、ＵＲＬＬＣ（Ｕｌｔｒａ−Ｒｅｌｉａｂｌｅ  ａｎｄ  Ｌｏｗ−Ｌａｔｅｎｃｙ）及び進歩したＶ２Ｘ（ｅＶ２Ｘ：ｅｎｈａｎｃｅｄ  Ｖｅｈｉｃｌｅ−ｔｏ−Ｅｖｅｒｙｔｈｉｎｇ））に対して、ビーム変更／スイッチングによる潜在的な電力制御ミスマッチ（ｍｉｓｍａｔｃｈ）を緩和するために、同じＴＲＰ内でビーム変更またはスイッチングが発生するごとに、ＴＰＣ累積プロセス上に適用される設定可能な（ｃｏｎｆｉｇｕｒａｂｌｅ）追加的な電力オフセットが存在できる。また、ＨＡＲＱ性能を向上させるために、再送信ケースに適用されることもでき、これはｇＮＢにより提供される次のような上位階層設定が必要である。
【０３６４】
ａｃｃｕｍｕｌａｔｉｖｅ  ＴＰＣ手順において、高い信頼性（ｒｅｌｉａｂｉｌｉｔｙ）を要求する目標とするサービス（例えば、ＵＲＬＬＣ及びｅＶ２Ｘ）によって、同じＴＲＰ内でビーム変更またはスイッチングが発生するごとに、共通ＴＰＣ累積プロセスに適用される設定可能な（ｃｏｎｆｉｇｕｒａｂｌｅ）追加的な電力オフセットが考慮される必要がある。
【０３６５】
これと関連して、本発明の提案事項をより具体的に述べると、上述の述べられた３ＧＰＰ  ＲＡＮ１  ＃８７会議のＵＬ  ＰＣ関連内容のうち、「ビーム特定電力制御パラメータ（Ｂｅａｍ  ｓｐｅｃｉｆｉｃ  ｐｏｗｅｒ  ｃｏｎｔｒｏｌ  ｐａｒａｍｅｔｅｒｓ）」と関連して、次のようなイッシューが考慮されなければならない。
【０３６６】
−（端末がＵＬ送信時）送信信号がターゲットとする受信ポイント（例えば、基地局）は同じであるものの（特定ビーム管理（ｂｅａｍ  ｍａｎａｇｅｍｅｎｔ）によって）、該当受信ポイントのＲｘビームが変わった場合（そして／または送信者（例えば、端末）のＴｘビームが変わった場合）に送信信号の電力制御（ＴＰＣ：Ｔｒａｎｓｍｉｔ Ｐｏｗｅｒ  Ｃｏｎｔｒｏｌ）をどのように行うかイッシューが考慮されなければならない。
【０３６７】
これに対する解決策として、一つ方法は、特定ビーム別ＴＰＣチェーン（ｃｈａｉｎ）／プロセス（ｐｒｏｃｅｓｓ）／パラメータ（ｐａｒａｍｅｔｅｒ）（ら）が独立的に設定されることができる。これにより、ビーム別独立的な電力制御が適用されうるようにすることができる。これは、送／受信ビーム方向が変化する場合、受信干渉環境が変化する等の理由で最適の送信電力レベルが変わることができるためである。
【０３６８】
ところが、このように独立的に電力制御を行うことが常に最適の動作を保障することができない。受信ポイント自体が変わったことではなく、同じ送／受信ポイントに対して適用したＴｘ／Ｒｘビームだけが変わったことであるので、急激なＴＰＣ変化を適用することより、ＴＰＣ累積など既存に維持していた（安定化していた）ＰＣをできる限りそのまま維持することが性能側面においてより有利でありうる。
【０３６９】
ただし、ビーム変更／スイッチング（ｂｅａｍ  ｃｈａｎｇｅ／ｓｗｉｔｃｈｉｎｇ）に応じる最適の電力制御は多少変わることができるから、これを考慮して信頼性（ｒｅｌｉａｂｉｌｉｔｙ）を高めるために、下記の提案技術のうち、少なくとも一つの技術が適用されることができる：
【０３７０】
−以上説明したように、同一ＴＲＰに対してはｂｅａｍ  ｃｈａｎｇｅ／ｓｗｉｔｃｈｉｎｇに応じるＴＰＣプロセスを初期化しないようにする。
【０３７１】
このとき、端末が同一ＴＲＰであるかどうかを認識するようにする方法の一例として、前記「（サブ−）時間単位」形態などで設定されるＣＳＩ−ＲＳに基づいてｂｅａｍ  ｃｈａｎｇｅ／ｓｗｉｔｃｈｉｎｇが発生した場合」がその条件になることができる。すなわち、前記の「（サブ−）時間単位」形態などで設定されるＣＳＩ−ＲＳに基づいてｂｅａｍ  ｃｈａｎｇｅ／ｓｗｉｔｃｈｉｎｇが発生した場合」の条件が満たされると、同じＴＲＰと認識されることができる。例えば、該当ＲＳは、特定ｂｅａｍ  ｍａｎａｇｅｍｅｎｔ用途として設定されるか、そして／または単一ＣＳＩ−ＲＳ資源設定内でまたは複数のＣＳＩ−ＲＳ設定であるが、これらの間の特定グループが設定される等（すなわち、同じＴＲＰ特性であることが分かるように設定される場合等）暗黙的に（または明示的に）同じＴＲＰと認識されることができる。
【０３７２】
例えば、前記「ＴＰＣプロセスを初期化しない（すなわち、ＴＰＣ累積を共有するそして／または同一ＵＬ  ＰＣプロセスに従う）」前記該当ＤＬ  ＲＳ（例えば、ＣＳＩ−ＲＳ）／ＳＳ（ら）の特定グループが暗黙的に設定される条件として、これは同じＴｘ電力値及び／または前記ｏｐｅｎ−ｌｏｏｐ  Ｐ０値を同様に設定されたＲＳ／ＳＳ（ら）が同一グループになるように決まる規則が定義／設定されることができる。そして、このグループ内でｂｅａｍ  ｃｈａｎｇｅ／ｓｗｉｔｃｈｉｎｇされる時には、ＴＰＣ累積が継承／共有されることができる（例えば、同じＵＬ  ＰＣプロセスでありうる）。
【０３７３】
このとき、明示的指示の場合、同一ＴＲＰであるかどうかを識別できる特定ＱＣＬ（ＱｕａｓｉＣｏ−Ｌｏｃａｔｅｄ）シグナリングなどが明示的に端末に指示されることができる。例えば、上記の目的の特定ＲＳ／ＳＳ（ら）が同一グループになるようにする特定明示的な設定／シグナリングが提供されることによって、このグループ内でｂｅａｍ  ｃｈａｎｇｅ／ｓｗｉｔｃｈｉｎｇされる時には、ＴＰＣ累積が継承／共有されることができる（例えば、同じＵＬ  ＰＣプロセスでありうる）。
【０３７４】
追加的に、このような同一ＴＲＰ内にｂｅａｍ  ｃｈａｎｇｅ／ｓｗｉｔｃｈｉｎｇが発生した場合に、（一回性で）電力制御プロセスに追加する特定電力オフセット値（例えば、Ｐ＿ｏｆｆｓｅｔ＿ｂｅａｍ）がＲＲＣ設定（及び／または媒体接続制御（ＭＡＣ：Ｍｅｄｉｕｍ  Ａｃｃｅｓｓ  Ｃｏｎｔｒｏｌ）制御要素（ＣＥ：Ｃｏｎｔｒｏｌ  Ｅｌｅｍｅｎｔ）等、第２階層（Ｌ２：Ｌａｙｅｒ２）レベル設定及び／またはＤＣＩなど、第１階層（Ｌ１：Ｌａｙｅｒ  １）レベル設定）されることができる。すなわち、ＴＰＣ累積の場合、ｂｅａｍ  ｃｈａｎｇｅ／ｓｗｉｔｃｈｉｎｇが発生すると、現在の電力値に電力オフセット値（例えば、Ｐ＿ｏｆｆｓｅｔ＿ｂｅａｍ）を加えることができる。これは信頼性（Ｒｅｌｉａｂｉｌｉｔｙ）を高めるためである。
【０３７５】
このような電力オフセット値は、特定サービス別に（例えば、Ｖ２Ｘ、ＵＲＬＬＣ、ｅＭＢＢ，．．．，または各サービスに対応できる特定Ｌ１パラメータ、例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ）別に）相異なるように／独立的にＲＲＣ設定（及び／またはＭＡＣ  ＣＥなどＬ２レベル設定及び／またはＤＣＩなどＬ１レベル設定）されることができる。
【０３７６】
先の説明において「ビーム変更／スイッチング（ｂｅａｍ  ｃｈａｎｇｅ／ｓｗｉｔｃｈｉｎｇ）」という表現で説明された部分は、特に「ビーム変更（ｂｅａｍ  ｃｈａｎｇｅ）」と「ビームスイッチング（ｂｅａｍ  ｓｗｉｔｃｈｉｎｇ）」の動作が区別されることができる。
【０３７７】
例えば、Ｂｅａｍ  ｃｈａｎｇｅは、単一サービングビームだけが設定され、サービングビーム変更が発生する場合を意味できる。そして、ｂｅａｍ  ｓｗｉｔｃｈｉｎｇは、多重サービングビームが設定され、動的なビームスイッチングされる場合を意味できる。例えば、特定（時間−ドメイン）パターンにより定義／設定されるビームサイクリング基盤（半（ｓｅｍｉ）−）ＯＬ送信）。
【０３７８】
Ｂｅａｍ  ｃｈａｎｇｅの場合に、ビーム変更命令が端末にどのように伝達されるかが優先的に考慮されなければならない。より特徴的に、仮にビーム変更命令がＬ１シグナル（例えば、ＤＣＩ）またはＬ２シグナル（例えば、ＭＡＣ  ＣＥ）に伝達されると、該当メッセージ内の大きな範囲（ｌａｒｇｅ  ｒａｎｇｅ）／高いレゾリューション（ｈｉｇｈ  ｒｅｓｏｌｕｔｉｏｎ）の前記電力オフセット値が伝達されることができる。
【０３７９】
また、ビームスイッチング命令もＬ１シグナル（例えば、ＤＣＩ）またはＬ２シグナル（例えば、ＭＡＣ  ＣＥ）で端末に伝達されることができる。該当メッセージ内の前記（別途の）特定電力オフセット値（ら）を伝達することによって、これをいつ適用しなければならないのかの情報も暗黙的にまたは明示的に指示されることができる。例えば、ビームスイッチング／サイクリングのスイッチング周期性関連情報が共に設定されるか、または別に設定される時、特定ビームスイッチングが発生するごとに、このような電力オフセット値（ら）を適用するように設定されることができる。例えば、２回ずつ同じビーム送信後にスイッチングされるパターンであれば、スイッチングされ送信する第１番目の送信時においてのみ前記電力オフセット値を適用し、第２番目の送信時には適用しない等の動作として設定されることができる。
【０３８０】
そして／またビーム変更命令（及び／またはビームスイッチング命令）伝達時に以前ＴＰＣ累積値を継承するか、それともリセットするかに対する指示も端末に共に伝達されることができる。例えば、このような指示が該当Ｌ１及び／またはＬ２命令メッセージ内に含まれることができる。
【０３８１】
万が一、基地局から以前ＴＰＣ累積値を継承するように指示されると、（共に同伴して送信される）特定閉ループ（ｃｌｏｓｅｄ−ｌｏｏｐ）ＴＰＣフィールドで指示するＴＰＣ値（例えば、＋ＸｄＢ、または０ｄＢ、または-Ｙ  ｄＢ，．．．）が現在ＴＰＣ累積値に累積して適用されることができる（また、ここに前記電力オフセット値が（一回性またはビームスイッチングの場合、ビームが変更するごとに）追加に合算されることもできる）。
【０３８２】
万が一、基地局から以前ＴＰＣ累積値をリセットするように指示されると、（共に同伴して送信される）特定閉ループ（ｃｌｏｓｅｄ−ｌｏｏｐ）ＴＰＣフィールドで指示するＴＰＣ値（例えば、＋Ｘ  ｄＢ、または０ｄＢ、または-Ｙ  ｄＢ，．．．）が新しく初期化された（リセットされた）ＰＣプロセス上の初期ＴＰＣ累積された値として適用されることができる（例えば、ＯＬＰＣ成分を計算した後に、ここに新しく初期ＴＰＣ累積された値として適用されることができる）（また、ここに前記電力オフセット値が（一回性またはビームスイッチングの場合、ビームが変更するごとに）追加合算されることもできる）。
【０３８３】
また、ｃｌｏｓｅ−ｌｏｏｐ  ＰＣのために、ＳＲＳの送信が必須でありえ、このとき、ＳＲＳ送信時点とｂｅａｍ  ｃｈａｎｇｅ／ｓｗｉｔｃｈｉｎｇ命令伝達時点間の関係も明確に規定される必要がある。例えば、ビーム１からビーム２にビーム変更（またはスイッチング）が行われる場合、ビーム２方向に対するＳＲＳをビーム変更以後に送信することが一般的でありうるが、ビーム変更以前にビーム２方向に対するＳＲＳを送信させうるように動作を定義／設定することによって、さらに正確なＰＣが行われうるようにすることができる。このために、非周期的な（ａｐｅｒｉｏｄｉｃ）ＳＲＳトリガーリング（例えば、Ｌ１メッセージを介して）時に端末がどんなビームで送信をするようにするのかを端末に明示的に指示できる。または、事前に（別途に）設定する特定予め定義された「ＳＲＳビームセット」に対して、複数のＳＲＳ送信を一度に多発的に行うようにする動作が設定されることができる。例えば、ＳＲＳ送信の対象になることができる候補ビームがビーム１、ビーム２，．．．，ビーム４に定義／設定されている状況で、前記「ＳＲＳビームセット」がこの４通りのビームを全部含むこともでき、例えば｛ビーム２、ビーム３｝だけを含むように設定が提供されることもできる（ここで、このような設定は、以後第３階層（Ｌ３：ｌａｙｅｒ３）（例えば、ＲＲＣ）及び／またはＬ２（例えば、ＭＡＣ）及び／またはＬ１（例えば、ＤＣＩ）により再−設定されることができる）。このように特定「ＳＲＳビームセット」が設定された場合、そして前記特定ＳＲＳトリガーリングメッセージが受信された場合、端末は、ビーム２に対するＳＲＳ送信とビーム３に対するＳＲＳ送信を該当トリガーリングが指示する（またはこれに連動して事前に設定された）ＳＲＳ資源（ら）に対して全部送信するよう動作できる。
【０３８４】
追加で、ビーム閉塞（ｂｅａｍ  ｂｌｏｃｋａｇｅ）などにより同一ＴＲＰ  Ｒｘビームを維持するものの、ＵＥ  Ｔｘビームだけを変更しなければならない場合に適用するようにする、一種のフォールバックモード電力制御（ｆａｌｌｂａｃｋ  ｍｏｄｅ  ｐｏｗｅｒ  ｃｏｎｔｒｏｌ）方式が定義／設定されることができる。例えば、ＵＬビームスイーピング（ｂｅａｍ  ｓｗｅｅｐｉｎｇ）過程において第２番目の最適のビーム（ｓｅｃｏｎｄ  ｂｅｓｔ  ｂｅａｍ）（ペア（ｐａｉｒ））に対する別途の／独立的な電力制御パラメータ（ら）が決定／設定／格納された状態で端末が前記特定ｆａｌｌｂａｃｋ  ｍｏｄｅ  ｐｏｗｅｒ  ｃｏｎｔｒｏｌによる特定ＵＬ送信（例えば、ＳＲＳ送信、ＰＵＣＣＨ送信、及び／またはＰＵＳＣＨ送信）を開始するように設定されることができる。より具体的例示として、特定ＵＬ  ｂｅａｍ  ｍａｎａｇｅｍｅｎｔにより特定方向の第１番目の最適の送信ビーム（１ｓｔ  ｂｅｓｔ  Ｔｘ  ｂｅａｍ）及び／または受信ビーム（Ｒｘ  ｂｅａｍ）（ｐａｉｒ）、第２番目の最適の送信ビーム（２ｎｄ  ｂｅｓｔ  Ｔｘ  ｂｅａｍ）及び／または受信ビーム（Ｒｘ  ｂｅａｍ）（ｐａｉｒ），．．．情報が決定され、このような情報が端末から基地局に報告されるか、または基地局から端末に情報が提供されたりした状態を仮定する。まず、端末の特定ＵＬ送信（例えば、ＳＲＳ送信、ＰＵＣＣＨ送信、及び／またはＰＵＳＣＨ送信）時、１ｓｔ  ｂｅｓｔ  Ｔｘ  ｂｅａｍ及び／またはＲｘ  ｂｅａｍ（ｐａｉｒ）を考慮したビームフォーミングを適用した送／受信が開始されることができる。このとき、このような送信信号に対して受信機（例えば、基地局）での復号が失敗したり（例えば、基地局がＮＡＣＫをフィードバックする）する等の理由で再送信が発生した場合、前記ｆａｌｌｂａｃｋ  ｍｏｄｅ  ｐｏｗｅｒ  ｃｏｎｔｒｏｌ及び／または他のビーム（ｐａｉｒ）基盤送信を行う動作が定義／設定されることができる。特に、「同期化されたＨＡＲＱ（ｓｙｎｃｈｒｏｎｏｕｓ  ＨＡＲＱ）」が適用されるシステムなどにおいて、再送信のための別の明細的なスケジューリンググラントが提供されないで、約束したタイムライン（ｔｉｍｅｌｉｎｅ）に沿って再送信を開始するように定義／設定された状況で、ｎ番目の再送信（ｎ＝１，２，．．．）時に適用するようにする特定Ｔｘ  ｂｅａｍ及び／またはＲｘ  ｂｅａｍ（ｐａｉｒ）及び／または特定電力オフセットパラメータ（ら）（（再送信別）Ｐ＿ｏｆｆｓｅｔ＿ｂｅａｍ値を含む）が事前に特定パターンで定義／設定されて端末に情報が提供されることができ、端末は、これに基づいて該当ＵＬ送信を開始するように設定／指示されることができる。
【０３８５】
さらに具体的に、このとき、前記ＵＬ送信の対象がＰＵＣＣＨであるかＰＵＳＣＨであるかによって、相異なる方法が適用されることができる。例えば、ＰＵＣＣＨは、基地局が１ｓｔ  ｂｅｓｔ（ＵＬ）ｂｅａｍ  ｐａｉｒに対して合わせたＴＲＰ  Ｒｘ  ｂｅａｍに対して、２ｎｄ  ｂｅｓｔ  ＵＥ  Ｔｘ  ｂｅａｍを使用した場合の電力制御パラメータ（ら）（（再送信別）関連したＰ＿ｏｆｆｓｅｔ＿ｂｅａｍ値を含む）を（フォールバックとして）使用／適用し、ＰＵＳＣＨは、２ｎｄ  ｂｅｓｔ  ＵＬ  ｂｅａｍ  ｐａｉｒに対する電力制御パラメータ（ら）（（再送信別）関連したＰ＿ｏｆｆｓｅｔ＿ｂｅａｍ値を含む）を使用／適用するようにする等で関連した設定が端末に提供され、端末は、これに基づいて該当送信を開始するように動作されることができる。
【０３８６】
前記フォールバック形態の送信が発生する場合に（例えば、特定ｎ番目の再送信）適用するようにする特定ｋ番目の最適の（ｂｅｓｔ）Ｔｘ及び／またはＲｘ  ｂｅａｍ（ｐａｉｒ）は、相対的により広いビーム幅（ｗｉｄｅ  ｂｅａｍ  ｗｉｄｔｈ）を有するように設定されることができる。これにより該当フォールバック目的（例えば、第１番目の最適のｂｅａｍ（ｐａｉｒ）に対するエラー発生などに対処するための目的）として設定／適用されることができる。または、このようなフォールバック送信（例えば、ｎ番目の再送信）時には、前記言及された特定「ビームスイッチング」による送信が開始されると動作が事前に設定／限定される方式も適用されることができる。
【０３８７】
１−５）電力送信周期
【０３８８】
一般に、ＵＬデータチャネルを介して伝達される情報の量は、ＵＬ制御チャネルより大きいと予想される。したがって、ＵＬデータチャネル送信のために要求される電力は、ＵＬ制御チャネルで要求される電力より大きくありうる。ＮＲ設計において、遅延減少（ｌａｔｅｎｃｙ  ｒｅｄｕｃｔｉｏｎ）、柔軟なＵＬ／ＤＬ設定、アナログビームフォーミングのために、ＵＬデータ及び制御チャネル間の多重化のためにＴＤＭが考慮される。ＵＬデータ及び制御チャネルがＴＤＭ方式で多重化される場合、互いに異なる２個のチャネル間の電力不均衡（ｉｍｂａｌａｎｃｅ）は、現在ＬＴＥと比較して相対的に大きくありえ、このような不均衡を調整する必要がある。また、ＮＲにおいて多様なＯＦＤＭヌメロロジー（ｎｕｍｅｒｏｌｏｇｙ）（例えば、互いに異なるサブキャリア間隔（ｓｐａｃｉｎｇ）またはシンボル区間（ｓｙｍｂｏｌ  ｄｕｒａｔｉｏｎ））が利用される点を考慮する時、特定ヌメロロジー（ｎｕｍｅｒｏｌｏｇｙ）（例えば、大きなサブ−キャリア間隔）に対してＵＬデータ及び制御チャネル間電力送信周期を調整する必要がある。
【０３８９】
ＮＲにおいてＵＬ電力制御のために、アナログビームフォーミング動作、電力送信周期のように追加的な特徴を考慮することが好ましい。
【０３９０】
１−６）ＴＲＰ別、そしてレイヤー別電力制御
【０３９１】
多重のｉｎｔｒａ／ｉｎｔｅｒ−ＴＲＰにわたった協力された送信（ｃｏｏｒｄｉｎａｔｅｄ  ｔｒａｎｓｍｉｓｓｉｏｎ）技法が論議される。特にＮＲにおける高い周波数帯域において、ＴＲＰ当たりの優勢な光線（ｄｏｍｉｎａｎｔ  ｒａｙ）の数または単一パネルが制限されることができる（例えば、最大ランク２までだけ考慮）。従って、単一ユーザＭＩＭＯ（ＳＵ−ＭＩＭＯ：Ｓｉｎｇｌｅ  Ｕｓｅｒ−ＭＩＭＯ）スペクトル効率性（ｓｐｅｃｔｒａｌ  ｅｆｆｉｃｉｅｎｃｙ）を達成するために、協力多重ポイント（ＣｏＭＰ：Ｃｏｏｒｄｉｎａｔｅｄ  ＭｕｌｔｉＰｏｉｎｔ）、動的ポイント選択（ＤＰＳ：Ｄｙｎａｍｉｃ  Ｐｏｉｎｔ  Ｓｅｌｅｃｔｉｏｎ）、独立した−レイヤー（ｉｎｄｅｐｅｎｄｅｎｔ−ｌａｙｅｒ）ジョイント送信（ＪＴ：Ｊｏｉｎｔ  Ｔｒａｎｓｍｉｓｓｉｏｎ）を含んで多重ＴＲＰにわたった協力された送信技法は、ＮＲで議論する必要がある。ＤＬ関連したＤＣＩが送信ランクと適用される協力技法を指示する時、与えられた時間時点（ｔｉｍｅ  ｉｎｓｔａｎｃｅ）にアナログビームフォーミングが適用されるごとに、ＵＥ側面でのＤＣＩデコードレイテンシ（ｌａｔｅｎｃｙ）は、主な問題のうちの一つでありうる。これは、例えば、ＤＣＩ送信は、サービングＴＲＰにより行われるが、実際データ送信は、さらに他のＴＲＰにより行われることができるためである。
【０３９２】
特徴レイヤー（ら）が互いに異なるＴＲＰから送信されうるｉｎｄｅｐｅｎｄｅｎｔ−ｌａｙｅｒ  ＪＴの場合、互いに異なるＴＲＰから少なくとも経路損失が相異なることができるので、レイヤー−グループ当たりの該当ＵＬ送信電力は、ｇＮＢにより設定され制御される必要がある。また、互いに異なるＴＲＰをターゲットした個別的なＵＬ電力制御プロセスは、ＵＬ−ＣｏＭＰコンテキスト内で論議される必要がある。
【０３９３】
ＮＲにおいて最小限ＤＰＳ及びｉｎｄｅｐｅｎｄｅｎｔ−ｌａｙｅｒ  ＪＴを適切に支援するために、ＴＲＰ別そしてレイヤー−グループ別ＵＬ電力制御は、さらに検討する必要がある。
【０３９４】
以下、ＮＲにおいてＵＬのビーム−特定（ｂｅａｍ−ｓｐｅｃｉｆｉｃ）電力制御方法について説明する。
【０３９５】
ＵＬ電力制御と関連して、次のような事項が合意された。
【０３９６】
ｉ）ビーム特定電力制御において、ＮＲは、ビーム特定開ループ（ｏｐｅｎ  ｌｏｏｐ）及び閉ループ（ｃｌｏｓｅｄ−ｌｏｏｐ）パラメータを定義する。
【０３９７】
ここで、特にレイヤー／レイヤー−グループ／パネル（ｐａｎｅｌ）特定／ビームグループ特定／ビームペアリンク特定電力制御と関連して、「ビーム特定（ｂｅａｍ  ｓｐｅｃｉｆｉｃ）」に対する詳細な内容は、後に論議される。
【０３９８】
ｉｉ）仮に、ＵＥが互いに異なる波形（ｗａｖｅｆｏｒｍ）が設定されることができるならば、ｇＮＢは、互いに異なる波形（ｗａｖｅｆｏｒｍ）に対する電力ヘッドルーム差（ｐｏｗｅｒ  ｈｅａｄｒｏｏｍ  ｄｉｆｆｅｒｅｎｃｅ）を知っている。オフセット、電力制御パラメータ（例えば、Ｐ＿ｃ、最大または他の開／閉ループパラメータ）についての詳細な内容は、後に論議される。
【０３９９】
ｉｉｉ）ＵＬグラント（ｇｒａｎｔ）内の少なくとも次のような情報がシグナリングされることによって、ＵＬのためのコードブック基盤送信が支援される：
【０４００】
−ＳＲＳ資源指示子（ＳＲＩ：Ｓｏｕｎｄｉｎｇ  Ｒｅｓｏｕｒｃｅ  Ｉｎｄｉｃａｔｏｒ）＋送信プリコーディング行列指示子（ＴＰＭＩ：Ｔｒａｎｓｍｉｔ  Ｐｒｅｃｏｄｉｎｇ  Ｍａｔｒｉｘ  Ｉｎｄｉｃａｔｏｒ）＋送信ランク指示子（ＴＲＩ：Ｔｒａｎｓｍｉｔ  Ｒａｎｋ  Ｉｎｄｉｃａｔｏｒ）
【０４０１】
ここで、ＴＰＭＩは、ＳＲＩにより選択されたＳＲＳ資源内のＳＲＳポートにわたって選好されるプリコーダー（ｐｒｅｃｏｄｅｒ）を指示するために利用される。
【０４０２】
仮に、単一のＳＲＳ資源が設定される時、ＳＲＩは存在しない。このとき、ＴＰＭＩは、設定された単一ＳＲＳ資源内のＳＲＳポートにわたって選好されるプリコーダー（ｐｒｅｃｏｄｅｒ）を指示するために使用される。
【０４０３】
−多重のＳＲＳ資源の選択が支援される
【０４０４】
以上のような合意に基づいて、ビーム−特定ＵＬ電力制御に対する本発明に係る提案を説明する。
【０４０５】
ＵＬ性能のために要求される電力がＵＥのビーム別に相異なるために、ＵＥの互いに異なるビーム間にビーム−特定開ループ（ｏｐｅｎ  ｌｏｏｐ）及び閉ループ（ｃｌｏｓｅｄ  ｌｏｏｐ）パラメータの差分（ｄｉｆｆｅｒｅｎｔｉａｔｉｏｎ）を支援するように合意された。
【０４０６】
しかし、特にａｃｃｕｍｕｌａｔｉｖｅ  ＴＰＣ手順において、ビーム変更またはスイッチング（ｓｗｉｔｃｈｉｎｇ）と無関係に、共通したＴＰＣ累積プロセスと比較して優先できるかどうかは追加議論が必要である。そういうビーム変更が互いに異なるＴＲＰに発生しない限り、既に安定化した（ｓｔａｂｉｌｉｚｅｄ）送信電力レベルができる限り維持されることが好ましい点を考慮する時、後者はサービングビームがビーム管理手順により変更されても、ＴＰＣ累積プロセスはリセットされないことを意味する。
【０４０７】
高い信頼度（ｒｅｌｉａｂｉｌｉｔｙ）を要求する目標としたサービス（例えば、ＵＲＬＬＣ及びｅＶ２Ｘ）に対して、ビーム変更／スイッチングによる潜在的な電力制御ミスマッチ（ｍｉｓｍａｔｃｈ）を緩和するために、同じＴＲＰ内でビーム変更またはスイッチングが発生するごとに、ＴＰＣ累積プロセス上に適用される設定可能な（ｃｏｎｆｉｇｕｒａｂｌｅ）追加的な電力オフセットが存在できる。
【０４０８】
ａｃｃｕｍｕｌａｔｉｖｅ  ＴＰＣ手順において、高い信頼性（ｒｅｌｉａｂｉｌｉｔｙ）を要求する目標としたサービス（例えば、ＵＲＬＬＣ及びｅＶ２Ｘ）に応じて、同じＴＲＰ内でビーム変更またはスイッチングが発生するごとに、共通ＴＰＣ累積プロセスに適用される設定可能な（ｃｏｎｆｉｇｕｒａｂｌｅ）追加的な電力オフセットが考慮される必要がある。
【０４０９】
開ループ電力制御（ＯＬＰＣ：Ｏｐｅｎ  Ｌｏｏｐ  Ｐｏｗｅｒ  ｃｏｎｔｒｏｌ）と関連して、経路損失を補償するために、同期信号（ＳＳ：Ｓｙｎｃｈｒｏｎｉｚａｔｉｏｎ  Ｓｉｇｎａｌ）ブロック（ＰＢＣＨ  ＤＭＲＳ）及びＣＳＩ−ＲＳのような適切なＤＬ  ＲＳが少なくてもビーム相関（ｂｅａｍ  ｃｏｒｒｅｓｐｏｎｄｅｎｃｅ）を支援するＵＥで定義されなければならない。ＵＬ−ＣｏＭＰ動作を考慮して、ＵＬ  ＣＳＩ獲得のためのＳＲＳ資源別に経路損失補償のための互いに異なるＤＬ  ＲＳが設定されることができる。
【０４１０】
例えば、以上の提案された内容は、次の通りに適用されることができる：
【０４１１】
−ＰＬ＿ｃ（ｑ＿ｄ）は、サービングセルｃに対して参照信号（ＲＳ）資源ｑ＿ｄを利用してＵＥにより計算されたｄＢ内の下向きリンク経路−損失である。
【０４１２】
ここで、ＵＥにＰＵＳＣＨ経路損失参照ＲＳ数を指示する上位階層パラメータ（例えば、「ｎｕｍ−ｐｕｓｃｈ−ｐａｔｈｌｏｓｓＲｅｆｅｒｅｎｃｅ−ｒｓ」）によりＲＳ資源の個数が設定されることができる。
【０４１３】
そして、ＲＳ資源の個数に対して各々のＲＳ構成セットは、ＰＵＳＣＨ経路損失参照ＲＳを指示する上位階層パラメータ（例えば、ｐｕｓｃｈ−ｐａｔｈｌｏｓｓ−Ｒｅｆｅｒｅｎｃｅ−ｒｓ）により提供されることができる。ここで、ＰＵＳＣＨ経路損失参照ＲＳを指示する上位階層パラメータ（例えば、ｐｕｓｃｈ−ｐａｔｈｌｏｓｓ−Ｒｅｆｅｒｅｎｃｅ−ｒｓ）は、ＰＵＳＣＨ経路損失参照同期信号ブロック（ＳＳＢ：ｓｙｎｃｈｒｏｎｉｚａｔｉｏｎ  ｓｉｇｎａｌ  ｂｌｏｃｋ）を指示する上位階層パラメータ（例えば、「ｐｕｓｃｈ−ｐａｔｈｌｏｓｓＲｅｆｅｒｅｎｃｅ−ＳＳＢ」）により提供されたＳＳ／ＰＢＣＨブロックインデックスのセット、ＰＵＳＣＨ経路損失参照ＣＳＩ−ＲＳを指示する上位階層パラメータ（例えば、「ｐｕｓｃｈ−ｐａｔｈｌｏｓｓＲｅｆｅｒｅｎｃｅ−ＣＳＩＲＳ」）により提供されたＣＳＩ−ＲＳ構成インデックスのセットのうちの一つまたは全てを含むことができる。
【０４１４】
そして、ＵＥは、ＰＵＳＣＨ経路損失参照インデックスを指示する上位階層パラメータ（例えば、「ｐｕｓｃｈ−ｐａｔｈｌｏｓｓｒｅｆｅｒｅｎｃｅ−ｉｎｄｅｘ」）に提供された情報（値）でＳＳ／ＰＢＣＨブロックまたはＣＳＩ−ＲＳ構成と対応するＲＳ資源セット内のＲＳ資源を識別できる。
【０４１５】
下向きリンク経路−損失推定を獲得するために、ＵＥがＳＲＳ資源のセットとＲＳ資源のセットとの間のマッピングがＳＲＳ空間関係（ｓｐａｔｉａｌ  ｒｅｌａｔｉｏｎ）情報を表す上位階層パラメータ（例えば、「ＳＲＳ−ＳｐａｔｉａｌＲｅｌａｔｉｏｎＩｎｆｏ」）により設定されると、ＵＥは、下向きリンク経路−損失推定を獲得するために、ＰＵＳＣＨ送信をスケジューリングするＤＣＩフォーマット（例えば、ＤＣＩフォーマット０＿０またはＤＣＩフォーマット０＿１）内のＳＲＩの値により指示されたＲＳ資源を利用する。すなわち、上位階層に設定される前記ＳＲＳ空間関係（ｓｐａｔｉａｌ  ｒｅｌａｔｉｏｎ）情報を表すパラメータ（例えば、「ＳＲＳ−ＳｐａｔｉａｌＲｅｌａｔｉｏｎＩｎｆｏ」）が一つのＣＳＩ−ＲＳまたは一つのＳＳＢを指示すると、ＵＥは、これを経路損失（ＰＬ：ｐａｔｈｌｏｓｓ）計算時に適用することができる。
【０４１６】
また、前記パラメータは、上述したようにＳＲＳ資源別またはＳＲＳ資源セット別に設定（例えば、上位階層シグナリング（ＲＲＣ等）されることができる。
【０４１７】
前記ＲＲＣパラメータは、以下の表６のように設定されることができる。
【０４１８】
【表６】
0006968914.tif 000026
【０４１９】
ただし、上述した動作は、前記ＳＲＳ空間関係情報を表す上位階層パラメータ（例えば、「ＳＲＳ−ＳｐａｔｉａｌＲｅｌａｔｉｏｎＩｎｆｏ」）が一つのＣＳＩ−ＲＳまたは一つのＳＳＢを指示する時においてのみ適用可能なように限定されることもできる。すなわち、仮に前記ＳＲＳ空間関係情報を表す上位階層パラメータ（例えば、「ＳＲＳ−ＳｐａｔｉａｌＲｅｌａｔｉｏｎＩｎｆｏ」）が一つの（さらに他の）ＳＲＳ資源を指示する場合（この場合は、後述する「ビーム相関のない（ｗｉｔｈｏｕｔ  ｂｅａｍ  ｃｏｒｒｅｓｐｏｎｄｅｎｃｅ）」である場合に対応できる）、下記提案された通りに別に設定された予め設定されたＤＬ  ＲＳ（例えば、一つのＣＳＩ−ＲＳまたは一つのＳＳＢ）（及び／または例えば、ＳＳブロック（ＰＢＣＨ  ＤＭＲＳ）または設定されたＣＳＩ−ＲＳのセットのようなＤＬ  ＲＳの基本タイプに基づいた予め定義された／設定された関数または規則により決定された）のようなＤＬ  ＲＳに基づいて経路損失が計算されるようにする動作が定義／設定／指示されることができる。
【０４２０】
そして／または、以上のようにＳＲＳ空間関係情報を表すパラメータ（「ＳＲＳ−ＳｐａｔｉａｌＲｅｌａｔｉｏｎＩｎｆｏ」）が一つの（さらに他の）ＳＲＳ資源を指示している場合、該当指示される参照ＳＲＳ資源自体が設定される時にその資源に対する別途／独立的なＳＲＳ空間関係情報を表すパラメータ（「ＳＲＳ−ＳｐａｔｉａｌＲｅｌａｔｉｏｎＩｎｆｏ」）が一つのＣＳＩ−ＲＳまたは一つのＳＳＢを指示しているならば、これは経路損失計算時に適用されることができる。すなわち、前記ＤＣＩにあるＳＲＩフィールドが指示するＳＲＳ資源自体に対するサブ−パラメータであるＳＲＳ空間関係情報を表すパラメータ（「ＳＲＳ−ＳｐａｔｉａｌＲｅｌａｔｉｏｎＩｎｆｏ」）が一つの（さらに他の）ＳＲＳ資源（ＵＬビーム管理（ＢＭ：Ｂｅａｍ  Ｍａｎａｇｅｍｅｎｔ）のための）を指示する場合、この資源に対するサブ−パラメータであるＳＲＳ空間関係情報を表すパラメータ（「ＳＲＳ−ＳｐａｔｉａｌＲｅｌａｔｉｏｎＩｎｆｏ」）において一つのＣＳＩ−ＲＳまたは一つのＳＳＢを指示しているならば、これを経路損失計算時に適用する方式で複数の段階を経るＤＬ  ＲＳを指示することもできる。このように間接的に指示する方式は、続く一つの（さらに他の）ＳＲＳ資源が指示されるかぎり、複数の段階を経て到達することによって指示された特定ＤＬ  ＲＳを経路損失計算時に適用するようにする方式で一般化されることもできる。
【０４２１】
ビーム相関（ｂｅａｍ  ｃｏｒｒｅｓｐｏｎｄｅｎｃｅ）のない端末の場合、経路損失補償は、ＳＳブロック（ＰＢＣＨ  ＤＭＲＳ）及び／または設定されたＣＳＩ−ＲＳのセットのようなＤＬ  ＲＳの基本タイプに基づいて、予め定義された／設定された関数または規則により行われることができる。換言すれば、ＵＥは、ＤＬ  ＲＳ（例えば、ＳＳブロック及び／またはＣＳＩ−ＲＳ）を利用して計算されたＲＳＲＰ等を介して下向きリンク経路損失推定値を計算し、下向きリンク経路損失推定値に基づいて逆補償で上向きリンクパワーを計算できる。
【０４２２】
すなわち、このようなＤＬ  ＲＳ（例えば、ＳＳブロック（ＰＢＣＨ  ＤＭＲＳ）及び／または設定されたＣＳＩ−ＲＳのセット）情報が端末に別に設定されることができる（例えば、ＲＲＣ、ＭＡＣ  ＣＥ及び／またはＤＣＩにより）。そして、端末がこれに基づいて経路損失補償動作を行うことができる。
【０４２３】
そして／またはＤＬ  ＲＳ情報が基地局により別に設定されなくても、端末は、サービングセルに関する特定ＤＬ  ＲＳ（例えば、ＳＳブロック（ＰＢＣＨ  ＤＭＲＳ）及び／または設定されたＣＳＩ−ＲＳのセット）に基づいて、経路損失補償動作を行うことができる。このとき、例えば、特定ＤＬ  ＲＳは、基本（ｄｅｆａｕｌｔ）ＤＬ  ＲＳまたは最下位（または最上位）−インデックスを有するか（平均電力レベル（例えば、ＲＳＲＰ）で整列（ｓｏｒｔ）された時）、またはそれに基づいた情報に基づいて最適の電力レベル（ｂｅｓｔ  ｐｏｗｅｒ  ｌｅｖｅｌ）を有する少なくとも一つの（以前にまたは最後に報告された）ＤＬ  ＲＳに該当できる。
【０４２４】
そして／またはこれと共に下記の最大動作または特定重み平均関数など特定計算関数が定義／設定されることができる。例えば、最大関数または一部重み平均関数は、ビーム相関（ｂｅａｍ  ｃｏｒｒｅｓｐｏｎｄｅｎｃｅ）のない場合のための経路損失補償を行うように定義されることができる。
【０４２５】
したがって、ＯＬＰＣの場合、経路損失補償のための適切なＤＬ  ＲＳがＳＲＳ資源別に定義または設定されなければならない。そして、経路損失補償のための予め定義された／設定された関数は、ビーム相関（ｂｅａｍ  ｃｏｒｒｅｓｐｏｎｄｅｎｃｅ）のない端末のために決定されなければならない。
【０４２６】
コードブック基盤ＵＬのための送信と関連して、ＵＬグラント（ｇｒａｎｔ）内のＳＲＩは、多重のＳＲＳ資源の選択を指示できる。
【０４２７】
このような多重のＳＲＳ資源は、ＵＬ内で多重−パネル（ｍｕｌｔｉ−ｐａｎｅｌ）ジョイント送信を支援できる。そして、各指示されたＳＲＳ資源と関連した各パネル送信は、ＵＬ−ＣｏＭＰのコンテキスト内の互いに異なるＵＬ受信ポイント（ＲＰ：ｒｅｃｅｐｔｉｏｎ  ｐｏｉｎｔ）をターゲット（目標）とすることができる。
【０４２８】
これを適切に支援するために、ＮＲネットワークは、ＳＲＳ資源別に個別的な電力制御プロセスと共に互いに異なるＳＲＳ資源（または互いに異なるＳＲＳ資源セット（グループ））に対応する他のレイヤーグループ当たりの適切なＭＣＳを計算できなければならない。
【０４２９】
したがって、ＵＥのための多重ＵＬＰＣプロセスが支援される必要があり、各ＵＬＰＣプロセスは、ＵＥに設定された少なくとも一つのＳＲＳ資源と関連することができる。
【０４３０】
例えば、設定されたＳＲＳ資源ＩＤ（ｉｄｅｎｔｉｆｉｅｒ）＃１及び＃２は、同じＵＬＰＣプロセスＡと関連することができるが、さらに他の設定されたＳＲＳ資源ＩＤ＃３は、他のＵＬＰＣプロセスＢと関連することができる。ＵＬＰＣプロセスＡ及びＢは、他の受信ポイント（ＲＰ）をターゲット（目標）とすることができる。
【０４３１】
すなわち、ＵＬＰＣプロセスは、上向きリンク（すなわち、上向きリンク参照信号（例えば、ＳＲＳ）、上向きリンクチャネル（例えば、ＰＵＳＣＨ、ＰＵＣＣＨ）））送信の電力制御のために同じパラメータ（例えば、上向きリンク電力制御のために基地局により指示されるｄＢ単位の電力値（Ｐ０）、ＵＥにより計算される下向きリンク経路損失推定のために用いられる参照信号（例えば、ＳＳＢ、ＣＳＩ−ＲＳ等）情報、下向きリンク経路損失推定を補償するためにＵＥにより計算された下向きリンク経路損失推定値に掛けられるアルファ（α）値等）が利用されることを意味できる。したがって、上の例において同じＵＬＰＣプロセスに関連する一つ以上のＳＲＳ資源は、該当ＳＲＳ資源上においてＵＥがＳＲＳを送信する時に同じ電力制御パラメータが適用されるということを意味できる。結局、上の例において一つのＵＬＰＣプロセスは、一つ以上のＳＲＳ資源と関連することができ、このような一つ以上のＳＲＳ資源をＳＲＳ資源セット（グループ）でグルーピングするならば、ＳＲＳ資源セット別に個別的に電力制御のためのパラメータが設定されるものと理解されることができる。すなわち、上の説明によってＳＲＳ＃１及び＃２は、一つのＳＲＳ資源セット（グループ）に属すると解析されることができ、結局、共通した電力制御のためのパラメータが適用されることができる。
【０４３２】
そして、同じＵＬＰＣプロセスＡに従うＳＲＳ資源＃１及び＃２は、ＵＬグラント（ｇｒａｎｔ）内のＳＲＩ指示により動的に選択されることができる。すなわち、ＵＬ  ｇｒａｎｔ内のＳＲＩフィールドにより一つのＳＲＳ資源セット内に属したＳＲＳ資源＃１及び＃２のうち、どのＳＲＳ資源上においてＵＥがＳＲＳを送信しなければならないのかがＵＥに指示されることができる。
【０４３３】
例えば、ＳＲＳ資源＃１及び＃３がＵＬ  ｇｒａｎｔ内のＳＲＩフィールドによりジョイントリー（ｊｏｉｎｔｌｙ）指示される時、これはレイヤー−グループ−個別的な（ｌａｙｅｒ−ｇｒｏｕｐ−ｓｅｐａｒａｔｅｄ）ＵＬ多重−パネル（ｍｕｌｔｉ−ｐａｎｅｌ）送信動作、またはｇＮＢでＵＬ  ＣｏＭＰジョイント受信動作として解析されることができる。
【０４３４】
この場合、各指示されるＳＲＳ資源別に独立的な電力制御が行われることができる。そして／または各指示されるＳＲＳ資源別にランク／階層数が別に（同じＵＬ  ｇｒａｎｔ内で）指示されることができる。そして／またはこれに合せた（別の）ＴＰＭＩ情報などが各指示されるＳＲＳ資源別に（同じＵＬ  ｇｒａｎｔ内で）提供されることができる。すなわち、この場合は、互いに異なるＳＲＳ資源セット（グループ）に属するＳＲＳ資源（すなわち、ＳＲＳ資源＃１と＃３）が同時にＵＥに指示されたので、各ＳＲＳ資源別に独立的な電力制御が行われると解析されることができる。
【０４３５】
換言すれば、ＵＬ  ｇｒａｎｔ内の一つのＳＲＩフィールドにより複数のＳＲＳ資源（すなわち、互いに異なるＳＲＳ資源セットに属した、すなわち互いに異なるＴＲＰに関連した）が同時に指示されることができ、前記複数のＳＲＳ資源の各々に対して互いに異なるレイヤーグループが設定されることができる。この場合、レイヤーグループ別に前記ＰＵＳＣＨの電力制御のためのパラメータセットが個別的に決定されることができる。
【０４３６】
結局、適切に多重−パネルＵＬ送信及びＵＬ−ＣｏＭＰ動作を支援するために、ＵＥのための多重ＵＬＰＣプロセス（すなわち、各ＳＲＳ資源セット（グループ）別に同じ電力制御パラメータが適用される多重のＳＲＳ資源セット（グループ））が支援されなければならなく、各ＵＬＰＣプロセス（すなわち、各ＳＲＳ資源セット（グループ））は、ＵＥに設定された少なくとも一つのＳＲＳ資源に関連することができる。
【０４３７】
先の説明では、説明の便宜のために２個のＳＲＳ資源セット（グループ）を仮定し、また一つのＳＲＩフィールドを介して２個のＳＲＳ資源が指示される場合を仮定して説明しているが、これは説明の便宜のためのものであり、本発明がこれに限定されるものではない。
【０４３８】
以下、ＮＲにおいて上向きリンク電力制御方法について説明する。
【０４３９】
ＵＬ電力制御と関連して次のような事項が合意された。
【０４４０】
ｉ）ＮＲは、ＵＬＰＣのためのビーム特定経路損失を支援する。
【０４４１】
ｉｉ）次のようなＤＬ  ＲＳはＵＬＰＣのための経路損失（ＰＬ：Ｐａｔｈｌｏｓｓ）計算のために使用されることができる。
【０４４２】
−セコンダリー同期信号（ＳＳＳ：Ｓｅｃｏｎｄａｒｙ  Ｓｙｎｃｈｒｏｎｉｚａｔｉｏｎ  Ｓｉｇｎａｌ）とＰＢＣＨのためのＤＭ−ＲＳ間の電力オフセットをＵＥが知っているならば、ＳＳブロックのＳＳＳ及びＰＢＣＨのためのＤＭ−ＲＳが全部利用される。
【０４４３】
−ＳＳＳとＰＢＣＨのためのＤＭ−ＲＳ間の電力オフセットをＵＥが知らないならば、ＳＳブロックのＳＳＳだけが利用される。
【０４４４】
−ＣＳＩ−ＲＳが利用される。
【０４４５】
ｉｉｉ）単一の非周期的なＳＲＳトリガーリングフィールドによりトリガーされた非周期的なＳＲＳ送信の場合、ＵＥは、ＵＬビーム管理のためのＮ（Ｎ＞１）個のＳＲＳ資源を送信するように設定されることができる。
【０４４６】
以下、上記の合意事項に基づいて、ＮＲにおいてＵＬ電力制御方法を説明する。
【０４４７】
ＵＬ性能のために要求される電力がＵＥに対したビーム別に相異なるために、ＮＲでは、ＵＥのための互いに異なるビームの間にビーム−特定開ループ（Ｏｐｅｎ  Ｌｏｏｐ）及び閉ループ（ｃｌｏｓｅｄ  ｌｏｏｐ）パラメータの差分（ｄｉｆｆｅｒｅｎｔｉａｔｉｏｎ）を支援するように合意された。
【０４４８】
しかしながら、特にａｃｃｕｍｕｌａｔｉｖｅ  ＴＰＣ手順において、ビーム変更またはスイッチング（ｓｗｉｔｃｈｉｎｇ）と無関係に、ビーム別に電力制御（ＰＣ：Ｐｏｗｅｒ  ｃｏｎｔｒｏｌ）パラメータの区分が共通したＴＰＣ累積プロセスと比較して優先されるかどうかは、追加議論が必要である。そういうビーム変更が互いに異なるＴＲＰに発生しない限り、既に安定化した（ｓｔａｂｉｌｉｚｅｄ）送信電力レベルが可能な維持されることが好ましい点を考慮する時、後者は、サービングビームがビーム管理手順により変更されても、ＴＰＣ累積プロセスはリセットされないことを意味する。
【０４４９】
高い信頼度（ｒｅｌｉａｂｉｌｉｔｙ）を要求する目標としたサービス（例えば、ＵＲＬＬＣ及びｅＶ２Ｘ）に対して、ビーム変更／スイッチングによる潜在的な電力制御ミスマッチ（ｍｉｓｍａｔｃｈ）を緩和するために、同じＴＲＰ内でビーム変更またはスイッチングが発生するごとに、ＴＰＣ累積プロセス上に適用される設定可能な（ｃｏｎｆｉｇｕｒａｂｌｅ）追加的な電力オフセットが存在できる。
【０４５０】
ａｃｃｕｍｕｌａｔｉｖｅ  ＴＰＣ手順において、高い信頼性（ｒｅｌｉａｂｉｌｉｔｙ）を要求する目標としたサービス（例えば、ＵＲＬＬＣ及びｅＶ２Ｘ）に応じて、同じＴＲＰ内でビーム変更またはスイッチングが発生するごとに、共通ＴＰＣ累積プロセスに適用される設定可能な（ｃｏｎｆｉｇｕｒａｂｌｅ）追加的な電力オフセットが考慮される必要がある。
【０４５１】
ＯＬＰＣと関連して、ＵＬ−ＣｏＭＰ動作を考慮すると、経路損失補償のための互いに異なるＤＬ  ＲＳがＵＬ  ＣＳＩ獲得のためにＳＲＳ資源別に設定されることができる。ビーム相関（ｂｅａｍ  ｃｏｒｒｅｓｐｏｎｄｅｎｃｅ）のないＵＥの場合、経路損失補償は、ＳＳブロック（ＰＢＣＨ  ＤＭＲＳ及び／またはＳＳＳ）のセットまたは設定されたＣＳＩ−ＲＳのような基本タイプのＤＬ  ＲＳに基づいて予め定義された／設定された関数または規則により行われることができる。例えば、最大機能または一部重み平均機能は、ビーム相関（ｂｅａｍ  ｃｏｒｒｅｓｐｏｎｄｅｎｃｅ）のない場合に経路損失補償を行うように定義されることができる。
【０４５２】
ＯＬＰＣにおいて、経路損失補償のための予め−定義された／設定された機能がビーム相関（ｂｅａｍ  ｃｏｒｒｅｓｐｏｎｄｅｎｃｅ）無しでＵＥのために決定されなければならない。
【０４５３】
ＵＬのためのコードブック基盤送信と関連した合意を考慮すると、ＵＬグラント（ｇｒａｎｔ）内のＳＲＩは、ＳＲＳ資源の多重選択を指示でき、これはＵＬにおいて多重−パネルジョイント送信を支援できる。また、各指示されたＳＲＳ資源と関連した各パネル送信は、ＵＬ−ＣｏＭＰのコンテキスト内の互いに異なるＵＬ受信ポイントをターゲット（目標）とすることができる。これを適切に支援するために、ＳＲＳ資源別に区分された電力制御プロセスと共に、互いに異なるＳＲＳ資源に相応する互いに異なるレイヤーグループ別に正確なＭＣＳを計算できなければならない。一般に、ＵＥのための多重ＵＬＰＣプロセスが支援される必要があり、各ＵＬＰＣプロセスは、ＵＥに設定された少なくとも一つのＳＲＳ資源（及び／または前記説明されたように、少なくともＯＬＰＣのためのＤＬ  ＲＳ／ＳＳ）に関連することができる。
【０４５４】
そして／または、このような各ＵＬＰＣプロセス当たりのＯＬＰＣ遂行をする対象になる該当特定設定されたＤＬ  ＲＳ／ＳＳ（ら）は、他のＲＳ／ＳＳにスイッチング（ｓｗｉｔｃｈｉｎｇ）されることができる（例えば、ＭＡＣ  ＣＥ及び／またはＤＣＩにより）。そして／または、このときに適用する（１回性の）追加的な電力オフセット／バイアス（ｂｉａｓ）値を（一般ＴＰＣ範囲よりさらに大きな範囲に拡張するための）（共に）指示されることができ、ＵＥがこれをＴＰＣ  ａｃｃｕｍｕｌａｔｉｏｎに反映するように定義／設定／指示されることができる。例えば、設定されたＳＲＳ  ＩＤ＃１及び＃２は、同じＵＬＰＣプロセスＡに関連することができ、さらに他の設定されたＳＲＳ資源ＩＤ＃３は、他のＵＬＰＣプロセスＢに関連することができる。ＵＬＰＣプロセスＡ及びＢは、互いに異なる受信ポイントをターゲット（目標）とすることができる。そして、同じＵＬＰＣプロセスＡに従うＳＲＳ資源＃１及び＃２は、ＵＬグラント（ｇｒａｎｔ）内のＳＲＩ指示により動的に選択されることができる。例えば、ＳＲＳ資源＃１及び＃３がＵＬグラント（ｇｒａｎｔ）内のＳＲＩフィールドによりジョイントリー（ｊｏｉｎｔｌｙ）指示される時、これはｇＮＢ側面でレイヤー−グループ−区分されたＵＬ多重−パネル送信及びまたＵＬ−ＣｏＭＰジョイント受信動作として理解されることができる。
【０４５５】
したがって、多重−パネルＵＬ送信及びＵＬ−ＣｏＭＰ動作を適切に支援するために、ＵＥのための多重ＵＬＰＣプロセス（すなわち、各ＳＲＳ資源セット（グループ）別に同じ電力制御パラメータが適用される多重のＳＲＳ資源セット（グループ））が支援されなければならず、各ＵＬＰＣプロセス（すなわち、各ＳＲＳ資源セット（グループ））は、ＵＥに設定された少なくとも一つのＳＲＳ資源に関連することができる。
【０４５６】
そして／または、上述した明示的／暗黙的に設定される特定ＵＬＰＣプロセス（ら）のグループは、閉ループ電力制御（ＣＬＰＣ：Ｃｌｏｓｅｄ  Lｏｏｐ  Ｐｏｗｅｒ  ｃｏｎｔｒｏｌ）を共有して、ＵＥが上向きリンク電力制御を行う時にＴＰＣ累積を共に適用／累積するよう定義／設定されることもできる。例えば、ＯＬＰＣは、各プロセス当たりの（独立的に）分離／区分されることができるが、ＣＬＰＣは、共有するように設定されることができる。そして／または各プロセッサ当たりのＯＬＰＣだけでなく、ＣＬＰＣも独立的に分離／区分されて適用するように設定されることもできる。
【０４５７】
そして／または、基地局に特定ＵＬ  ｇｒａｎｔで特定ＵＬデータ（すなわち、ＰＵＳＣＨ）をスケジューリングする時、該当ＵＬ  ｇｒａｎｔ内で明示的にどんなＵＬＰＣプロセス（すなわち、特定電力制御のためのパラメータセットを適用して上向きリンク電力制御を遂行）に従うＵＬデータ（すなわち、ＰＵＳＣＨ）を送信するように指示されることができる。すなわち、どんなＵＬ  ＰＣを適用してＵＬデータ送信を行うのかを明示的に指示するフィールドがＵＬ  ｇｒａｎｔ内に含まれることができる。
【０４５８】
そして／または、暗黙的に特定の既存のＤＣＩフィールド（または値）（例えば、ＨＡＲＱ識別子（ＩＤ：Ｉｄｅｎｔｉｆｉｅｒ））別に連動して、ＵＥがスケジューリングされたＵＬデータ（すなわち、ＰＵＳＣＨ）の電力制御時に特定ＵＬＰＣプロセスに従うように指示されることもできる。換言すれば、既存のＤＣＩフィールド（または値）に応じてどんな電力制御のためのパラメータセットが利用されるのか暗黙的に指示されることができる。
【０４５９】
例えば、特定ＨＡＲＱ  ＩＤ値は、特定ＵＬ  ＰＣ識別子（ＩＤ：Ｉｄｅｎｔｉｆｉｅｒ）と事前に（例えば、ＲＲＣ及び／またはＭＡＣ  ＣＥにより）連動していることができる。すなわち、ＨＡＲＱ  ＩＤとＵＬＰＣ  ＩＤとの間のマッピング関係が事前に（例えば、ＲＲＣ及び／またはＭＡＣ  ＣＥにより）設定されることができる。そして、ＵＥは、ＤＣＩによりどんなＨＡＲＱ  ＩＤでスケジューリングされるかによって、該当連動したＵＬＰＣプロセスを適用（すなわち、該当電力制御パラメータセットを適用して）して上向きリンク送信電力を決定して上向きリンクを送信できる。
【０４６０】
これは一例として前記特定ＨＡＲＱ  ＩＤ（ら）は、特定独立的なサービスタイプ（例えば、ｅＭＢＢまたはＵＲＬＬＣ、等）と関連していることができ、したがって特定通信サービスタイプ別相異なる電力レベルが決定されることができるようにする効果がある。例えば、ＵＲＬＬＣの場合、ｅＭＢＢより相対的により高い電力で送信できるように設定されることができる。
【０４６１】
換言すれば、前記特定ＨＡＲＱ  ＩＤ（ら）別に特定サービスタイプ（例えば、ｅＭＢＢまたはＵＲＬＬＣ）を事前に（例えば、ＲＲＣ／ＭＡＣ  ＣＥなどにより）連動させる形態が設定／適用されることができる。したがって、特定サービスタイプ（例えば、ｅＭＢＢまたはＵＲＬＬＣ）に対する上向きリンクデータパケットを送信するように、Ｌ１シグナリング（例えば、ＤＣＩにより、ＨＡＲＱ  ＩＤと関連した）によるデータ−タイプ特定のスケジューリングを開始できるようにすることができる。
【０４６２】
そして／または、暗黙的に特定既存のＤＣＩフィールド（値）（例えば、上述したＳＲＩフィールド）別に連動して、特定ＵＬＰＣ  ｐｒｏｃｅｓｓが指示されることもできる。すなわち、ＳＲＩフィールド（または値）に応じてどんな上向きリンク電力制御のためのパラメータセットが利用されるかが暗黙的に指示されることができる。
【０４６３】
例えば、特定ＳＲＩフィールド値（例えば、ＳＲＳ資源（ら）を指示する）は、特定ＵＬＰＣ  ＩＤと事前に（例えば、ＲＲＣ及び／またはＭＡＣ  ＣＥ）連動していることができる。すなわち、ＳＲＩフィールド値とＵＬＰＣ  ＩＤとの間のマッピング関係が事前に（例えば、ＲＲＣ及び／またはＭＡＣ  ＣＥにより）設定されることができる。そして、ＤＣＩによりどんなＳＲＩ（ら）値が指示されてスケジューリングされるかによって、ＵＥは、該当連動したＵＬＰＣプロセスを適用して（すなわち、上向きリンク電力制御パラメータセットを適用して）上向きリンク送信電力を決定し、上向きリンクを送信できる。
【０４６４】
これは一例として前記特定ＳＲＩ（ら）値は、特定端末の上向きリンク送信パネル（ら）及び／または基地局ターゲット受信ポイント（ら）と関連することができる。したがって、基地局が相異なるＵＬＰＣプロセスによる相異なる電力レベルで該当端末が上向きリンク送信を実施できるようにする柔軟性を提供する効果がある。
【０４６５】
そして／または、特定共通したＤＣＩ（例えば、共通サーチスペース（ＣＳＳ：ｃｏｍｍｏｎ−ｓｅａｒｃｈ−ｓｐａｃｅ）上において送信された、例えば、ＬＴＥ  ＤＣＩ  ３／３Ａと類似の形態）のような形態で前記各ＵＬＰＣプロセス別に独立した状態及び／またはＵＥインデックス（例えば、特定ＲＮＴＩ値）にマッピングされることができる。これにより、どんなＵＬＰＣプロセスに対するＴＰＣ（累積）を行うのか（前記ＣＳＳ形態で）（多数のＵＥに）一度に送信されることもできる。
【０４６６】
結局、先に提案した方法の中で最も柔軟な方法の一例として、基地局は、個別ＳＲＩフィールドを介してどんなターゲットＲＰ／ビーム及び／またはＵＥ  Ｔｘパネルなどを指示するか、ＵＥに独立的に知らせることができる。これと同時に、前記個別特定ＵＬＰＣプロセス指示子を介してどんな電力制御を適用するのかが個別的に指示され、特定個別サービス−タイプ指示子を介してどんなサービス−タイプ（例えば、ＲＲＣ及び／またはＭＡＣ  ＣＥにより指示された）に従う上向きリンクデータを送信するようにするのかを指示できる。このように個別的に指示される形態などを利用することによって、上向きリンクスケジューリング組み合わせの高い柔軟性を支援することもできる。
【０４６７】
上述した単一非周期的なＳＲＳトリガーリングフィールドによりトリガーされたＮ（＞１）個の非周期的なＳＲＳ送信と関連して、上向きリンクビーム管理のためのＮ個のＳＲＳ資源の送信パワーに対する問題は、上述した通りに設定されたＳＲＳ資源（グループ）別に適切な上向きリンク電力制御メカニズムで解決されることができる。
【０４６８】
例えば、ｇＮＢは、特定Ｎ個のＳＲＳ資源を同じＵＬＰＣプロセスに連関させることができる。このようにすることによって、ビーム管理のためのＮ個のＳＲＳ資源のために同じ送信パワーを保障することができる。関連したＵＬＰＣプロセスに従ってＳＲＳ資源別に現在送信電力レベルを強制／オーバーライド（ｏｖｅｒｒｉｄｅ）するために、ＲＲＣ及び／またはＭＡＣ  ＣＥによるトリガーリング状態記述（ｔｒｉｇｇｅｒｉｎｇ  ｓｔａｔｅ  ｄｅｓｃｒｉｐｔｉｏｎ）を構成するための追加的な方法が論議されることができる。これは現在ＵＬＰＣプロセス（ら）と無関係にＮ個のＳＲＳ資源に同じＴｘ電力レベルを強制するためである（例えば、Ｎ個のＳＲＳ資源のうちの一つに最も高い現在ＳＲＳ  Ｔｘ電力を他のＮ−１ＳＲＳ資源と同一に適用）。すなわち、共にトリガーリングされる前記Ｎ（＞１）非周期的なＳＲＳ資源に対する送信パワー決定のために、各ＳＲＳ資源別に既に従っている特定ＵＬＰＣプロセスが存在するとしても、該当トリガーリング状態（ｔｒｉｇｇｅｒｉｎｇ  ｓｔａｔｅ）自体が動的指示されたとき、ＵＥが行わなければならない動作に関する記述（例えば、ＲＲＣ及び／またはＭＡＣ  ＣＥにより設定）内（基本的に前記どんな特定Ｎ個の資源であるかを指示する情報だけでなく）次のような少なくとも一つの動作を端末が（追加）行うように設定／指示できる：
【０４６９】
−上記説明された「Ｎ個のＳＲＳ資源のうち一つに最も高い現在ＳＲＳ  Ｔｘ電力を他のＮ−１ＳＲＳ資源と同一に適用」する方式のように、該当Ｎ個のＳＲＳ資源の各々に対して現在該当ＵＬＰＣプロセスに従って決定された電力値がＮ個ある時に、その中で特定値で該当Ｎ個のＳＲＳ送信パワーが同一に合わされるように設定されることができる。ここで、特定値は、該当ＵＬＰＣプロセスに従って決定されたＮ個の電力値のうち、最も大きな値（または（他のセルへの）干渉低減のための最も小さな値、等）または前記Ｎ個の電力値を有して代表電力値を算出するために、特定定義／設定された関数を通じて計算された値（例えば、平均、重み付き平均等）を含むことができる。そして／または電力レベルを同一に合せた後、それが最大送出可能な電力量（例えば、Ｐ＿ｃ＿ＭＡＸ）を超過した場合には、一斉に該当制限値に合せて縮小（ｓｃａｌｉｎｇ  ｄｏｗｎ）するよう設定されることができる。そして／またはこのようなｓｃａｌｉｎｇ  ｄｏｗｎするターゲット電力レベルは、他の特定上向きリンク送信しなければならない信号（例えば、ＰＵＣＣＨ、ＰＵＳＣＨ、等）との適用されなければならない電力共有規則が定義／設定されているならば、これに従う／適用した後のターゲット電力レベルに合わされることができる。
【０４７０】
−さらに他の方式で、上記のような特定「最も高い電力レベル」を計算してこれに合せる等の方式ではない、（現在各ＳＲＳ資源（グループ）単位で適用されている特定ＵＬＰＣプロセス（ら）があるとしても、これを無視し常に）適用可能な「フルパワー（ｆｕｌｌ  ｐｏｗｅｒ）」で一斉に前記Ｎ個のＳＲＳ資源に対して同じ電力レベルを合せるように設定されることができる（すなわち、ｏｖｅｒｒｉｄｄｉｎｇ）。そして／または電力レベルを同一に合せた後、それが最大送出可能な電力量（例えば、Ｐ＿ｃ＿ＭＡＸ）を超過した場合には、一斉に該当制限値に合せて縮小（ｓｃａｌｉｎｇ  ｄｏｗｎ）するよう設定されることができる。そして／またはこのようなｓｃａｌｉｎｇ  ｄｏｗｎするターゲット電力レベルは、他の特定上向きリンク送信しなければならない信号（例えば、ＰＵＣＣＨ、ＰＵＳＣＨ、等）との適用されなければならない電力共有規則が定義／設定されているならば、これに従った／適用した後のターゲット電力レベルに合わされることができる。
【０４７１】
−さらに他の方式では、上記のような特定「最も高い電力レベル」を計算して、これに合せる等の方式でない、現在各ＳＲＳ資源（グループ）単位で適用されている特定ＵＬＰＣプロセス（ら）があるとしても、これを無視し（上記のような特定ＵＬビーム管理用（Ｎ個の）ＳＲＳ資源を共に送信しなければならない場合、常に適用するようにする特定「予め定義された／予め設定された電力レベル／値」で（そして／または特定予め定義された／予め設定されたＤＬ  ＲＳ及び／または特定の代表ＤＬ  ＲＳに対してＯＬＰＣにより（及び特定代表ＣＬＰＣとも連係して）決定される電力レベル／値で）一斉に前記Ｎ個のＳＲＳ資源に対して同じ電力レベルに合せるように設定されることができる（ｏｖｅｒｒｉｄｄｉｎｇ）。ここで、特定の代表ＤＬ  ＲＳは、（初期接続／ＲＡＣＨ（Ｒａｎｄｏｍ  Ａｃｃｅｓｓ  Ｃｈａｎｎｅｌ）手順及び／またはビーム管理（ＢＭ）手順による）（サービング）ＳＳブロックＤＭＲＳ（すなわち、ＰＢＣＨのための）及び／またはＳＳＳ及び／または特定（例えば、最も最下位インデックスの）ＣＳＩ−ＲＳを含むことができる。そして／または電力レベルを同一に合せた後、それが最大送出可能な電力量（例えば、Ｐ＿ｃ＿ＭＡＸ）を超過した場合には、一斉に該当制限値に合せて縮小（ｓｃａｌｉｎｇ  ｄｏｗｎ）するよう設定されることができる。そして／またはこのようなｓｃａｌｉｎｇ  ｄｏｗｎするターゲット電力レベルは、他の特定上向きリンク送信しなければならない信号（例えば、ＰＵＣＣＨ、ＰＵＳＣＨ、等）らとの適用されなければならない電力共有規則が定義／設定されているならば、これに従う／適用した後のターゲット電力レベルに合わされることができる。
【０４７２】
−さらに他の方式では、現在（特定ビームに対して）維持され（活性化されて）いる特定少なくとも一つの（リンク適応（ＬＡ：Ｌｉｎｋ  Ａｄａｐｔａｔｉｏｎ）用）ＵＬＰＣプロセスが存在するならば、これにより決定された特定電力値を一斉に前記Ｎ個のＳＲＳ資源に対する同じ電力レベルに合せて（そして／またはここに特定設定／指示される単一電力オフセットを足して）上向きリンク送信を行うように設定されることができる。換言すれば、通常的なリンク適応用ＵＬＰＣ（例えば、ＰＵＳＣＨ ＰＣと関連した（Ｐ＿ＳＲＳ＿ｏｆｆｓｅｔを足して））により決定される電力レベルをビーム管理用ＳＲＳ資源（ら）送信にもそのまま適用するようにするものの、このうち、前記リンク適応用ＳＲＳ資源と他の（アナログ）ビームペア（ｐａｉｒ）に該当するビーム管理用ＳＲＳ資源に対しても前記同一パワーを適用するようにするという意味である。これは、ビーム管理用ＳＲＳ資源を送信する状況では、現在のサービングビームペア（ｐａｉｒ）でない他のビームペア（ｐａｉｒ）に対してもどれが最適のビームペア（ｐａｉｒ）であるかをテストするために、前記ビーム管理用ＳＲＳ資源を送信するように指示するためである。また、前記ビーム管理用（Ｎ個）ＳＲＳ資源の間には、個別ＵＬＰＣプロセスを設定することがむしろ意味がない場合もあるためである。定理すると、リンク適応用ＳＲＳ資源（ら）の間には個別ＵＬＰＣプロセスが設定／適用されることができるが、ビーム管理用ＳＲＳ資源（ら）の間には、個別ＵＬＰＣプロセス（またはリンク適応と分離された別途のＵＬＰＣプロセス）が設定されないこともできる。そして／または電力レベルを同一に合せた後、それが最大送出可能な電力量（例えば、Ｐ＿ｃ＿ＭＡＸ）を超過した場合には、一斉に該当制限値に合せて縮小（ｓｃａｌｉｎｇ  ｄｏｗｎ）するよう設定されることができる。そして／またはこのようなｓｃａｌｉｎｇ  ｄｏｗｎするターゲット電力レベルは、他の特定上向きリンク送信しなければならない信号（例えば、ＰＵＣＣＨ、ＰＵＳＣＨ、等）との適用されなければならない電力共有規則が定義／設定されているならば、これに従う／適用した後のターゲット電力レベルに合わされることができる。
【０４７３】
上記のような特定非周期的なＳＲＳトリガーリング状態が前記特定Ｎ個のＳＲＳ資源（ビーム管理のための）だけでなく、特定Ｍ（＞＝１）個のＳＲＳ資源（ＣＳＩ獲得のための）を共に送信しろと設定された場合（すなわち、総Ｎ＋Ｍ個を共に送信しろと設定された場合）にも、上記の提案方式でのＮを「Ｎ＋Ｍ」に置換する形態で前記提案方法のうち、少なくとも一つが適用されることができる。すなわち、これは必ずビーム管理用ＳＲＳ資源だけを共に送信するようにする時だけでなく、他の用途のＳＲＳ資源も混ざっている場合にも、上記のような方式で各々ＵＬＰＣプロセスが適用されていた状況を無視し（すなわち、オーバーライディング（ｏｖｅｒｒｉｄｉｎｇ）し）、先に提案した方法のように特定電力レベル（すなわち、特定の同じ電力で）を適用して送信されることができる。
【０４７４】
または、上記のように上記の提案方式でのＮを「Ｎ＋Ｍ」に置換せずに、ただＮに対してのみ上記の提案のうち、少なくとも一つを適用することに限定／設定されることもできる。すなわち、Ｎ＋Ｍ個のＳＲＳ資源を共に送信するが、この中でＮ個のＳＲＳ資源に対してのみ送信電力だけを先に提案した方法のように、特定電力レベル（例えば、特定同じ電力で）を適用して送信されることができる。そして、同時に他のＭ個のＳＲＳ資源（ら）の送信電力は、該当Ｍ個に（事前に）連動された特定ＵＬＰＣプロセスに従う電力制御された電力レベルを（各々）そのまま適用した状態で送信されることができる。これはＳＲＳ送信の用途が異なることに起因する。
【０４７５】
また、先に提案した方法において、Ｎそして／またはＭ個のＳＲＳ資源が全部非周期的なＳＲＳタイプであることに基づいて、前記大部分説明されたと解析されうるが、このうちの一部が半静的（ｓｅｍｉ−ｐｅｒｓｉｓｔｅｎｔ）ＳＲＳタイプそして／または周期的なＳＲＳタイプにも、先に本発明で提案した方式のうち、少なくとも一つが拡張して適用されうることは自明である。すなわち、特定の同じＳＲＳ送信インスタンス（ｉｎｓｔａｎｃｅ）に限定して適用されることもでき、前記特定多重ＳＲＳ資源に対する送信が他のＳＲＳ送信インスタンス（ｉｎｓｔａｎｃｅｓ）に散在して送信されるとしても、特定の一部多重ＳＲＳ資源に対する電力制御を既に連動したＵＬＰＣプロセス（ら）による送信電力決定を一部無視し（ｏｖｅｒｒｉｄｉｎｇし）特定電力レベルで（例えば、特定同じパワーで）（一時的に／特定区間の間においてのみ）適用して、ＳＲＳ送信を行うようにすることもできる。
【０４７６】
そして／または前記少なくとも一つの提案方法に対して、前記特定電力レベルで（例えば、特定同じ電力で）強制して（ｏｖｅｒｒｉｄｉｎｇして）ＳＲＳ送信を行うようにする動作（これを電力制御調整（ｐｏｗｅｒ  ｃｏｎｔｒｏｌ  ａｄｊｕｓｔｍｅｎｔ）と解釈できる）は、特定ＳＲＳ送信区間（サイクル）に対してのみ一時的に適用されることができる。すなわち、そしてさらに他のＳＲＳ送信区間（サイクル）に対しては、さらに他の独立的な特定電力レベル（例えば、特定同じ電力で）ＳＲＳ送信を行うように設定されることもできる。特定区間（サイクル）別に電力制御調整は独立的に行われることができる。
【０４７７】
例えば、「ＳＲＳビームスイーピング（ｓｗｅｅｐｉｎｇ）の一回（ｏｎｅ  ｒｏｕｎｄ  ｏｆ  ＳＲＳ  ｂｅａｍ  ｓｗｅｅｐｉｎｇ）」区間に対してのみ、一時的に上述の方法のうち、少なくとも一つの動作が適用されることができる。そして、その次／さらに他の「ＳＲＳビームスイーピング（ｓｗｅｅｐｉｎｇ）の一回（ｏｎｅ  ｒｏｕｎｄ  ｏｆ  ＳＲＳ  ｂｅａｍ  ｓｗｅｅｐｉｎｇ）」区間に対しては、さらに他の独立的な上述の方法のうち、少なくとも一つの動作が適用されるように定義されるか、または基地局により端末に設定／指示されることもできる。
【０４７８】
図１３は、本発明の一実施形態にかかる上向きリンク送受信方法を例示する。
【０４７９】
図１３を参照すると、ＵＥは、基地局からＳＲＳ設定情報を受信する（Ｓ１３０１）。
【０４８０】
ここで、ＳＲＳ設定情報は、ＳＲＳ資源セット別にＳＲＳの電力制御のためのパラメータセット（例えば、基本電力値Ｐ０、逆補償情報／割合であるα、経路損失推定／計算のための下向きリンク参照信号などを含む）を含み、ＳＲＳ資源セットは、一つ以上のＳＲＳ資源を含むことができる。
【０４８１】
ＵＥは、ＳＲＳの電力制御のためのパラメータセットに基づいて、ＳＲＳの送信電力（ｔｒａｎｓｍｉｓｓｉｏｎ  ｐｏｗｅｒ）を決定する（Ｓ１３０２）。
【０４８２】
ここで、ＳＲＳの電力制御のためのパラメータセットにより指示された下向きリンク参照信号を利用して、前記ＵＥにより計算された下向きリンク経路−損失（ｐａｔｈ−ｌｏｓｓ）推定値に基づいて、ＳＲＳの送信電力（ｔｒａｎｓｍｉｓｓｉｏｎ  ｐｏｗｅｒ）が決定されることができる。このとき、下向きリンク参照信号は、上位階層シグナリング（ＲＲＣまたはＭＡＣ  ＣＥ）で指示されることができる。例えば、下向きリンク参照信号は、前記下向きリンク参照信号は、ＳＳＢ及びＣＳＩ−ＲＳを含むことができる。
【０４８３】
また、前記下向きリンク参照信号は、前記基地局により送信されるシグナリング（例えば、ＭＡＣ  ＣＥ、ＤＣＩ等）により変更されることもできる。
【０４８４】
また、ＵＥは、ＳＲＳ資源セットに共通的にＴＰＣ累積（ａｃｃｕｍｕｌａｔｉｏｎ）を適用することによって（例えば、明示的／暗黙的に設定された特定ＳＲＳ資源セット（グループ）の場合）、前記ＳＲＳの送信電力（ｔｒａｎｓｍｉｓｓｉｏｎ  ｐｏｗｅｒ）を決定できる。
【０４８５】
前記ＳＲＳの送信電力（ｔｒａｎｓｍｉｓｓｉｏｎ  ｐｏｗｅｒ）の調整のための電力制御調整（ｐｏｗｅｒ  ｃｏｎｔｒｏｌ  ａｄｊｕｓｔｍｅｎｔ）は、特定ＳＲＳ送信区間別に独立的に適用されることができる。ここで、電力制御調整がトリガーされると、前記ＳＲＳの送信電力（ｔｒａｎｓｍｉｓｓｉｏｎ  ｐｏｗｅｒ）が決定されたことと無関係に、前記すべてのＳＲＳ資源上において前記ＳＲＳの送信電力値（ｐｏｗｅｒ  ｖａｌｕｅ）は、全部同一に調整されることができる。具体的に、特定電力レベルで（例えば、特定同じ電力で）強制して（ｏｖｅｒｒｉｄｉｎｇして）ＳＲＳ送信を行うようにする動作は、特定ＳＲＳ送信区間（サイクル）に対してのみ一時的に適用されることができる。そしてさらに他のＳＲＳ送信区間（サイクル）に対しては、さらに他の独立的な特定電力レベル（例えば、特定同じ電力で）ＳＲＳ送信を行うように設定されることもできる。また、前記調整された送信電力値が一定値を超過する時、前記調整された送信電力値が一括的に縮小（ｓｃａｌｉｎｇ  ｄｏｗｎ）されることができる。
【０４８６】
ＵＥは、決定された送信電力でＳＲＳを基地局に送信する（Ｓ１３０３）。
【０４８７】
図１３では図示していないが、図１３のＳＲＳ宋ＳＵＳＩＮ動作と連係して上向きリンクチャネル（ＰＵＳＣＨ、ＰＵＣＣＨ）を送受信する動作／上向きリンクチャネル送信電力を制御する動作が行われることができる。
【０４８８】
具体的に、ＵＥは、基地局からＰＵＳＣＨ（Ｐｈｙｓｉｃａｌ  Ｕｐｌｉｎｋ  Ｓｈａｒｅｄ  Ｃｈａｎｎｅｌ）スケジューリング情報を含む下向きリンク制御情報（ＤＣＩ：Ｄｏｗｎｌｉｎｋ  Ｃｏｎｔｒｏｌ  Ｉｎｆｏｒｍａｔｉｏｎ）を受信する。ここで、ＤＣＩは、ＳＲＳ資源指示子（ＳＲＩ：ＳＲＳ  ｒｅｓｏｕｒｃｅ  ｉｎｄｉｃａｔｏｒ）を含むことができる。そして、ＵＥは、ＳＲＩから決定された前記ＰＵＳＣＨの電力制御のためのパラメータセットに基づいて、前記ＰＵＳＣＨ送信電力（ｔｒａｎｓｍｉｓｓｉｏｎ  ｐｏｗｅｒ）を決定する。
【０４８９】
このとき、ＵＥは、ＰＵＳＣＨの電力制御のための一つ以上のパラメータセット（例えば、基本電力値Ｐ０、逆補償情報／割合であるα、経路損失推定／計算のための下向きリンク参照信号などを含む）を基地局から受信し、ＳＲＩにより指示されたパラメータセットに基づいて、ＰＵＳＣＨ送信電力（ｔｒａｎｓｍｉｓｓｉｏｎ  ｐｏｗｅｒ）を計算できる。
【０４９０】
また、ＳＲＩにより複数のＳＲＳ資源らが指示され、複数のＳＲＳ資源の各々に対して互いに異なるレイヤーグループが設定される時、レイヤーグループ別に前記ＰＵＳＣＨの電力制御のためのパラメータセットが個別的に決定されることができる。
【０４９１】
この場合にも、ＰＵＳＣＨの電力制御のためのパラメータセットにより指示された下向きリンク参照信号を利用して、前記ＵＥにより計算された下向きリンク経路−損失（ｐａｔｈ−ｌｏｓｓ）推定値に基づいてＰＵＳＣＨの送信電力が決定されることができる。また、下向きリンク参照信号は、基地局により送信されるシグナリング（ＭＡＣ  ＣＥ、ＤＣＩ等）により変更されることができる。そして、ＵＥは、決定された送信電力でＰＵＳＣＨを基地局に送信する。
【０４９２】
反面、前記基地局から前記下向きリンク参照信号に対する情報が提供されない時（例えば、ＤＣＩ内にＳＲＩが含まれない場合）、経路−損失（ｐａｔｈ−ｌｏｓｓ）推定値は、特定下向きリンク参照信号（例えば、相対的に最も大きな電力レベルを有する下向きリンク参照信号）を利用して計算されることができる。
【０４９３】
本発明が適用され得る装置一般
【０４９４】
図１４は、本発明の一実施形態に係る無線通信装置のブロック構成図を例示する。
【０４９５】
図１４に示すように、無線通信システムは、基地局１４１０と、基地局１４１０領域内に位置した複数の端末１４２０とを備える。
【０４９６】
基地局１４１０は、プロセッサ（ｐｒｏｃｅｓｓｏｒ、１４１１）、メモリ（ｍｅｍｏｒｙ、１４１２）、及びＲＦ部（Ｒａｄｉｏ  Ｆｒｅｑｕｅｎｃｙｕｎｉｔ、１４１３）を備える。プロセッサ１４１１は、先に提案された機能、過程、及び／又は方法を実現する。無線インターフェースプロトコルの階層は、プロセッサ１４１１により実現されることができる。メモリ１４１２は、プロセッサ１４１１と連結されて、プロセッサ１４１１を駆動するための様々な情報を格納する。ＲＦ部１４１３は、プロセッサ１４１１と連結されて、無線信号を送信及び／又は受信する。
【０４９７】
端末１４２０は、プロセッサ１４２１、メモリ１４２２、及びＲＦ部１４２３を備える。プロセッサ１４２１は、先に提案された機能、過程、及び／又は方法を実現する。無線インターフェースプロトコルの階層は、プロセッサ１４２１により実現されることができる。メモリ１４２２は、プロセッサ１４２１と連結されて、プロセッサ１４２１を駆動するための様々な情報を格納する。ＲＦ部１４２３は、プロセッサ１４２１と連結されて、無線信号を送信及び／又は受信する。
【０４９８】
メモリ１４１２、１４２２は、プロセッサ１４１１、１４２１の内部または外部にありうるし、よく知られた様々な手段でプロセッサ１４１１、１４２１と連結されることができる。また、基地局１４１０及び／又は端末１４２０は、１個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０４９９】
以上で説明された実施形態は本発明の構成要素と特徴が所定の形態に結合されたものである。各構成要素または特徴は、別途の明示的な言及がない限り、選択的なものとして考慮されなければならない。各構成要素または特徴は他の構成要素や特徴と結合されない形態に実施できる。また、一部構成要素及び／又は特徴を結合して本発明の実施形態を構成することも可能である。本発明の実施形態で説明される動作の順序は変更可能である。ある実施形態の一部構成や特徴は他の実施形態に含まれることができ、または他の実施形態の対応する構成または特徴と取替えできる。特許請求範囲で明示的な引用関係がない請求項を結合して実施形態を構成するか、または出願後の補正により新たな請求項に含めることができることは明らかである。
【０５００】
本発明に従う実施形態は多様な手段、例えば、ハードウェア、ファームウエア（ｆｉｒｍｗａｒｅ）、ソフトウェア、またはそれらの結合などにより具現できる。ハードウェアによる具現の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現できる。
【０５０１】
ファームウエアやソフトウェアによる具現の場合、本発明の一実施形態は以上で説明された機能または動作を遂行するモジュール、手続、関数などの形態に具現できる。ソフトウェアコードは、メモリに格納されてプロセッサにより駆動できる。前記メモリは、前記プロセッサ内部または外部に位置し、既に公知された多様な手段により前記プロセッサとデータをやり取りすることができる。
【０５０２】
本発明は、本発明の必須的特徴を逸脱しない範囲で他の特定の形態に具体化できることは当業者に明らかである。したがって、前述した詳細な説明は全ての面から制約的に解析されてはならず、例示的なものとして考慮されなければならない。本発明の範囲は添付の請求項の合理的解析により決定されなければならず、本発明の等価的範囲内での全ての変更は本発明の範囲に含まれる。
【産業上の利用可能性】
【０５０３】
本発明は、３ＧＰＰ  ＬＴＥ／ＬＴＥ−Ａシステムまたは５Ｇシステムに適用される例を中心に説明したが、３ＧＰＰ  ＬＴＥ／ＬＴＥ−Ａシステムまたは５Ｇシステムの他にも、様々な無線通信システムに適用することが可能である。
【図１】
0006968914.tif 000027
【図２】
0006968914.tif 000028
【図３】
0006968914.tif 000029
【図４】
0006968914.tif 000030
【図５】
0006968914.tif 000031
【図６】
0006968914.tif 000032
【図７】
0006968914.tif 000033
【図８】
0006968914.tif 000034
【図９】
0006968914.tif 000035
【図１０】
0006968914.tif 000036
【図１１】
0006968914.tif 000037
【図１２】
0006968914.tif 000038
【図１３】
0006968914.tif 000039
【図１４】
0006968914.tif 000040